(57)【要約】      （修正有）【課題】広角高変倍比のズームレンズで、しかも広角端でのＦ値が２．０乃至２．８程度と明るいズームレンズとそれを用いた撮像装置を提供する。【解決手段】ズームレンズは、物体側から順に、変倍時に光軸に沿って可動の正の屈折力を有する第１群と、広角端から望遠端へ変倍する際に光軸に沿って像側へ移動する負の屈折力を有する第２群と、それに続き少なくとも２つの変倍時に可変な間隔を有する後群とよりなり、第１群は像側に凸の往復軌跡を描きつつ移動し、無限遠物点合焦時の第１群の広角端から望遠端までの移動量Δｚ1、無限遠物点合焦時の第２群の広角端から望遠端までの移動量Δｚ2に関して、３＜（Δｚ2−Δｚ1）／Ｌ＜９、−１．０＜Δｚ1／Δｚ2＜０．５（Δｚ2＞０）の条件を満たす。ただし、像側移動を正とする。Ｌは結像面近傍に配設される有効撮像面の対角長。【選択図】図１
2011141548.tif 000002
【特許請求の範囲】
【請求項１】
物体側から順に、変倍時に光軸に沿って可動の正の屈折力を有する第１群と、広角端から望遠端へ変倍する際に光軸に沿って像側へ移動する負の屈折力を有する第２群と、それに続き少なくとも２つの変倍時に可変な間隔を有する後群とよりなり、第１群は像側に凸の往復軌跡を描きつつ移動し、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
（３）    ３＜（Δｚ2 −Δｚ1 ）／Ｌ＜９
（４）    −１．０＜Δｚ1 ／Δｚ2 ＜０．５  （Δｚ2 ＞０）
ただし、像側移動を正とする。Ｌは結像面近傍に配設される有効撮像面の対角長。
【請求項２】
前記後群の最も物体側の正屈折力の副群は、負の倍率を有することを特徴とする請求項１記載のズームレンズ。
【請求項３】
変倍域に撮影可能画角２ω＝７０°を含むことを特徴とする請求項１記載のズームレンズ。
【請求項４】
広角端無限物点合焦時のバックフォーカス（空気換算長）ＦBWに関し以下の条件を満たすことを特徴とする請求項１記載のズームレンズ。
（12）    ２．０＜ＦBW／ｆW ＜５．０
ただし、ｆW は広角端無限物点合焦時の全系合成焦点距離。
【請求項５】
広角端無限物点合焦時の最小Ｆ値ＦW に関し以下の条件を満たすことを特徴とする請求項１記載のズームレンズ。
（13）    １．４＜ＦW ＜３．5 
【請求項６】
広角端における入射瞳位置ＥＮＰに関し以下の条件を満たすことを特徴とする請求項１記載のズームレンズ。
（14）    ２＜ＥＮＰ／Ｌ＜５
ただし、Ｌは結像面近傍に配設される有効撮像面の対角長。
【請求項７】
画素間隔ａが、
１．０×１０-4  ×Ｌ＜ａ＜６．０×１０-4×Ｌ（ｍｍ）
なる撮像素子を有する撮影装置の結像光学系として使用されることを特徴とする請求項１記載のズームレンズ。ただし、Ｌは結像面近傍に配設される有効撮像面の対角長。
【請求項８】
請求項１〜７の何れか２項以上を同時に満足することを特徴とするズームレンズ。
【請求項９】
請求項１〜８の何れか１項記載のズームレンズの結像面近傍に撮像素子を配したことを特徴とする撮像装置。
【請求項１０】
前記撮像素子を電子撮像素子とし、前記ズームレンズと前記電子撮像素子との間にローパスフィルターを配したことを特徴とする請求項９記載の撮像装置。
【請求項１１】
前記ズームレンズと前記電子撮像素子との間に観察用の光路を分割する光学素子を配したことを特徴とする請求項９又は１０記載の撮像装置。
【発明の詳細な説明】
【技術分野】
【０００１】
本発明は、ズームレンズ及び撮像装置に関し、特に、カメラ特にビデオカメラやデジタルカメラに適した広角域を含んだ大口径比で高変倍率なズームレンズとそれを用いた撮像装置に関するものである。
【背景技術】
【０００２】
近年、銀塩１３５ｍｍフィルム（通称ライカ版）カメラに代わる次世代カメラとしてデジタルカメラ（電子カメラ）が注目されてきている。その中で、一般ユーザー向けのデジタルカメラでは、対角画角６０°程度の単焦点レンズあるいはこれを広角端とした３倍程度のズームレンズが主流になっている。一方、ハイクラスユーザーを対象とするとなると、さらに広角側あるいは望遠側へ拡張しなくてはならないし、ＴＴＬ光学ファインダー対応でなくてはならない。当然、結像性能も高いものが要求される。広角端の対角画角７５°程度の７乃至１０倍クラスのＴＴＬ光学ファインダー対応のズームレンズについては、前記銀塩１３５ｍｍフィルムカメラ用のものがいくつか市販されている。しかし、これより数分の一以下のサイズの撮像フォーマット用に相応しい、しかも広角端でのＦ値が２．０乃至２．８程度と明るい広角高倍ズームレンズは、テレビカメラ等、業務用途以外ではほとんど知られていない。
【発明の概要】
【発明が解決しようとする課題】
【０００３】
本発明では従来技術のこのような現状に鑑みてなされたものであり、その目的は、広角高変倍比のズームレンズで、しかも広角端でのＦ値が２．０乃至２．８程度と明るいズームレンズとそれを用いた撮像装置を提供することである。
【課題を解決するための手段】
【０００４】
上記目的を達成するために、本発明のズームレンズは、
物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とよりなるズームレンズ、
若しくは、
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなるズームレンズ、
を基本構成としている。
【０００５】
このような構成は、諸収差を抑えつつ高変倍化を達成するのに有利な構成である。これらの構成を基本とする本発明の特徴部を以下に示す。
【０００６】
本発明の第１のズームレンズは、物体側から順に、変倍時に光軸に沿って可動の正の屈折力を有する第１群と、広角端から望遠端へ変倍する際に光軸に沿って像側へ移動する負の屈折力を有する第２群と、少なくとも２つの変倍時に可変な間隔を有する後群とを含み、特に第１群の焦点距離ｆ1 が以下の条件を満たすことを特徴とするズームレンズである。
【０００７】
（１）    ６＜ｆ1 ／Ｌ＜２０
ただし、Ｌは結像面近傍に配設される有効撮像面の対角長である。
【０００８】
上記条件（１）の下限値の６を越えると、望遠側での球面収差が補正不足になる。上限値の２０を越えると、変倍時可動の群の移動量が増大し、レンズ全系が大型化しやすい。
【０００９】
なお、上記条件は次のようにするとより好ましい。
【００１０】
（1'）    ６．５＜ｆ1 ／Ｌ＜１６
さらに、次のようにするとなお好ましい。
【００１１】
（1"）    ７＜ｆ1 ／Ｌ＜１２
本発明の第２のズームレンズは、物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とを含むタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、少なくとも２つの変倍時に可変な間隔を有する後群とを含むタイプのズームレンズの何れかにおいて、第１群の焦点距離ｆ1 と第１群の少なくとも１つの正レンズの媒質の異常分散性ΔθgFが以下の条件を満たすことを特徴とするズームレンズである。
【００１２】
（１）    ６＜ｆ1 ／Ｌ＜２０
（２）    ０．０１５＜ΔθgF＜０．１
ただし、Ｌは結像面近傍に配設される有効撮像面の対角長である。
【００１３】
なお、各媒質（硝材）の異常分散性ΔθgFの定義は、
θgF＝ＡgF＋ＢgF・νd ＋ΔθgF 
一方、
θgF＝（ｎg −ｎF ）／（ｎF −ｎC ）
νd ＝（ｎd −１）／（ｎF −ｎC ）
ｎd 、ｎF 、ｎC 、ｎg はそれぞれｄ線、Ｆ線、Ｃ線、ｇ線に対する屈折率
、ＡgF、ＢgFは、ガラスコード511605（株式会社オハラでの商品名ＮＳＬ７
θgF＝0.5436  νd ＝60.49 ）とガラスコード 620363 （株式会社オハラ
での商品名ＰＢＭ２  θgF＝0.5828  νd ＝36.26 ）の２硝種で決まる直線
の係数であり、具体的には、ＡgFは０．６４１４６２４８５、ＢgFは−０．
００１６１７８２９、
である。
【００１４】
上記条件（２）の下限値の０．０１５を越えると、望遠端における短波長軸上色収差が補正し切れず、輝度差の大きな被写体の縁に色にじみが発生しやすい。上限値の０．１を越えると、安価な媒質がほとんど存在しないし、逆の色収差が発生することになる。
【００１５】
なお、上記条件は次のようにするとより好ましい。
【００１６】
（1'）    ６．５＜ｆ1 ／Ｌ＜１６
（2'）    ０．０２０＜ΔθgF＜０．０８
さらに、次のようにするとなお好ましい。
【００１７】
（1"）    ７＜ｆ1 ／Ｌ＜１２
（2"）    ０．０２５＜ΔθgF＜０．０６
本発明の第３のズームレンズは、物体側から順に、変倍時に光軸に沿って可動の正の屈折力を有する第１群と、広角端から望遠端へ変倍する際に光軸に沿って像側へ移動する負
の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とを含むタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、少なくとも２つの変倍時に可変な間隔を有する後群とを含むタイプのズームレンズの何れかにおいて、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズである。
【００１８】
（３）    ３＜（Δｚ2 −Δｚ1 ）／Ｌ＜９
ただし、像側への移動を正とする。Ｌは結像面近傍に配設される有効撮像面の対角長。
【００１９】
先述のように、広角端から望遠端にズーミングする際、第２群は第１群から相対的に遠ざかる動きをする。特に高変倍ズームレンズでは、その移動量が大きいため、移動スペースを多く必要とする。それは広画角である程問題で、第１群の径が大きくなりすぎることがある。上記条件（３）の上限値の９を越えると、第１群の径が大きくなりすぎレンズ系が大型化する。下限値の３を越えると、後群の変倍負担が増大し、変倍時の球面収差の変動が大きくなりやすい。
【００２０】
なお、上記条件は次のようにするとより好ましい。
【００２１】
（3'）    ３．２＜（Δｚ2 −Δｚ1 ）／Ｌ＜８
さらに、次のようにするとなお好ましい。
【００２２】
（3"）    ３．４＜（Δｚ2 −Δｚ1 ）／Ｌ＜７
また、広角であることと高変倍率であることにより、最も負担が大きくなる群は第２群である。さらに、第２群のパワーや移動量や構成によって第１群の径の大きさまで決まってしまう。第１群の径という観点からは、第２群の主点はできるだけ物体側に位置する方が有利である。したがって、第２群は負の屈折力の前群と正の屈折力の後群で構成することが好ましい。この場合、広角でかつ高変倍率であるために樽型の歪曲収差が発生しやすいことや、非点収差がズーム全域にて補正し難い点については、第２群の負レンズを少なくとも３つの負レンズを含み、最も像側が正レンズの構成か、又は、最も物体側の３枚が負レンズであり、像側に正レンズを有する構成か、又は、負レンズを含み、最も像側の２枚が正レンズの構成とし、第２群中の何れかの面を非球面とすることで、大幅に解消できる。
【００２３】
また、後群のレンズ枚数が６枚より少ないと、色収差や球面収差の補正が厳しくなり、一方、１１枚を越えると、後群全体が厚くなり、ズームスぺースを十分確保することが難しくなる。
【００２４】
また、後群は複数の群を有しているが、少なくとも２つの正屈折力の副群を備え、その中最も物体側の正屈折力の副群及び最も像側の正屈折力の副群それぞれを３枚以上のレンズで構成することが、色収差、球面収差、コマ収差、大口径化のためにより好ましい。
【００２５】
本発明の第４のズームレンズは、物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを
含み、最も像側の２枚が正レンズの構成であり、群中の何れかの面が非球面である第２群と、少なくとも２つの可動な副群を有し全体で６枚以上１１枚以下のレンズを有する後群とを含むタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、少なくとも２つの変倍時に可変な間隔を有する後群とを含むタイプのズームレンズの何れかにおいて、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズである。
【００２６】
（４）    −１．０＜Δｚ1 ／Δｚ2 ＜０．５  （Δｚ2 ＞０）
ただし、像側移動を正とする。
【００２７】
これは、広角端から望遠端にズーミングする場合、第１・２群合成系による像点の軌跡を適正にするための条件である。その軌跡は、後群の倍率変化領域と焦点距離をある程度決めてしまう。上記条件（４）の上限値の０．５を越えると、後群の倍率がより小さい側になったり、あるいは焦点距離が長い側になり、Ｌの値の割に全体的に大きなレンズ系になりがちである。下限値の−１．０を越えると、その逆でＬの割に全体的に小さなレンズ系になるが、Ｌが小さくＦ値の明るい場合、球面収差、コマ収差の補正が困難である。
【００２８】
なお、これに条件（３）を加えてもよい。
【００２９】
また、上記条件は次のようにするとより好ましい。
【００３０】
（4'）    −０．９＜Δｚ1 ／Δｚ2 ＜０．４  （Δｚ2 ＞０）
さらに、次のようにするとなお好ましい。
【００３１】
（4"）    −０．８＜Δｚ1 ／Δｚ2 ＜０．３  （Δｚ2 ＞０）
本発明の第５のズームレンズは、物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とを含むタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、少なくとも２つの変倍時に可変な間隔を有する後群とを含むタイプのズームレンズの何れかにおいて、第１群は像側に凸の往復軌跡を描きつつ移動し、無限遠物点合焦時の第１群の広角端から中間焦点距離ｆM （＝√（ｆW ・ｆT ））までの移動量Δｚ1WM が正であることを特徴とするズームレンズである。ただし、像側への移動を正とする。なお、ｆW は広角端無限物点合焦時の、ｆT は望遠端無限物点合焦時の全系合成焦点距離。ｆM はｆW とｆT の相乗平均である。なお、広角端から望遠端にズーミングする際、第２群は第１群から相対的に遠ざかる動きをし、後群はその主点位置が像面に対して遠ざかる動きをする。なお、像面位置は一定である。
【００３２】
Ｌの値が小さい電子撮像素子や視野枠を使用すると、第１群の焦点距離が全系に対しその比が非常に大きくなるため、後群の倍率が特に小さく、望遠端でも等倍程度の値である。同時に、後群の焦点距離は第２群より長いので、広角端から望遠端にズーミングするときの第１・２群合成系による像点の軌跡は、広角端近傍で像側にかなり急な変化を必要とし、望遠端にてかなり緩やかになるようにする必要がある。したがって、第１群は前述のような軌跡を描くようにするのがよい。
【００３３】
本発明の第６のズームレンズは、物体側から順に、変倍時に光軸に沿って可動の正の屈折力を有する第１群と、広角端から望遠端へ変倍する際に光軸に沿って像側へ移動する負
の屈折力を有する第２群と、少なくとも２つの可動な副群を有する後群とを含むタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、少なくとも２つの変倍時に可変な間隔を有する後群とを含むタイプのズームレンズの何れかにおいて、第１群は像側に凸の往復軌跡を描きつつ移動し、上記した条件（４）のみ、又は、条件（３）、（４）の両方を満たすことを特徴とするズームレンズである。
【００３４】
これにより、第４、第５のズームレンズに関して記載した効果が得られる。
【００３５】
本発明の第７のズームレンズは、物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とを含むタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、少なくとも２つの変倍時に可変な間隔を有する後群とを含むタイプのズームレンズの何れかのズームレンズである。
【００３６】
広角であることと高変倍率であることにより、最も負担が大きくなる群は第２群である。さらに、第２群のパワーや移動量や構成によって第１群の径の大きさまで決まってしまう。第１群の径という観点からは、第２群の主点はできるだけ物体側に位置する方が有利である。したがって、最も像側に正レンズを配するのがよい。次に、広角でかつ高変倍率であるために樽型の歪曲収差が発生しやすいことや、非点収差がズーム全域にて補正し難い点については、第２群の負レンズを３枚以上にして構成し、その中少なくとも１面を非球面にて構成することで大幅に解消できる。特に、この非球面を周辺に行くに従って軸上の曲率に比べて発散性が弱まるか、収斂性が強まる方向の形状とすることが望ましい。また、先の説明と同様に、第２群を最も物体側の３枚が負レンズであり、像側に正レンズを含む構成か、又は、負レンズを含み、最も像側の２枚が正レンズの構成としても同様の効果が得られる。
【００３７】
さらに、無限遠物点合焦時の第２群の広角端時倍率β2Wと望遠端時倍率β2Tの比Δβ2 （＝β2T／β2W）と第２群の焦点距離ｆ2 に関し、以下の条件を満たすズームレンズとするのがよい。
【００３８】
（５）    ０．３＜ｌｏｇ（Δβ2 ）／ｌｏｇ（γ）＜０．８
（６）    ５＜γ＜１５
ただし、γは全系の広角端から望遠端までのズーム比である。
【００３９】
先にも述べたように、広角であることと高変倍率であることにより、最も負担が大きくなる群は第２群である。さらに、第２群のパワーや移動量や構成によって第１群の径の大きさまで決まってしまう。そこで、できるだけ変倍機能を後群にも分散する。条件（５）は、ズーム全域における第２群の変倍比の割合を規定したものである。その上限値の０．８を越えると、第２群の変倍機能の負担が大きすぎ、上記軸外諸収差補正や第１群の径の小型化に支障をきたす。下限値の０．３を越えると、逆に後群の負担が大きくなり、ズーム全域で球面収差やコマ収差等が安定しなくなり、大口径化がし難い。条件（６）は、条件（５）が効果を示すズーム比の範囲である。その範囲外では、条件（５）の範囲が適正でなくなる。つまり、条件（６）の上限の１５を越えた場合は、条件（５）の範囲を越え
て第２群の変倍負担率をさらに減らす方がよく、一方、下限の５を越える場合は、条件（５）の範囲を越えて第２群の変倍負担率をさらに高くしても、収差の影響は少なくなるが、一方十分な変倍比ではなくなる。
【００４０】
なお、上記条件は次のようにするとより好ましい。
【００４１】
（5'）    ０．３５＜ｌｏｇ（Δβ2 ）／ｌｏｇ（γ）＜０．６５
（6'）    ９＜γ＜１５
又は、
（5"）    ０．５＜ｌｏｇ（Δβ2 ）／ｌｏｇ（γ）＜０．８
（6"）    ５＜γ＜９
本発明の第８のズームレンズは、物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とを含むタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、少なくとも２つの変倍時に可変な間隔を有する後群とを含むタイプのズームレンズの何れかにおいて、広角端無限物点合焦時の後群の合成倍率βrWに関し以下の条件を満たすことを特徴とするズームレンズである。
【００４２】
（７）    −０．６＜βrW＜−０．１
先述のように、Ｌの値（有効撮像面対角長）が小さい撮像素子やフィルムの視野枠を使用すると、第１群の焦点距離が全系に対しその比が非常に大きくなる。それは、例えば１３５ｍｍフォーマットやＡＰＳフォーマット用光学系を単純に比例係数倍すると、機械的構成やレンズ加工が物理的に不可能なためである。そのため、各群の焦点距離、特に第１・２群の焦点距離を短くできない。したがって、後群の倍率は上記大きなフォーマット向け光学系より小さくしなくてはならない。条件（７）の下限値の−０．６を越えると、第１・２群合成系の焦点距離を短くする方向となるため、レンズの縁肉厚・中心肉厚・エアスペースが極端に小さくなりやすく、これを確保しようとすると、ペッツバール和が負となると同時に、歪曲・非点・コマ等、各軸外収差をズーム全域で確保するのが困難となる。上限値の−０．１を越えると、レンズ系が巨大化しやすい。
【００４３】
なお、前記後群は、それぞれの光軸上相対距離が可変の３つ以上の副群から構成し、さらには、その３つの群として、物体側から順に、正の屈折力、負の屈折力、正の屈折力の順で含むように構成するとよい。
【００４４】
また、後群をそれぞれの光軸上相対距離が可変の複数の副群から構成し、かつ、後群中の可動の全ての副群には、それぞれ接合レンズ成分を少なくとも１つ有するように構成するのもよい。あるいは、後群をそれぞれの光軸上相対距離が可変の３つ以上の副群から構成し、かつ、後群中の可動の全ての副群には、それぞれ接合レンズ成分を少なくとも１つ有するように構成するのもよい。
【００４５】
なお、上記条件は次のようにするとより好ましい。
【００４６】
（6'）    ９＜γ＜１５
のとき、
（7'）    −０．５＜βrW＜−０．１
又は、
（6"）    ５＜γ＜９
のとき、
（7"）    −０．６＜βrW＜−０．２
本発明の第９のズームレンズは、物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とを含むタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、少なくとも２つの変倍時に可変な間隔を有する後群とを含むタイプのズームレンズの何れかにおいて、前記後群の中、負の倍率を有する副群の中で最も物体側にある正の副群よりも像側の何れかの副群にてフォーカスを行ない、最も像側の正の副群の広角端無限物点合焦時倍率βRRW に関し、以下の条件を満たすことを特徴とするズームレンズである。
【００４７】
（８）    −０．４＜βRRW ＜０．９
本発明においては、フォーカスを後群の一部の群を光軸上を移動させて行なう方式を採用している。変倍については、第２群と後群が司るが、後群を構成する複数の副群の中、実際に変倍に寄与するのは、正の屈折力を有しかつ負の倍率を有する最も物体側の副群のみとし、その他の副群は倍率を−１倍から遠い値をとるようにし、それらの何れかの副群又はそれらの中の複数の副群でフォーカスをするようにする。特に、最も像側の正の副群でフォーカスするのがフォーカシングによる収差変動が少なくてよい。条件（８）は、最も像側の正の副群の倍率βRRW に関して規定しているが、下限値の−０．４を越えると、フォーカスによる近軸量・諸収差量の変動が大きくなり好ましくない。上限値の０．９を越えると、フォーカス群の繰出し量が大きくなりすぎ、無限遠物点から至近距離物点まで合焦できないうちに隣りの副群に干渉しやすくなり好ましくない。
【００４８】
フォーカス群は、後群中の最も像側の正の副群か、その物体側の負の副群か、その両方で行うようにすると、フォーカス時の諸収差の変動が少なくかつピント感度も適切となり、好ましい。
【００４９】
なお、上記条件は次のようにするとより好ましい。
【００５０】
（8'）    −０．３＜βRRW ＜０．８
さらに、次のようにするとなお好ましい。
【００５１】
（8"）    −０．２＜βRRW ＜０．７
本発明の第１０のズームレンズは、物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とを含むタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、少なくとも２つの変倍時に可変な間隔を有する後群とを含むタイプのズームレンズの何れかにおいて、無限遠物点合焦時の最も像側の正の副
群の広角端から望遠端までの移動量ΔｚRRと無限遠物点合焦時の最も物体側の正の副群の広角端から望遠端までの移動量ΔｚRFに関し、以下の条件を満たすことを特徴とするズームレンズである。
【００５２】
（９）    −０．４＜ΔｚRR／ΔｚRF＜０．８
（10）    ０．３＜｜ΔｚRF｜／Ｌ＜４．０  
ただし、Ｌは結像面近傍に配設される有効撮像面の対角長である。
【００５３】
後群を構成する複数の副群の中、実際に変倍に寄与するのは最も物体側の正の副群であり、したがって、この群は広角端から望遠端にかけて物体側に単調に移動する。その他の副群は倍率−１倍から遠い値をとり、実質的には変倍によるフォーカス位置のズレや収差補正のために移動又は存在している。一方、最も像側に近い正の副群が必要以上に物体側に移動すると、射出瞳位置が像面に近づき、電子撮像素子を用いた際はシェーディングを発生しやすくなる。条件（９）の上限値の０．８を越えると、望遠側にて射出瞳が像面に近づき、画面周辺部への光線入射角が大きくなりすぎる。下限値の−０．４を越えると、後群の総厚が増大し光学系全体が大きくなる。条件（１０）の上限値の４．０を越えると、光学系全長が大きくなるか変倍による収差変動が大きくなりやすい。下限値の０．３を越えると、第１群径が大きくなりやすい。なお、前記２つの正の副群の中間に、少なくとも１つ以上の副群を有しても同様である。特に、それが負の副群である場合には、無限遠物点合焦時のその負の副群の広角端から望遠端までの移動量をΔｚRNとすると、
（11）    −２＜ΔｚRN／Ｌ＜１
を満たすことが望ましい。この条件の下限値−２を越えると、後群の総厚が増大し光学系全体が大きくなる。上限値の１を越えると、後群の何れかの副群でリアフォーカスを実施する際、望遠端における近距離フォーカス時に副群同士の干渉が起きやすくなる。また、前記２つの正の副群よりも物体側でかつ第２群よりも像側に負の副群を配置しても同様である。
【００５４】
上記条件は各々個別に若しくは一体で次のようにするとより好ましい。
【００５５】
（9'）    −０．３＜ΔｚRR／ΔｚRF＜０．７
（10' ）  ０．５＜｜ΔｚRF｜／Ｌ＜３．５  
（11' ）  −１．５＜ΔｚRN／Ｌ＜０．７
さらに、各々個別に若しくは一体で次のようにするとなお好ましい。
【００５６】
（9"）    −０．２＜ΔｚRR／ΔｚRF＜０．６
（10" ）  ０．７＜｜ΔｚRF｜／Ｌ＜３．０  
（11" ）  −１＜ΔｚRN／Ｌ＜０．５
また、最も物体側の正の副群は、負の倍率であることが変倍の寄与の点でより好ましい。
【００５７】
本発明の第１１のズームレンズは、物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とを含み、前記後群には、正の屈折力を有しかつ負の倍率を有する副群と最も像側の正の副群とを有し、変倍時にそれぞれの相対位置が変化するタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、複数
の副群を有する後群とを含み、前記後群には、正の屈折力を有しかつ負の倍率を有する副群と最も像側の正の副群と、その２つの正の副群の間に負の副群とを有し、変倍時にそれぞれの相対位置が変化するタイプのズームレンズの何れかにおいて、前記２つの正の副群は接合レンズ成分、非球面を含み、ν＞８０（ν：アッベ数）の硝材を用いたレンズを少なくともそれぞれ１つ含むことを特徴とするズームレンズである。それにより、各群の色収差と球面収差、コマ収差をとることができ、広角端から望遠端まで良好な画像を得ることができる。なお、前記２つの正の副群の中間にある負の副群は、接合レンズを含んでいることがより好ましい。
【００５８】
本発明の第１２のズームレンズは、物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な正の副群を有し全体で７枚以上１１枚以下のレンズを有する後群とを含むタイプのズームレンズか、又は、物体側から順に、変倍時に光軸に沿って可動の正の屈折力を有する第１群と、広角端から望遠端へ変倍する際に光軸に沿って像側へ移動する負の屈折力を有する第２群と、少なくとも３つの変倍時に可変な間隔を有する後群とを含むタイプのズームレンズの何れかにおいて、後群の最も物体側の副群は負の屈折力を有するズームレンズである。
【００５９】
本発明のズームレンズにて、後群の最も像側の副群と撮像面との間にファインダー用光路分割部材を挿入する場合は、長いバックフォーカスを必要とする。したがって、無理にバックフォーカスを確保しようとすると、ペッツバール和が負になりやすい傾向にある。したがって、後群の最も物体側には負レンズ系の副群を配置するのが好ましい。なお、後群の最も物体側にある負の副群は１つのレンズ成分にて構成してもよい。また、絞り近傍に固定してもよい。ここで、レンズ成分とは、物体側と像側の空気接触面の間に空気間隔を有しないレンズで、単体の単レンズか接合レンズを意味する。
【００６０】
なお、前記２つの正の副群よりも物体側で、かつ、第２群よりも像側に負の副群と開口絞りとを配し、その間隔はその負の副群自身の光軸上の厚みの３倍以内であるのが好ましい。
【００６１】
また、後群の最物体側を負の屈折力の群とする場合、後群全体で７枚以上のレンズを用いることが好ましい。
【００６２】
本発明の上記ズームレンズは、物体側から順に、変倍時に光軸に沿って可動の正の屈折力を有する第１群と、光軸に沿って可動の負の屈折力を有する第２群と、それに続く屈折力が可変の後群とよりなり、以下の３つの条件の中の少なくとも１つ満足することが望ましい。
【００６３】
（12）    ２．０＜ＦBW／ｆW ＜５．０
（13）    １．４＜ＦW ＜３．5 
（14）    ２＜ＥＮＰ／Ｌ＜５
ただし、ＦBWは広角端無限物点合焦時のバックフォーカス（空気換算長）、ＦW は広角端無限物点合焦時の最小Ｆ値、ＥＮＰは広角端における入射瞳位置である。
【００６４】
これらの３つの条件のうち１つ以上満たすレンズ系について、本発明は有効な発明である。特に、本発明は、電子撮像素子を用いた撮像装置に好適である。特に、画素間隔ａが、
１．０×１０-4  ×Ｌ＜ａ＜６．０×１０-4×Ｌ（ｍｍ）
なる高画素の撮像素子を有する撮影装置（カメラ、ビデオムービー等）の結像光学系として使用すると、その高画素の画質を有効に利用した撮像装置が達成できる。
【００６５】
上記発明やズームレンズ、仕様条件の中、２つ以上の同時に満足するズームレンズであってもよい。これらの発明の２つ以上を同時に満足するとよりよい。満足する数が多ければ多いほどよい。
【００６６】
なお、何れのズームレンズタイプの場合でも、第２群は少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面とするのがよい。また、後群は、少なくとも２つの変倍時に可変な間隔を有する場合は、後群全体で７枚以上１１枚以下の構成とするのがよい。特に、後群全体で７枚以上９枚以下とし、さらに、非球面を２面使用した構成とすれば、高い結像性能を維持しつつ、サイズ的に有利な構成にできる。
【００６７】
また、上述の構成を複数組み合わせることにより、より効果が増すものである。
【発明の効果】
【００６８】
以上の説明から明らかなように、本発明によると、デジタルカメラのように有効撮像面のサイズが小さいカメラ用で、広角端の対角画角７０°以上の７倍乃至１０倍程度のＴＴＬ光学ファインダー対応の、しかも広角端でのＦ値が２．０乃至２．８程度と明るい広角高倍ズームレンズが実現できる。
【図面の簡単な説明】
【００６９】
【図１】本発明のズームレンズの実施例１の無限遠物点合焦時の広角端でのレンズ断面図である。
【図２】実施例２のズームレンズの図１と同様のレンズ断面図である。
【図３】実施例３のズームレンズの図１と同様のレンズ断面図である。
【図４】実施例４のズームレンズの図１と同様のレンズ断面図である。
【図５】実施例５のズームレンズの図１と同様のレンズ断面図である。
【図６】実施例６のズームレンズの図１と同様のレンズ断面図である。
【図７】実施例７のズームレンズの図１と同様のレンズ断面図である。
【図８】実施例８のズームレンズの図１と同様のレンズ断面図である。
【図９】実施例９のズームレンズの図１と同様のレンズ断面図である。
【図１０】実施例１０のズームレンズの図１と同様のレンズ断面図である。
【図１１】実施例１１のズームレンズの図１と同様のレンズ断面図である。
【図１２】実施例１２のズームレンズの図１と同様のレンズ断面図である。
【図１３】実施例１３のズームレンズの図１と同様のレンズ断面図である。
【図１４】実施例１４のズームレンズの図１と同様のレンズ断面図である。
【図１５】実施例１５のズームレンズの図１と同様のレンズ断面図である。
【図１６】実施例１６のズームレンズの図１と同様のレンズ断面図である。
【図１７】実施例１７のズームレンズの図１と同様のレンズ断面図である。
【図１８】実施例１８のズームレンズの図１と同様のレンズ断面図である。
【図１９】実施例１９のズームレンズの図１と同様のレンズ断面図である。
【図２０】実施例２０のズームレンズの図１と同様のレンズ断面図である。
【図２１】実施例２１のズームレンズの図１と同様のレンズ断面図である。
【図２２】実施例２２のズームレンズの図１と同様のレンズ断面図である。
【図２３】実施例２３のズームレンズの図１と同様のレンズ断面図である。
【図２４】実施例２４のズームレンズの図１と同様のレンズ断面図である。
【図２５】実施例２５のズームレンズの図１と同様のレンズ断面図である。
【図２６】実施例１の無限遠物点合焦時の収差図である。
【図２７】実施例２の無限遠物点合焦時の収差図である。
【図２８】実施例３の無限遠物点合焦時の収差図である。
【図２９】実施例４の無限遠物点合焦時の収差図である。
【図３０】実施例５の無限遠物点合焦時の収差図である。
【図３１】実施例６の無限遠物点合焦時の収差図である。
【図３２】実施例７の無限遠物点合焦時の収差図である。
【図３３】実施例８の無限遠物点合焦時の収差図である。
【図３４】実施例９の無限遠物点合焦時の収差図である。
【図３５】実施例１０の無限遠物点合焦時の収差図である。
【図３６】実施例１１の無限遠物点合焦時の収差図である。
【図３７】実施例１２の無限遠物点合焦時の収差図である。
【図３８】実施例１３の無限遠物点合焦時の収差図である。
【図３９】実施例１４の無限遠物点合焦時の収差図である。
【図４０】実施例１５の無限遠物点合焦時の収差図である。
【図４１】実施例１６の無限遠物点合焦時の収差図である。
【図４２】実施例１７の無限遠物点合焦時の収差図である。
【図４３】実施例１８の無限遠物点合焦時の収差図である。
【図４４】実施例１９の無限遠物点合焦時の収差図である。
【図４５】実施例２０の無限遠物点合焦時の収差図である。
【図４６】実施例２１の無限遠物点合焦時の収差図である。
【図４７】実施例２２の無限遠物点合焦時の収差図である。
【図４８】実施例２３の無限遠物点合焦時の収差図である。
【図４９】実施例２４の無限遠物点合焦時の収差図である。
【図５０】実施例２５の無限遠物点合焦時の収差図である。
【図５１】本発明によるズームレンズを組み込んだデジタルカメラの外観を示す前方斜視図である。
【図５２】図５１のデジタルカメラの後方斜視図である。
【図５３】図５１のデジタルカメラの断面図である。
【図５４】本発明によるズームレンズが対物光学系として組み込れたパソコンのカバーを開いた前方斜視図である。
【図５５】パソコンの撮影光学系の断面図である。
【図５６】図５４の状態の側面図である。
【図５７】本発明によるズームレンズが対物光学系として組み込れた携帯電話の正面図、側面図、その撮影光学系の断面図である。
【発明を実施するための形態】
【００７０】
以下、本発明のズームレンズの実施例１〜２５について説明する。これらの実施例の無限遠物点合焦時の広角端でのレンズ断面図をそれぞれ図１〜図２５に示す。各図中、第１群はＧ１、第２群はＧ２、第３群はＧ３、第４群はＧ４、第５群はＧ５、第６群はＧ６、ファインダー用光路分割プリズム（平行平板）、近赤外カットコートが設けられている光学的ローパスフィルター、電子撮像素子のＣＣＤのカバーガラスからなる平行平板群はＰ、像面はＩで示してあり、平行平板群Ｐは最終群と像面Ｉの間に固定配置されている。図１〜図２５中、各群の広角端から望遠端にかけての移動軌跡は矢印で模式的に示してある。なお、各実施例の数値データは後記する。
【００７１】
実施例１のズームレンズは、図１に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１
群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は像側に移動し、第６群Ｇ６は第５群Ｇ５との間隔を縮小しつつ物体側に凸の往復軌跡を描いて移動し、望遠端では広角端の位置より若干像側になる。そして、第６群Ｇ６を物体側に繰り出して近距離の被写体にフォーカスするようになっている。具体的には、例えば広角端において物体距離無限遠から０．３ｍにフォーカスするには、第５群Ｇ５と第６群Ｇ６の間隔が８．２６３２３ｍｍから８．１０７５３ｍｍになるように第６群Ｇ６を物体側に繰り出し、望遠端において物体距離無限遠から１．２８４ｍ（倍率１／２０）にフォーカスするには、第５群Ｇ５と第６群Ｇ６の間隔が５．０８５７４ｍｍから１．４５１１６ｍｍになるよう第６群Ｇ６を物体側に繰り出す。
【００７２】
実施例１の第１群Ｇ１は、物体側に凸面を向けた負メニスカスレンズと、両凸レンズと、物体側に凸面を向けた正メニスカスレンズとからなり、第２群Ｇ２は、両凹レンズと、薄い樹脂層を物体側に設け非球面化した両凹レンズと、像側に凸面を向けた負メニスカスレンズと像側に凸面を向けた正メニスカスレンズの接合レンズとからなり、第３群Ｇ３は、像側に凸面を向けた負メニスカスレンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の両凹レンズの樹脂層の物体側の面、第４群Ｇ４の両凸レンズの物体側の面、第６群Ｇ６の両凸レンズの物体側の面の３面に用いられている。
【００７３】
実施例２のズームレンズは、図２に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は物体側に凸の往復軌跡を描きつつ移動し、望遠端では広角端の位置より像側になり、第６群Ｇ６は第５群Ｇ５との間隔を一旦縮小しその後若干拡大するように物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を７．７９９８ｍｍ、望遠端における近距離合焦時は第５群Ｇ５と第６群Ｇ６の間隔を２．２７３０ｍｍとしている。
【００７４】
実施例２の第１群Ｇ１は、物体側に凸面を向けた負メニスカスレンズと、物体側に凸面を向けた正メニスカスレンズ２枚とからなり、第２群Ｇ２は、両凹レンズと、薄い樹脂層を像側に設け非球面化した両凹レンズと、像側に凸面を向けた負メニスカスレンズと像側に凸面を向けた正メニスカスレンズの接合レンズとからなり、第３群Ｇ３は、像側に凸面を向けた負メニスカスレンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、像側に凸面を向けた正メニスカスレンズと像側に凸面を向けた負メニスカスレンズの接合レンズとからなる。非球面は、第２群Ｇ２の両凹レンズの樹脂層の像側の面、第４群Ｇ４の両凸レンズの物体側の面、第６群Ｇ６の両凸レンズの物体側の面の３面に用いられている。
【００７５】
実施例３のズームレンズは、図３に示すように、正屈折力の第１群Ｇ１、負屈折力の第
２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は物体側に凸の往復軌跡を描きつつ移動し、望遠端では広角端の位置より若干物体側になり、第６群Ｇ６は第５群Ｇ５との間隔を一旦縮小しその後若干拡大するように物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を７．６７２６ｍｍ、望遠端における近距離合焦時は第５群Ｇ５と第６群Ｇ６の間隔を３．１１１２ｍｍとしている。
【００７６】
実施例３の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、両凹レンズと、薄い樹脂層を像側に設け非球面化した物体側に凸面を向けた正メニスカスレンズと、像側に凸面を向けた正メニスカスレンズとからなり、第３群Ｇ３は、物体側に凸面を向けた負メニスカスレンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の物体側に凸面を向けた正メニスカスレンズの樹脂層の像側の面、第４群Ｇ４の両凸レンズの物体側の面、第６群Ｇ６の両凸レンズの像側の面の３面に用いられている。
【００７７】
実施例４のズームレンズは、図４に示すように、正屈折力の第１群Ｇ１、負屈折力の第２群Ｇ２、固定の開口絞り、正屈折力の第３群Ｇ３、負屈折力の第４群Ｇ４、正屈折力の第５群Ｇ５からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は物体側に移動し、第４群Ｇ４は物体側に凸の往復軌跡を描きつつ移動し、望遠端では広角端の位置より若干物体側になり、第５群Ｇ５は第４群Ｇ４との間隔を一旦拡大しその後若干縮小するように物体側に凸の往復軌跡を描いて移動し、望遠端では広角端の位置より若干物体側になる。そして、第５群Ｇ５を物体側に繰り出して近距離の被写体にフォーカスするようになっている。具体的には、広角端における近距離合焦時は第４群Ｇ４と第５群Ｇ５の間隔を３．０８４３ｍｍ、望遠端における近距離合焦時は第４群Ｇ４と第５群Ｇ５の間隔を２．２５７２ｍｍとしている。
【００７８】
実施例４の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、両凹レンズと、像側に凸面を向けた正メニスカスレンズと両凹レンズの接合レンズと、両凸レンズとからなり、固定の絞りを挟んで、第３群Ｇ３は、両凸レンズと、両凸レンズと像側に凸面を向けた負メニスカスレンズの接合レンズとからなり、第４群Ｇ４は、像側に凸面を向けた正メニスカスレンズと両凹レンズの接合レンズからなり、第５群Ｇ５は、両凸レンズと、両凸レンズと像側に凸面を向けた負メニスカスレンズの接合レンズとからなる。非球面は、第２群Ｇ２の接合レンズの物体側の面、第３群Ｇ３の両凸レンズの物体側の面、第５群Ｇ５の両凸レンズの物体側の面の３面に用いられている。
【００７９】
実施例５のズームレンズは、図５に示すように、正屈折力の第１群Ｇ１、負屈折力の第２群Ｇ２、固定の開口絞り、正屈折力の第３群Ｇ３、負屈折力の第４群Ｇ４、正屈折力の第５群Ｇ５からなり、無限遠物点合焦時に広角端から望遠端に変倍する際は、第１群Ｇ１
は像側に凸の往復軌跡を描きつつ移動し、望遠端では広角端の位置より物体側になり、第２群Ｇ２は像側に移動し、第３群Ｇ３は物体側に移動し、第４群Ｇ４は物体側に凸の往復軌跡を描きつつ移動し、望遠端では広角端の位置より若干物体側になり、第５群Ｇ５は第４群Ｇ４との間隔を一旦拡大しその後若干縮小するように物体側に移動する。そして、第５群Ｇ５を物体側に繰り出して近距離の被写体にフォーカスするようになっている。具体的には、広角端における近距離合焦時は第４群Ｇ４と第５群Ｇ５の間隔を４．２０６３ｍｍ、望遠端における近距離合焦時は第４群Ｇ４と第５群Ｇ５の間隔を２．００６ｍｍとしている。
【００８０】
実施例５の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、両凹レンズと、像側に凸面を向けた正メニスカスレンズと両凹レンズの接合レンズと、両凸レンズとからなり、固定の絞りを挟んで、第３群Ｇ３は、両凸レンズと、像側に凸面を向けた負メニスカスレンズとからなり、第４群Ｇ４は、像側に凸面を向けた正メニスカスレンズと両凹レンズの接合レンズからなり、第５群Ｇ５は、物体側に凸面を向けた負メニスカスレンズと物体側に凸面を向けた正メニスカスレンズの接合レンズと、両凸レンズと、物体側に凸面を向けた正メニスカスレンズとからなる。非球面は、第２群Ｇ２の接合レンズの物体側の面、第３群Ｇ３の両凸レンズの物体側の面、第５群Ｇ５の両凸レンズの像側の面の３面に用いられている。
【００８１】
実施例６のズームレンズは、図６に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて第２群Ｇ２との間隔を縮小しながら像側に移動し、第４群Ｇ４は物体側に移動し、第５群Ｇ５は物体側に凸の往復軌跡を描きつつ移動し、望遠端では広角端の位置より像側になり、第６群Ｇ６は第５群Ｇ５との間隔を縮小しながら物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を７．９６８１ｍｍ、望遠端における近距離合焦時は第５群Ｇ５と第６群Ｇ６の間隔を１．７６５５ｍｍとしている。
【００８２】
実施例６の第１群Ｇ１は、物体側に凸面を向けた負メニスカスレンズと、両凸レンズと、物体側に凸面を向けた正メニスカスレンズとからなり、第２群Ｇ２は、両凹レンズと、薄い樹脂層を物体側に設け非球面化した両凹レンズと、像側に凸面を向けた負メニスカスレンズと像側に凸面を向けた正メニスカスレンズの接合レンズとからなり、第３群Ｇ３は、像側に凸面を向けた負メニスカスレンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の両凹レンズの樹脂層の物体側の面、第４群Ｇ４の両凸レンズの物体側の面、第６群Ｇ６の両凸レンズの物体側の面の３面に用いられている。
【００８３】
実施例７のズームレンズは、図７に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて第２群
Ｇ２との間隔を縮小しながら像側に移動し、第４群Ｇ４は物体側に移動し、第５群Ｇ５と第６群Ｇ６は一体で物体側に凸の往復軌跡を描きつつ移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を７．４２４９ｍｍ、望遠端における近距離合焦時は第５群Ｇ５と第６群Ｇ６の間隔を３．９２０１ｍｍとしている。
【００８４】
実施例７の第１群Ｇ１は、物体側に凸面を向けた負メニスカスレンズと、両凸レンズと、物体側に凸面を向けた正メニスカスレンズとからなり、第２群Ｇ２は、物体側に凸面を向けた負メニスカスレンズと、薄い樹脂層を物体側に設け非球面化した両凹レンズと、像側に凸面を向けた負メニスカスレンズと像側に凸面を向けた正メニスカスレンズの接合レンズとからなり、第３群Ｇ３は、像側に凸面を向けた負メニスカスレンズと、絞りとからなり、第４群Ｇ４は、両凸レンズと、両凹レンズと両凸レンズの接合レンズとからなり、第５群Ｇ５は、両凹レンズと物体側に凸面を向けた正メニスカスレンズの接合レンズからなり、第６群Ｇ６は、両凸レンズと、像側に凸面を向けた正メニスカスレンズと像側に凸面を向けた負メニスカスレンズの接合レンズとからなる。非球面は、第２群Ｇ２の両凹レンズの樹脂層の物体側の面、第４群Ｇ４の両凸レンズの物体側の面、第６群Ｇ６の両凸レンズの物体側の面の３面に用いられている。
【００８５】
実施例８のズームレンズは、図８に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は物体側に開口絞りを一体に有していて固定であり、第４群Ｇ４は物体側に移動し、第５群Ｇ５は固定であり、第６群Ｇ６は物体側に移動する。そして、第６群Ｇ６を物体側に繰り出して近距離の被写体にフォーカスするようになっている。具体的には、広角端における近距離合焦時は第５群Ｇ５と第６群Ｇ６の間隔を８．５１９８ｍｍ、望遠端における近距離合焦時は第５群Ｇ５と第６群Ｇ６の間隔を１．３７４１ｍｍとしている。
【００８６】
実施例８の第１群Ｇ１は、物体側に凸面を向けた負メニスカスレンズと、両凸レンズと、物体側に凸面を向けた正メニスカスレンズとからなり、第２群Ｇ２は、両凹レンズと、薄い樹脂層を物体側に設け非球面化した両凹レンズと、両凹レンズと両凸レンズの接合レンズとからなり、第３群Ｇ３は、絞りと、像側に凸面を向けた負メニスカスレンズとからなり、第４群Ｇ４は、物体側に凸面を向けた正メニスカスレンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の両凹レンズの樹脂層の物体側の面、第４群Ｇ４の両凸レンズの物体側の面、第６群Ｇ６の両凸レンズの物体側の面の３面に用いられている。
【００８７】
実施例９のズームレンズは、図９に示すように、正屈折力の第１群Ｇ１、負屈折力の第２群Ｇ２、固定の開口絞り、正屈折力の第３群Ｇ３、正屈折力の第４群Ｇ４からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は物体側に移動し、第４群Ｇ４は第３群Ｇ３との間隔を拡大しながら物体側に移動する。そして、第４群Ｇ４を物体側に繰り出して近距離の被写体にフォーカスするようになっている。具体的には、広角端における近距離合焦時は第３群Ｇ３と第４群Ｇ４の間隔を１．３３９７ｍｍ、望遠端における近距離合焦時は第３群Ｇ３と第４群Ｇ４の間隔を１５．０８５４ｍｍとしている。
【００８８】
実施例９の第１群Ｇ１は、物体側に凸面を向けた負メニスカスレンズと、両凸レンズと、物体側に凸面を向けた正メニスカスレンズとからなり、第２群Ｇ２は、物体側に凸面を向けた負メニスカスレンズと、薄い樹脂層を像側に設け非球面化した両凹レンズと、物体側に凸面を向けた負メニスカスレンズと両凸レンズの接合レンズとからなり、固定の絞りを挟んで、第３群Ｇ３は、物体側に凸面を向けた正メニスカスレンズと、物体側に凸面を向けた負メニスカスレンズと両凸レンズの接合レンズとからなり、第４群Ｇ４は、両凸レンズと両凹レンズの接合レンズと、像側に凸面を向けた正メニスカスレンズと、両凸レンズと両凹レンズの接合レンズとからなる。非球面は、第２群Ｇ２の両凹レンズの樹脂層の像側の面、第３群Ｇ３の正メニスカスレンズの物体側の面、第４群Ｇ４の正メニスカスレンズの物体側の面の３面に用いられている。
【００８９】
実施例１０のズームレンズは、図１０に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は物体側に凸の往復軌跡を描きつつ移動し、望遠端では広角端の位置より像側になり、第６群Ｇ６は第５群Ｇ５との間隔を縮小しながら物体側に凸の往復軌跡を描いて移動し、望遠端では広角端の位置より若干像側になる。そして、第６群Ｇ６を物体側に繰り出して近距離の被写体にフォーカスするようになっている。具体的には、広角端における近距離合焦時は第５群Ｇ５と第６群Ｇ６の間隔を８．１２４６ｍｍ、望遠端における近距離合焦時は第５群Ｇ５と第６群Ｇ６の間隔を２．３１７５ｍｍとしている。
【００９０】
実施例１０の第１群Ｇ１は、物体側に凸面を向けた負メニスカスレンズと、両凸レンズと、物体側に凸面を向けた正メニスカスレンズとからなり、第２群Ｇ２は、薄い樹脂層を像側に設け非球面化した両凹レンズと、両凹レンズと、像側に凸面を向けた負メニスカスレンズと、両凸レンズ２枚とからなり、第３群Ｇ３は、像側に凸面を向けた負メニスカスレンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の両凹レンズの樹脂層の像側の面、第４群Ｇ４の両凸レンズの物体側の面、第６群Ｇ６の両凸レンズの物体側の面の３面に用いられている。
【００９１】
実施例１１のズームレンズは、図１１に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は物体側に凸の往復軌跡を描きつつ移動し、望遠端では広角端の位置より物体側になり、第６群Ｇ６は第５群Ｇ５との間隔を一旦縮小しその後若干拡大するように物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を６．６９１１ｍｍ、望遠端における近距離合焦時は第５群Ｇ５と第６群Ｇ６の間隔を３．０７００ｍｍとしている。
【００９２】
実施例１１の第１群Ｇ１は、物体側に凸面を向けた負メニスカスレンズと、物体側に凸
面を向けた正メニスカスレンズ２枚とからなり、第２群Ｇ２は、物体側に凸面を向けた負メニスカスレンズと、両凹レンズ２枚と、両凸レンズとからなり、第３群Ｇ３は、物体側に凸面を向けた負メニスカスレンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の両凸レンズの像側の面、第４群Ｇ４の両凸レンズの物体側の面、第６群Ｇ６の両凸レンズの像側の面の３面に用いられている。
【００９３】
実施例１２のズームレンズは、図１２に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は物体側に凸の往復軌跡を描きつつ移動し、望遠端では広角端の位置より物体側になり、第６群Ｇ６は第５群Ｇ５との間隔を一旦縮小しその後若干拡大するように物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を６．０１６７ｍｍ、望遠端における近距離合焦時は第５群Ｇ５と第６群Ｇ６の間隔を２．１１５６ｍｍとしている。
【００９４】
実施例１２の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、両凹レンズ２枚と、両凸レンズとからなり、第３群Ｇ３は、両凹レンズと、絞りとからなり、第４群Ｇ４は、両凸レンズと、物体側に凸面を向けた負メニスカスレンズと物体側に凸面を向けた正メニスカスレンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の２番目の両凹レンズの物体側の面、第４群Ｇ４の両凸レンズの物体側の面、第６群Ｇ６の両凸レンズの像側の面の３面に用いられている。
【００９５】
実施例１３のズームレンズは、図１３に示すように、正屈折力の第１群Ｇ１、負屈折力の第２群Ｇ２、正屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は物体側に開口絞りを一体に有していて固定であり、第４群Ｇ４は物体側に移動し、第５群Ｇ５は物体側に凸の往復軌跡を描きつつ移動し、望遠端では広角端の位置より物体側になり、第６群Ｇ６は第５群Ｇ５との間隔を縮小しつつ物体側に移動する。そして、第６群Ｇ６を物体側に繰り出して近距離の被写体にフォーカスするようになっている。具体的には、広角端における近距離合焦時は第５群Ｇ５と第６群Ｇ６の間隔を７．３３５４ｍｍ、望遠端における近距離合焦時は第５群Ｇ５と第６群Ｇ６の間隔を１．７３８６ｍｍとしている。
【００９６】
実施例１３の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、両凹レンズと、薄い樹脂層を物体側に設け非球面化した両凹レンズと、両凸レンズとからなり、第３群Ｇ３は、絞りと、両凸レンズとからなり、第４群Ｇ４は、両凸レンズと、物体側に凸面を向けた負メニスカスレンズと両凸レンズの接合レンズ
とからなり、第５群Ｇ５は、両凹レンズと物体側に凸面を向けた正メニスカスレンズの接合レンズからなり、第６群Ｇ６は、両凸レンズと、像側に凸面を向けた正メニスカスレンズと像側に凸面を向けた負メニスカスレンズの接合レンズとからなる。非球面は、第２群Ｇ２の両凹レンズの樹脂層の物体側の面、第４群Ｇ４の両凸レンズの物体側の面、第６群Ｇ６の両凸レンズの物体側の面の３面に用いられている。
【００９７】
実施例１４のズームレンズは、図１４に示すように、正屈折力の第１群Ｇ１、負屈折力の第２群Ｇ２、固定の開口絞り、正屈折力の第３群Ｇ３、負屈折力の第４群Ｇ４、正屈折力の第５群Ｇ５からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は物体側に移動し、第４群Ｇ４は物体側に移動し、第５群Ｇ５は第４群Ｇ４との間隔を縮小しつつ物体側に移動する。そして、第５群Ｇ５を物体側に繰り出して近距離の被写体にフォーカスするようになっている。具体的には、広角端における近距離合焦時は第４群Ｇ４と第５群Ｇ５の間隔を７．５４１６ｍｍ、望遠端における近距離合焦時は第４群Ｇ４と第５群Ｇ５の間隔を０．５５０３ｍｍとしている。
【００９８】
実施例１４の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、両凹レンズと、両凹レンズと物体側に凸面を向けた負メニスカスレンズの接合レンズと、両凸レンズとからなり、固定の絞りを挟んで、第３群Ｇ３は、両凸レンズと、物体側に凸面を向けた負メニスカスレンズと両凸レンズの接合レンズとからなり、第４群Ｇ４は、両凹レンズと物体側に凸面を向けた正メニスカスレンズの接合レンズからなり、第５群Ｇ５は、両凸レンズと、像側に凸面を向けた正メニスカスレンズと像側に凸面を向けた負メニスカスレンズの接合レンズとからなる。非球面は、第２群Ｇ２の接合レンズの物体側の面、第３群Ｇ３の両凸レンズの物体側の面、第５群Ｇ５の両凸レンズの物体側の面の３面に用いられている。
【００９９】
実施例１５のズームレンズは、図１５に示すように、正屈折力の第１群Ｇ１、負屈折力の第２群Ｇ２、固定の開口絞り、正屈折力の第３群Ｇ３、負屈折力の第４群Ｇ４、正屈折力の第５群Ｇ５からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は物体側に移動し、第４群Ｇ４は物体側に移動し、第５群Ｇ５は第４群Ｇ４との間隔を縮小しつつ物体側に移動する。そして、第５群Ｇ５を物体側に繰り出して近距離の被写体にフォーカスするようになっている。具体的には、広角端における近距離合焦時は第４群Ｇ４と第５群Ｇ５の間隔を７．８９２３ｍｍ、望遠端における近距離合焦時は第４群Ｇ４と第５群Ｇ５の間隔を２．３１２８ｍｍとしている。
【０１００】
実施例１５の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、両凹レンズと、薄い樹脂層を物体側に設け非球面化した両凹レンズと、両凸レンズとからなり、固定の絞りを挟んで、第３群Ｇ３は、両凸レンズと、物体側に凸面を向けた負メニスカスレンズと両凸レンズの接合レンズとからなり、第４群Ｇ４は、両凹レンズと物体側に凸面を向けた正メニスカスレンズの接合レンズからなり、第５群Ｇ５は、両凸レンズと、物体側に凸面を向けた負メニスカスレンズと両凸レンズの接合レンズとからなる。非球面は、第２群Ｇ２の両凹レンズの樹脂層の物体側の面、第３群Ｇ３の両凸レンズの物体側の面、第５群Ｇ５の両凸レンズの物体側の面の３面に用いられている。
【０１０１】
実施例１６のズームレンズは、図１６に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は物体側に凸の往復軌跡を描きつつ移動し、望遠端では広角端の位置より物体側になり、第６群Ｇ６は第５群Ｇ５との間隔を一旦縮小しその後若干拡大するように物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を７．６９６１ｍｍ、望遠端における近距離合焦時は第５群Ｇ５と第６群Ｇ６の間隔を３．０９６８ｍｍとしている。
【０１０２】
実施例１６の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、両凹レンズと、両凸レンズと、像側に凸面を向けた負メニスカスレンズとからなり、第３群Ｇ３は、両凹レンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の両凹レンズの物体側の面、第４群Ｇ４の両凸レンズの物体側の面、第６群Ｇ６の両凸レンズの像側の面の３面に用いられている。
【０１０３】
実施例１７のズームレンズは、図１７に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は物体側に凸の往復軌跡を描きつつ移動し、望遠端では広角端の位置より物体側になり、第６群Ｇ６は第５群Ｇ５との間隔を一旦縮小しその後若干拡大するように物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を６．００７９ｍｍ、望遠端における近距離合焦時は第５群Ｇ５と第６群Ｇ６の間隔を２．６０３９ｍｍとしている。
【０１０４】
実施例１７の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、両凹レンズ２枚と、両凸レンズとからなり、第３群Ｇ３は、両凹レンズと物体側に凸面を向けた正メニスカスレンズの接合レンズと、絞りとからなり、第４群Ｇ４は、両凸レンズと、物体側に凸面を向けた負メニスカスレンズと物体側に凸面を向けた正メニスカスレンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の２番目両凹レンズの物体側の面、第４群Ｇ４の両凸レンズの物体側の面、第６群Ｇ６の両凸レンズの像側の面の３面に用いられている。
【０１０５】
実施例１８のズームレンズは、図１８に示すように、正屈折力の第１群Ｇ１、負屈折力の第２群Ｇ２、負屈折力の第３群Ｇ３、正屈折力の第４群Ｇ４、負屈折力の第５群Ｇ５、
正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は物体側に凸の往復軌跡を描きつつ移動し、望遠端では広角端の位置より物体側になり、第６群Ｇ６は第５群Ｇ５との間隔を一旦縮小しその後若干拡大するように物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を６．０１７７ｍｍ、望遠端における近距離合焦時は第５群Ｇ５と第６群Ｇ６の間隔を２．２９８３ｍｍとしている。
【０１０６】
実施例１８の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、両凹レンズ２枚と、両凸レンズとからなり、第３群Ｇ３は、平凹レンズと、絞りとからなり、第４群Ｇ４は、両凸レンズと、物体側に凸面を向けた負メニスカスレンズと物体側に凸面を向けた正メニスカスレンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の２番目の両凹レンズの物体側の面、第３群Ｇ３の平凹レンズの像側の面、第４群Ｇ４の両凸レンズの物体側の面、第６群Ｇ６の両凸レンズの像側の面の４面に用いられている。
【０１０７】
実施例１９のズームレンズは、図１９に示すように、正屈折力の第１群Ｇ１、負屈折力の第２群Ｇ２、固定の開口絞り、正屈折力の第３群Ｇ３、正屈折力の第４群Ｇ４からなり、無限遠物点合焦時に広角端から望遠端に変倍する際は、第１群Ｇ１は像側に凸の往復軌跡を描きつつ移動し、望遠端では広角端の位置より像側になり、第２群Ｇ２は像側に移動し、第３群Ｇ３は物体側に移動し、第４群Ｇ４は第３群Ｇ３との間隔を拡大しながら物体側に移動する。そして、第４群Ｇ４を物体側に繰り出して近距離の被写体にフォーカスするようになっている。
【０１０８】
実施例１９の第１群Ｇ１は、物体側に凸面を向けた負メニスカスレンズと両凸レンズの接合レンズと、物体側に凸面を向けた正メニスカスレンズとからなり、第２群Ｇ２は、物体側に凸面を向けた負メニスカスレンズと、両凹レンズと、両凸レンズ２枚とからなり、固定の絞りを挟んで、第３群Ｇ３は、両凸レンズと、物体側に凸面を向けた正メニスカスレンズと物体側に凸面を向けた負メニスカスレンズの接合レンズとからなり、第４群Ｇ４は、物体側に凸面を向けた正メニスカスレンズと、物体側に凸面を向けた負メニスカスレンズと両凸レンズの接合レンズとからなる。非球面は、第２群Ｇ２の両凹レンズの像側の面、第３群Ｇ３の両凸レンズの物体側の面、第４群Ｇ４の最も像側の面の３面に用いられている。  実施例２０のズームレンズは、図２０に示すように、正屈折力の第１群Ｇ１、負屈折力の第２群Ｇ２、固定の開口絞り、正屈折力の第３群Ｇ３、負屈折力の第４群Ｇ４、正屈折力の第５群Ｇ５からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は物体側に移動し、第４群Ｇ４は第３群Ｇ４との間隔を拡大しながら物体側に移動し、第５群Ｇ５は第４群Ｇ４との間隔を一旦縮小しその後若干拡大するように物体側に移動する。そして、第５群Ｇ５を物体側に繰り出して近距離の被写体にフォーカスするようになっている。
【０１０９】
実施例２０の第１群Ｇ１は、物体側に凸面を向けた負メニスカスレンズと両凸レンズの接合レンズと、物体側に凸面を向けた正メニスカスレンズとからなり、第２群Ｇ２は、物体側に凸面を向けた負メニスカスレンズと、両凹レンズと、物体側に凸面を向けた負メニ
スカスレンズと両凸レンズの接合レンズとからなり、固定の絞りを挟んで、第３群Ｇ３は、両凸レンズと、両凸レンズと両凹レンズの接合レンズとからなり、第４群Ｇ４は、像側に凸面を向けた正メニスカスレンズと両凹レンズの接合レンズからなり、第５群Ｇ５は、両凹レンズと両凸レンズの接合レンズと、両凸レンズとからなる。非球面は、第２群Ｇ２の負メニスカスレンズの像側の面、第３群Ｇ３の接合レンズの最も物体側の面、第５群Ｇ５の接合レンズの最も像側の面の３面に用いられている。
【０１１０】
実施例２１のズームレンズは、図２１に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より像側になり、第２群Ｇ２は像側に移動し、第３群Ｇ３は物体側に開口絞りを一体に有していて固定であり、第４群Ｇ４は物体側に移動し、第５群Ｇ５は第４群Ｇ４との間隔を拡大するように物体側に移動し、第６群Ｇ６は第５群Ｇ５との間隔を一旦若干拡大しその後若干縮小するように物体側に移動する。そして、第６群Ｇ６を物体側に繰り出して近距離の被写体にフォーカスするようになっている。
【０１１１】
実施例２１の第１群Ｇ１は、物体側に凸面を向けた負メニスカスレンズと両凸レンズの接合レンズと、物体側に凸面を向けた正メニスカスレンズとからなり、第２群Ｇ２は、物体側に凸面を向けた負メニスカスレンズと、両凹レンズ２枚と、両凸レンズとからなり、第３群Ｇ３は、絞りと、像側に凸面を向けた負メニスカスレンズとからなり、第４群Ｇ４は、物体側に凸面を向けた正メニスカスレンズと、両凸レンズと両凹レンズの接合レンズとからなり、第５群Ｇ５は、物体側に凸面を向けた正メニスカスレンズと物体側に凸面を向けた負メニスカスレンズの接合レンズからなり、第６群Ｇ６は、両凸レンズと、像側に凸面を向けた負メニスカスレンズと両凸レンズの接合レンズとからなる。非球面は、第２群Ｇ２の負メニスカスレンズの像側の面、第４群Ｇ４の接合レンズの最も物体側の面、第６群Ｇ６の両凸レンズの像側の面の３面に用いられている。
【０１１２】
実施例２２のズームレンズは、図２２に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は像側に移動し、第６群Ｇ６は第５群Ｇ５との間隔を縮小しつつ物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を１０．６６７９ｍｍ、望遠端における近距離合焦時は第５群Ｇ５と第６群Ｇ６の間隔を１．０７７６ｍｍとしている。
【０１１３】
実施例２２の第１群Ｇ１は、物体側に凸面を向けた負メニスカスレンズと、両凸レンズと、物体側に凸面を向けた正メニスカスレンズとからなり、第２群Ｇ２は、物体側に凸面を向けた負メニスカスレンズと、薄い樹脂層を物体側に設け非球面化した両凹レンズと、像側に凸面を向けた負メニスカスレンズと像側に凸面を向けた正メニスカスレンズの接合レンズとからなり、第３群Ｇ３は、像側に凸面を向けた負メニスカスレンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の両凹レンズの樹脂層の物体側の面、第４群Ｇ４の両凸レンズの物体側の面、第６群Ｇ６の両
凸レンズの物体側の面の３面に用いられている。
【０１１４】
実施例２３のズームレンズは、図２３に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は像側に移動し、第６群Ｇ６は第５群Ｇ５との間隔を縮小しつつ物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を９．３９９８ｍｍ、望遠端における近距離合焦時は第５群Ｇ５と第６群Ｇ６の間隔を０．９５１６ｍｍとしている。
【０１１５】
実施例２３の第１群Ｇ１は、物体側に凸面を向けた負メニスカスレンズと、物体側に凸面を向けた正メニスカスレンズ２枚とからなり、第２群Ｇ２は、物体側に凸面を向けた負メニスカスレンズと、像側に凸面を向けた負メニスカスレンズと、像側に凸面を向けた負メニスカスレンズと像側に凸面を向けた正メニスカスレンズの接合レンズとからなり、第３群Ｇ３は、像側に凸面を向けた負メニスカスレンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の像側に凸面を向けた負メニスカスレンズの物体側の面、第４群Ｇ４の両凸レンズの物体側の面、第６群Ｇ６の両凸レンズの物体側の面の３面に用いられている。
【０１１６】
実施例２４のズームレンズは、図２４に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は像側に移動し、第６群Ｇ６は第５群Ｇ５との間隔を縮小しつつ物体側に凸の往復軌跡を描いて移動し、望遠端では広角端の位置より若干物体側になる。そして、第６群Ｇ６を物体側に繰り出して近距離の被写体にフォーカスするようになっている。具体的には、広角端における近距離合焦時は第５群Ｇ５と第６群Ｇ６の間隔を９．７３４７１ｍｍ、望遠端における近距離合焦時は第５群Ｇ５と第６群Ｇ６の間隔を０．８５３１ｍｍとしている。
【０１１７】
実施例２４の第１群Ｇ１は、物体側に凸面を向けた負メニスカスレンズと、両凸レンズと、物体側に凸面を向けた正メニスカスレンズとからなり、第２群Ｇ２は、物体側に凸面を向けた負メニスカスレンズと、像側に凸面を向けた負メニスカスレンズと、像側に凸面を向けた負メニスカスレンズと像側に凸面を向けた正メニスカスレンズの接合レンズとからなり、第３群Ｇ３は、像側に凸面を向けた負メニスカスレンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の像側に凸面を向けた負メニスカスレンズの像側の面、第４群Ｇ４の両凸レンズの物体側の面、第６群Ｇ６の両凸レンズの物体側の面の３面に用いられている。
【０１１８】
実施例２５のズームレンズは、図２５に示すように、正屈折力の第１群Ｇ１、負屈折力の第２群Ｇ２、負屈折力の第３群Ｇ３、正屈折力の第４群Ｇ４、負屈折力の第５群Ｇ５、正屈折力の第６群Ｇ６からなり、無限遠物点合焦時に広角端から望遠端に変倍する際は、第１群Ｇ１は像側に凸の往復軌跡を描きつつ移動し、望遠端では広角端の位置より物体側になり、第２群Ｇ２は像側に移動し、第３群Ｇ３は像側に開口絞りを一体に有していて固定であり、第４群Ｇ４は物体側に移動し、第５群Ｇ５は像側に移動し、第６群Ｇ６は第５群Ｇ５との間隔を縮小しつつ物体側に凸の往復軌跡を描いて移動し、望遠端では広角端の位置より若干像側になる。そして、第６群Ｇ６を物体側に繰り出して近距離の被写体にフォーカスするようになっている。具体的には、広角端における近距離合焦時は第５群Ｇ５と第６群Ｇ６の間隔を７．９９１４ｍｍ、望遠端における近距離合焦時は第５群Ｇ５と第６群Ｇ６の間隔を１．４７２６ｍｍとしている。
【０１１９】
実施例２５の第１群Ｇ１は、物体側に凸面を向けた負メニスカスレンズと、両凸レンズと、物体側に凸面を向けた正メニスカスレンズとからなり、第２群Ｇ２は、物体側に凸面を向けた負メニスカスレンズと、両凹レンズと、両凹レンズと両凸レンズの接合レンズとからなり、第３群Ｇ３は、像側に凸面を向けた負メニスカスレンズと、絞りとからなり、第４群Ｇ４は、両凸レンズと、物体側に凸面を向けた負メニスカスレンズと両凸レンズの接合レンズとからなり、第５群Ｇ５は、両凹レンズと物体側に凸面を向けた正メニスカスレンズの接合レンズからなり、第６群Ｇ６は、両凸レンズと、両凸レンズと像側に凸面を向けた負メニスカスレンズの接合レンズとからなる。非球面は、第２群Ｇ２の接合レンズの最も像側の面、第４群Ｇ４の両凸レンズの物体側の面、第６群Ｇ６の両凸レンズの物体側の面の３面に用いられている。
【０１２０】
以上の実施例において、合焦時の繰り出し量を具体例より大きくしてより近距離に合焦できるようにしてもよい。
【０１２１】
以下に、上記各実施例の数値データを示すが、記号は上記の外、ｆは全系焦点距離、ωは半画角、ＦNOはＦナンバー、Ｗは広角端、ＷＳは広角端と標準状態の中間状態（広角端と標準状態の相乗平均）、Ｓは標準状態、ＳＴは標準状態と望遠端の中間状態（標準状態と望遠端の相乗平均）、Ｔは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１２２】
ｘ＝（ｙ2 ／ｒ）／［１＋｛１−（Ｋ＋１）（ｙ／ｒ）2 ｝1/2 ］
＋A4ｙ4 ＋A6ｙ6 ＋A8ｙ8 ＋ A10ｙ10 
ただし、ｒは近軸曲率半径、Ｋは円錐係数、A4、A6、A8、A10 はそれぞれ４次、６次、８次、１０次の非球面係数である。
【０１２３】
（実施例１）
ｒ1 =   144.6796            ｄ1 =   2.6000  ｎd1 =1.84666 νd1 =23.78 
ｒ2 =    82.7855            ｄ2 =   0.2000  
ｒ3 =    86.4734            ｄ3 =   6.6250  ｎd2 =1.49700 νd2 =81.54 
ｒ4 =  -587.8788            ｄ4 =   0.2000  
ｒ5 =    67.2317            ｄ5 =   4.9655  ｎd3 =1.69680 νd3 =55.53 
ｒ6 =   245.5595            ｄ6 = （可変）  
ｒ7 = -2.080×104           ｄ7 =   1.7000  ｎd4 =1.77250 νd4 =49.60 
ｒ8 =    17.9014            ｄ8 =   8.5657  
ｒ9 =   -66.4539（非球面）  ｄ9 =   0.2000  ｎd5 =1.53508 νd5 =40.94 
ｒ10=  -145.6382            ｄ10=   1.3000  ｎd6 =1.77250 νd6 =49.60 
ｒ11=   275.5575            ｄ11=   4.1902  
ｒ12=   -23.6269            ｄ12=   1.1790  ｎd7 =1.48749 νd7 =70.23 
ｒ13=  -120.2094            ｄ13=   4.4826  ｎd8 =1.84666 νd8 =23.78 
ｒ14=   -36.0216            ｄ14= （可変）  
ｒ15=   -13.3441            ｄ15=   1.3000  ｎd9 =1.77250 νd9 =49.60 
ｒ16=   -14.7782            ｄ16=   1.0476  
ｒ17=     ∞（絞り）        ｄ17= （可変）  
ｒ18=    22.2411（非球面）  ｄ18=   5.1519  ｎd10=1.49700 νd10=81.54 
ｒ19=   -44.3261            ｄ19=   0.1026  
ｒ20=    66.0894            ｄ20=   1.1010  ｎd11=1.80610 νd11=40.92 
ｒ21=    17.8460            ｄ21=   5.1279  ｎd12=1.49700 νd12=81.54 
ｒ22=   -87.9421            ｄ22= （可変）  
ｒ23=   -55.9458            ｄ23=   0.9000  ｎd13=1.51633 νd13=64.14 
ｒ24=    13.4125            ｄ24=   3.2354  ｎd14=1.84666 νd14=23.78 
ｒ25=    19.3681            ｄ25= （可変）  
ｒ26=    26.8826（非球面）  ｄ26=   4.2125  ｎd15=1.49700 νd15=81.54 
ｒ27=   -27.8744            ｄ27=   0.1500  
ｒ28=   279.7814            ｄ28=   4.1538  ｎd16=1.61800 νd16=63.33 
ｒ29=   -15.8089            ｄ29=   1.0000  ｎd17=1.84666 νd17=23.78 
ｒ30=   -57.4983            ｄ30= （可変）  
ｒ31=     ∞                ｄ31=  16.0000  ｎd18=1.51633 νd18=64.14 
ｒ32=     ∞                ｄ32=   1.0000  
ｒ33=     ∞                ｄ33=   2.6000  ｎd19=1.54771 νd19=62.84 
ｒ34=     ∞                ｄ34=   1.0000  
ｒ35=     ∞                ｄ35=   0.7500  ｎd20=1.51633 νd20=64.14 
ｒ36=     ∞                ｄ36=   1.2400  
ｒ37=     ∞                
非球面係数
第９面
Ｋ = 0
A4 = 2.1263 ×10-5 
A6 = 1.5727 ×10-8 
A8 = 3.9610 ×10-11  
A10= 0.0000       
第１８面
Ｋ = 0
A4 =-1.9875 ×10-5
A6 =-1.3029 ×10-8
A8 = 5.1888 ×10-11 
A10= 0.0000 
第２６面
Ｋ = 0
A4 =-1.7061 ×10-5
A6 =-8.7539 ×10-9
A8 = 1.1345 ×10-10 
A10= 0.0000 
ズームデータ（∞）
Ｗ          ＷＳ        Ｓ          ＳＴ        Ｔ      
ｆ (mm)       7.26000    12.99999    23.29997    41.72984    74.74939 
ＦNO          2.8000      3.3795      3.5000      3.5000      3.5000  
ω (°)      38.45         .         13.04         .          4.12    
ｄ6           1.68869    10.56701    29.85764    47.13961    57.82811 
ｄ14         44.76569    23.28314    12.25974     6.30842     2.57394 
ｄ17         19.00232    11.35026     8.66100     6.27017     0.99971 
ｄ22          1.50000     7.83915    11.97947    16.04050    22.86634 
ｄ25          8.26323     8.96815     6.46694     5.08222     5.08574 
ｄ30          4.69246     5.30046     6.35060     6.06512     4.50622 
。
【０１２４】
（実施例２）
ｒ1 =    82.4483            ｄ1 =   2.6000  ｎd1 =1.84666 νd1 =23.78 
ｒ2 =    57.4502            ｄ2 =   0.1000  
ｒ3 =    57.9164            ｄ3 =   7.1329  ｎd2 =1.49700 νd2 =81.54 
ｒ4 =   284.4315            ｄ4 =   0.2000  
ｒ5 =    69.2991            ｄ5 =   5.3163  ｎd3 =1.60311 νd3 =60.64 
ｒ6 =   400.4019            ｄ6 = （可変）  
ｒ7 = -1559.7350            ｄ7 =   1.5000  ｎd4 =1.77250 νd4 =49.60 
ｒ8 =    18.3563            ｄ8 =   8.8487  
ｒ9 =   -51.0656            ｄ9 =   1.3643  ｎd5 =1.77250 νd5 =49.60 
ｒ10=    89.9326            ｄ10=   0.2000  ｎd6 =1.53508 νd6 =40.94 
ｒ11=    56.6440（非球面）  ｄ11=   2.9409  
ｒ12=   -70.2481            ｄ12=   1.1135  ｎd7 =1.48749 νd7 =70.23 
ｒ13=  -351.6349            ｄ13=   3.8722  ｎd8 =1.84666 νd8 =23.78 
ｒ14=   -41.4750            ｄ14= （可変）  
ｒ15=   -21.7766            ｄ15=   1.0673  ｎd9 =1.69680 νd9 =55.53 
ｒ16=   -24.1145            ｄ16=   1.4225  
ｒ17=     ∞（絞り）        ｄ17= （可変）  
ｒ18=    21.1358（非球面）  ｄ18=   5.4704  ｎd10=1.49700 νd10=81.54 
ｒ19=   -79.1895            ｄ19=   0.1774  
ｒ20=    47.1634            ｄ20=   1.1410  ｎd11=1.80440 νd11=39.59 
ｒ21=    15.0512            ｄ21=   3.4835  ｎd12=1.61800 νd12=63.33 
ｒ22=  -184.9380            ｄ22= （可変）  
ｒ23=   -74.7571            ｄ23=   0.9000  ｎd13=1.51633 νd13=64.14 
ｒ24=    11.7718            ｄ24=   1.9155  ｎd14=1.84666 νd14=23.78 
ｒ25=    17.1123            ｄ25= （可変）  
ｒ26=    37.8693（非球面）  ｄ26=   3.4588  ｎd15=1.49700 νd15=81.54 
ｒ27=   -21.7737            ｄ27=   0.1500  
ｒ28=  -131.6293            ｄ28=   3.7575  ｎd16=1.61800 νd16=63.33 
ｒ29=   -12.5491            ｄ29=   1.0000  ｎd17=1.84666 νd17=23.78 
ｒ30=   -38.2936            ｄ30= （可変）  
ｒ31=     ∞                ｄ31=  16.0000  ｎd18=1.51633 νd18=64.14 
ｒ32=     ∞                ｄ32=   1.0000  
ｒ33=     ∞                ｄ33=   2.6000  ｎd19=1.54771 νd19=62.84 
ｒ34=     ∞                ｄ34=   1.0000  
ｒ35=     ∞                ｄ35=   0.7500  ｎd20=1.51633 νd20=64.14 
ｒ36=     ∞                ｄ36=   1.2400  
ｒ37=     ∞                
非球面係数
第１１面
Ｋ = 0
A4 =-2.3956 ×10-5
A6 = 1.1363 ×10-8
A8 =-2.9304 ×10-11 
A10= 0.0000 
第１８面
Ｋ = 0
A4 =-1.9310 ×10-5
A6 =-5.6603 ×10-9
A8 =-5.6829 ×10-11 
A10= 0.0000 
第２６面
Ｋ = 0
A4 =-1.9084 ×10-5
A6 = 8.1108 ×10-9
A8 = 2.2527 ×10-10 
A10= 0.0000 
ズームデータ（∞）
Ｗ          ＷＳ        Ｓ          ＳＴ        Ｔ      
ｆ (mm)       7.2599     12.99998    23.29994    41.72977    74.74923 
ＦNO          2.8000      3.0773      3.4040      3.5000      3.5000  
ω (°)      38.47         .         13.05         .          4.09    
ｄ6           2.04129    12.03456    30.35700    47.31707    58.11117 
ｄ14         52.08359    23.80135    12.15120     5.17137     2.10989 
ｄ17         15.96754    11.83766     8.87742     6.74717     1.12789 
ｄ22          1.50000     4.35576     7.49811    10.64193    17.10388 
ｄ25          7.96197     7.07284     5.58079     4.44519     5.93947 
ｄ30          4.69339     6.85663     8.16658     8.28861     5.95167 
。
【０１２５】
（実施例３）
ｒ1 =    79.8928            ｄ1 =   2.6000  ｎd1 =1.84666 νd1 =23.78 
ｒ2 =    56.5419            ｄ2 =   0.0932  
ｒ3 =    56.8568            ｄ3 =   7.2921  ｎd2 =1.49700 νd2 =81.54 
ｒ4 =   279.2946            ｄ4 =   0.2000  
ｒ5 =    71.4740            ｄ5 =   5.1087  ｎd3 =1.60311 νd3 =60.64 
ｒ6 =   368.5676            ｄ6 = （可変）  
ｒ7 =   297.1098            ｄ7 =   1.5000  ｎd4 =1.77250 νd4 =49.60 
ｒ8 =    16.7226            ｄ8 =   8.2214  
ｒ9 =   -58.5814            ｄ9 =   1.3643  ｎd5 =1.77250 νd5 =49.60 
ｒ10=    42.9833            ｄ10=   2.8172  
ｒ11=    44.9540            ｄ11=   2.4853  ｎd6 =1.68893 νd6 =31.07 
ｒ12=    67.5910            ｄ12=   0.5000  ｎd7 =1.53508 νd7 =40.94 
ｒ13=    60.4446（非球面）  ｄ13=   2.4132  
ｒ14=  -152.6589            ｄ14=   2.7489  ｎd8 =1.84666 νd8 =23.78 
ｒ15=   -43.1824            ｄ15= （可変）  
ｒ16=  1521.7545            ｄ16=   1.2383  ｎd9 =1.69680 νd9 =55.53 
ｒ17=   103.2631            ｄ17=   1.3581  
ｒ18=     ∞（絞り）        ｄ18= （可変）  
ｒ19=    19.8319（非球面）  ｄ19=   6.0797  ｎd10=1.49700 νd10=81.54 
ｒ20=   -98.1431            ｄ20=   0.1774  
ｒ21=    41.2385            ｄ21=   1.1410  ｎd11=1.80440 νd11=39.59 
ｒ22=    13.6120            ｄ22=   5.6638  ｎd12=1.60311 νd12=60.64 
ｒ23=  -105.3016            ｄ23= （可変）  
ｒ24=   -60.3378            ｄ24=   0.9000  ｎd13=1.51633 νd13=64.14 
ｒ25=    11.2684            ｄ25=   2.0556  ｎd14=1.84666 νd14=23.78 
ｒ26=    16.0592            ｄ26= （可変）  
ｒ27=    57.5023            ｄ27=   3.0046  ｎd15=1.49700 νd15=81.54 
ｒ28=   -29.3958（非球面）  ｄ28=   0.1500  
ｒ29=    60.6802            ｄ29=   4.8459  ｎd16=1.60311 νd16=60.64 
ｒ30=   -12.9748            ｄ30=   1.0000  ｎd17=1.84666 νd17=23.78 
ｒ31=   -47.6191            ｄ31= （可変）  
ｒ32=     ∞                ｄ32=  16.0000  ｎd18=1.51633 νd18=64.14 
ｒ33=     ∞                ｄ33=   1.0000  
ｒ34=     ∞                ｄ34=   2.6000  ｎd19=1.54771 νd19=62.84 
ｒ35=     ∞                ｄ35=   1.0000  
ｒ36=     ∞                ｄ36=   0.7500  ｎd20=1.51633 νd20=64.14 
ｒ37=     ∞                ｄ37=   1.2400  
ｒ38=     ∞                
非球面係数
第１３面
Ｋ = 0
A4 =-1.4437 ×10-5
A6 = 2.9795 ×10-9
A8 =-9.7997 ×10-12 
A10= 0.0000 
第１９面
Ｋ = 0
A4 =-1.9829 ×10-5
A6 =-1.2490 ×10-8
A8 = 9.5912 ×10-12 
A10= 0.0000 
第２８面
Ｋ = 0
A4 =-8.0968 ×10-6
A6 =-1.4115 ×10-8
A8 =-3.7788 ×10-10 
A10= 0.0000 
ズームデータ（∞）
Ｗ          ＷＳ        Ｓ          ＳＴ        Ｔ      
ｆ (mm)       7.26002    13.00003    23.30008    41.73033    74.75116 
ＦNO          2.8003      3.0838      3.4742      3.5003      3.5007  
ω (°)      38.42         .         13.05         .          4.11    
ｄ6           1.36006    12.49834    30.21824    47.74332    58.25431 
ｄ15         54.96399    24.89992    12.03611     4.74729     1.70314 
ｄ18         17.14336    12.83290     9.24821     6.81249     1.02608 
ｄ23          1.50000     3.50570     6.35732     8.92130    16.08346 
ｄ26          7.83356     7.52870     6.60733     5.98190     6.80232 
ｄ31          5.02576     7.63538     9.28981     9.78699     7.59082 
。
【０１２６】
（実施例４）
ｒ1 =    81.6544            ｄ1 =   2.6000  ｎd1 =1.84666 νd1 =23.78 
ｒ2 =    54.5219            ｄ2 =   0.0918  
ｒ3 =    55.1373            ｄ3 =   6.6789  ｎd2 =1.60311 νd2 =60.64 
ｒ4 =   170.0871            ｄ4 =   0.2000  
ｒ5 =    63.9518            ｄ5 =   5.5295  ｎd3 =1.60311 νd3 =60.64 
ｒ6 =   261.7938            ｄ6 = （可変）  
ｒ7 =   135.9397            ｄ7 =   1.5000  ｎd4 =1.77250 νd4 =49.60 
ｒ8 =    18.6691            ｄ8 =   7.1069  
ｒ9 =   -77.9436            ｄ9 =   1.3643  ｎd5 =1.77250 νd5 =49.60 
ｒ10=    29.3916            ｄ10=   3.6128  
ｒ11=  -136.6311（非球面）  ｄ11=   2.6052  ｎd6 =1.68893 νd6 =31.07 
ｒ12=   -93.2719            ｄ12=   1.2000  ｎd7 =1.77250 νd7 =49.60 
ｒ13=    48.4132            ｄ13=   0.1500  
ｒ14=    40.2538            ｄ14=   5.6753  ｎd8 =1.68893 νd8 =31.07 
ｒ15=   -41.2699            ｄ15= （可変）  
ｒ16=     ∞（絞り）        ｄ16= （可変）  
ｒ17=    20.5800（非球面）  ｄ17=   3.1262  ｎd9 =1.49700 νd9 =81.54 
ｒ18=   -89.3640            ｄ18=   0.1500  
ｒ19=   221.1623            ｄ19=   3.2743  ｎd10=1.48749 νd10=70.23 
ｒ20=   -22.6962            ｄ20=   1.0743  ｎd11=1.69895 νd11=30.13 
ｒ21=   -65.3546            ｄ21= （可変）  
ｒ22=   -44.1685            ｄ22=   2.2362  ｎd12=1.84666 νd12=23.78 
ｒ23=   -17.9114            ｄ23=   0.9000  ｎd13=1.51633 νd13=64.14 
ｒ24=    19.1017            ｄ24= （可変）  
ｒ25=    26.6661（非球面）  ｄ25=   3.6847  ｎd14=1.49700 νd14=81.54 
ｒ26=   -34.1574            ｄ26=   0.1500  
ｒ27=    52.2108            ｄ27=   4.2853  ｎd15=1.49700 νd15=81.54 
ｒ28=   -14.7656            ｄ28=   1.2000  ｎd16=1.80518 νd16=25.42 
ｒ29=   -55.0799            ｄ29= （可変）  
ｒ30=     ∞                ｄ30=  16.0000  ｎd17=1.51633 νd17=64.14 
ｒ31=     ∞                ｄ31=   1.0000  
ｒ32=     ∞                ｄ32=   2.6000  ｎd18=1.54771 νd18=62.84 
ｒ33=     ∞                ｄ33=   1.0000  
ｒ34=     ∞                ｄ34=   0.7500  ｎd19=1.51633 νd19=64.14 
ｒ35=     ∞                ｄ35=   1.2400  
ｒ36=     ∞                
非球面係数
第１１面
Ｋ = 0
A4 = 1.0139 ×10-5
A6 = 3.2872 ×10-9
A8 =-1.1023 ×10-11 
A10= 0.0000 
第１７面
Ｋ = 0
A4 =-1.7036 ×10-5
A6 =-1.7437 ×10-8
A8 = 4.5946 ×10-11 
A10= 0.0000 
第２５面
Ｋ = 0
A4 = 3.4248 ×10-6
A6 = 1.4711 ×10-8
A8 = 4.5298 ×10-10 
A10= 0.0000 
ズームデータ（∞）
Ｗ          ＷＳ        Ｓ          ＳＴ        Ｔ      
ｆ (mm)       7.25999      .         23.29992      .         74.74889 
ＦNO          2.8000       .          3.5801       .          3.5000  
ω (°)      38.54         .         13.22         .          4.14    
ｄ6           1.00000    14.89793    31.05521    47.12742    59.32091 
ｄ15         52.30556    29.13766    15.90712     7.48462     2.50000 
ｄ16         20.23714    12.06038     7.38350     5.16625     1.27216 
ｄ21          3.72767     5.35270     8.32036    10.89531    15.89787 
ｄ24          3.24286     7.15116     6.72019     5.06310     5.57919 
ｄ29          4.69211     7.33554     9.47573    10.77513     9.15056 
。
【０１２７】
（実施例５）
ｒ1 =    78.1210            ｄ1 =   2.6000  ｎd1 =1.84666 νd1 =23.78 
ｒ2 =    52.5351            ｄ2 =   0.0776  
ｒ3 =    53.2073            ｄ3 =   6.8025  ｎd2 =1.60311 νd2 =60.64 
ｒ4 =   159.3705            ｄ4 =   0.2000  
ｒ5 =    65.8776            ｄ5 =   5.5331  ｎd3 =1.60311 νd3 =60.64 
ｒ6 =   303.8063            ｄ6 = （可変）  
ｒ7 =   163.0022            ｄ7 =   1.5000  ｎd4 =1.77250 νd4 =49.60 
ｒ8 =    17.9806            ｄ8 =   6.9388  
ｒ9 =   -95.4021            ｄ9 =   1.3643  ｎd5 =1.77250 νd5 =49.60 
ｒ10=    31.9739            ｄ10=   3.3248  
ｒ11=   -83.4161（非球面）  ｄ11=   2.2162  ｎd6 =1.68893 νd6 =31.07 
ｒ12=   -51.8821            ｄ12=   1.2000  ｎd7 =1.77250 νd7 =49.60 
ｒ13=   110.2656            ｄ13=   0.1500  
ｒ14=    52.7805            ｄ14=   4.8751  ｎd8 =1.68893 νd8 =31.07 
ｒ15=   -44.3555            ｄ15= （可変）  
ｒ16=     ∞（絞り）        ｄ16= （可変）  
ｒ17=    20.3453（非球面）  ｄ17=   4.8644  ｎd9 =1.49700 νd9 =81.54 
ｒ18=   -18.1397            ｄ18=   0.1995  
ｒ19=   -17.0247            ｄ19=   0.9865  ｎd10=1.58144 νd10=40.75 
ｒ20=   -41.9737            ｄ20= （可変）  
ｒ21=   -34.7870            ｄ21=   1.6000  ｎd11=1.84666 νd11=23.78 
ｒ22=   -15.2340            ｄ22=   0.9000  ｎd12=1.51633 νd12=64.14 
ｒ23=    20.7010            ｄ23= （可変）  
ｒ24=    21.6523            ｄ24=   1.2000  ｎd13=1.80518 νd13=25.42 
ｒ25=    11.8448            ｄ25=   5.1050  ｎd14=1.49700 νd14=81.54 
ｒ26=   282.0413            ｄ26=   0.1500  
ｒ27=    18.6629            ｄ27=   5.4207  ｎd15=1.49700 νd15=81.54 
ｒ28=   -35.6003（非球面）  ｄ28=   0.1500  
ｒ29=    45.1746            ｄ29=   1.0526  ｎd16=1.80518 νd16=25.42 
ｒ30=    26.6635            ｄ30= （可変）  
ｒ31=     ∞                ｄ31=  16.0000  ｎd17=1.51633 νd17=64.14 
ｒ32=     ∞                ｄ32=   1.0000  
ｒ33=     ∞                ｄ33=   2.6000  ｎd18=1.54771 νd18=62.84 
ｒ34=     ∞                ｄ34=   1.0000  
ｒ35=     ∞                ｄ35=   0.7500  ｎd19=1.51633 νd19=64.14 
ｒ36=     ∞                ｄ36=   1.2400  
ｒ37=     ∞                
非球面係数
第１１面
Ｋ = 0
A4 = 7.1125 ×10-6
A6 = 2.0512 ×10-8
A8 =-5.1595 ×10-11 
A10= 0.0000 
第１７面
Ｋ = 0
A4 =-1.5184 ×10-5
A6 =-2.3566 ×10-8
A8 = 3.4360 ×10-10 
A10= 0.0000 
第２８面
Ｋ = 0
A4 = 3.1780 ×10-5
A6 =-9.9597 ×10-8
A8 =-5.2192 ×10-10 
A10= 0.0000 
ズームデータ（∞）
Ｗ          ＷＳ        Ｓ          ＳＴ        Ｔ      
ｆ (mm)       7.25999      .         23.29997      .         74.75182 
ＦNO          2.8000       .          3.5778       .          3.5000  
ω (°)      38.52         .         13.19         .          4.13    
ｄ6           1.04546    15.02846    31.09889    46.16763    59.30495 
ｄ15         52.08237    29.21796    16.44547     7.46848     2.50000 
ｄ16         19.83770    12.09302     7.11800     4.38285     1.23876 
ｄ20          2.85510     5.90624     9.13593    11.32215    15.45881 
ｄ23          4.36441     7.15116     6.72019     5.06310     5.57919 
ｄ30          5.49442     7.40121     9.57751    11.78353    10.27488 
。
【０１２８】
（実施例６）
ｒ1 =   141.6786            ｄ1 =   2.6000  ｎd1 =1.84666 νd1 =23.78 
ｒ2 =    82.2770            ｄ2 =   0.2054  
ｒ3 =    86.0098            ｄ3 =   6.6214  ｎd2 =1.49700 νd2 =81.54 
ｒ4 =  -623.7275            ｄ4 =   0.2000  
ｒ5 =    66.9330            ｄ5 =   4.9709  ｎd3 =1.69680 νd3 =55.53 
ｒ6 =   242.1492            ｄ6 = （可変）  
ｒ7 = -1681.4393            ｄ7 =   1.7000  ｎd4 =1.77250 νd4 =49.60 
ｒ8 =    17.8527            ｄ8 =   8.5980  
ｒ9 =   -59.5314（非球面）  ｄ9 =   0.2000  ｎd5 =1.53508 νd5 =40.94 
ｒ10=  -119.6362            ｄ10=   1.3000  ｎd6 =1.77250 νd6 =49.60 
ｒ11=   342.3608            ｄ11=   4.1895  
ｒ12=   -24.2842            ｄ12=   1.1790  ｎd7 =1.48749 νd7 =70.23 
ｒ13=  -101.8680            ｄ13=   4.5574  ｎd8 =1.84666 νd8 =23.78 
ｒ14=   -33.5232            ｄ14= （可変）  
ｒ15=   -17.5269            ｄ15=   1.3000  ｎd9 =1.77250 νd9 =49.60 
ｒ16=   -20.0488            ｄ16=   1.0127  
ｒ17=     ∞（絞り）        ｄ17= （可変）  
ｒ18=    21.3027（非球面）  ｄ18=   5.1829  ｎd10=1.49700 νd10=81.54 
ｒ19=   -71.1108            ｄ19=   0.0740  
ｒ20=    64.9416            ｄ20=   1.1010  ｎd11=1.80610 νd11=40.92 
ｒ21=    16.9316            ｄ21=   5.1171  ｎd12=1.49700 νd12=81.54 
ｒ22=   -53.3840            ｄ22= （可変）  
ｒ23=   -52.6066            ｄ23=   0.9000  ｎd13=1.51633 νd13=64.14 
ｒ24=    13.9038            ｄ24=   3.2142  ｎd14=1.84666 νd14=23.78 
ｒ25=    21.1652            ｄ25= （可変）  
ｒ26=    30.4474（非球面）  ｄ26=   5.0612  ｎd15=1.49700 νd15=81.54 
ｒ27=   -27.3044            ｄ27=   0.1500  
ｒ28=   172.6100            ｄ28=   4.5076  ｎd16=1.61800 νd16=63.33 
ｒ29=   -16.2580            ｄ29=   1.0000  ｎd17=1.84666 νd17=23.78 
ｒ30=   -61.9158            ｄ30= （可変）  
ｒ31=     ∞                ｄ31=  16.0000  ｎd18=1.51633 νd18=64.14 
ｒ32=     ∞                ｄ32=   1.0000  
ｒ33=     ∞                ｄ33=   2.6000  ｎd19=1.54771 νd19=62.84 
ｒ34=     ∞                ｄ34=   1.0000  
ｒ35=     ∞                ｄ35=   0.7500  ｎd20=1.51633 νd20=64.14 
ｒ36=     ∞                ｄ36=   1.2400  
ｒ37=     ∞                
非球面係数
第９面
Ｋ = 0
A4 = 2.2129 ×10-5
A6 = 6.5725 ×10-10 
A8 = 7.2804 ×10-11 
A10= 0.0000 
第１８面
Ｋ = 0
A4 =-1.8979 ×10-5
A6 = 8.7960 ×10-9
A8 =-1.5301 ×10-10 
A10= 0.0000 
第２６面
Ｋ = 0
A4 =-1.7277 ×10-5
A6 = 3.9898 ×10-9
A8 =-5.5382 ×10-11 
A10= 0.0000 
ズームデータ（∞）
Ｗ          ＷＳ        Ｓ          ＳＴ        Ｔ      
ｆ (mm)       7.26002    13.00003    23.30013    41.73069    74.75304 
ＦNO          2.8000      3.4061      3.5000      3.5000      3.5000  
ω (°)      38.45         .         13.03         .          4.12    
ｄ6           1.69990    10.56611    29.95684    47.14010    57.75352 
ｄ14         38.83846    18.70163     9.09372     4.72000     2.59257 
ｄ17         25.00055    15.77754    11.57455     7.61504     1.02237 
ｄ22          1.49193     7.85215    11.95770    16.03342    23.12571 
ｄ25          8.12406     8.99710     6.58794     5.19826     5.37687 
ｄ30          4.61121     5.36097     6.51641     6.38966     4.90755 
。
【０１２９】
（実施例７）
ｒ1 =   133.2906            ｄ1 =   2.6000  ｎd1 =1.84666 νd1 =23.78 
ｒ2 =    79.7190            ｄ2 =   0.4683  
ｒ3 =    88.0849            ｄ3 =   6.7955  ｎd2 =1.49700 νd2 =81.54 
ｒ4 =  -928.2450            ｄ4 =   0.2000  
ｒ5 =    61.1424            ｄ5 =   5.7149  ｎd3 =1.60311 νd3 =60.64 
ｒ6 =   290.9980            ｄ6 = （可変）  
ｒ7 =   858.6153            ｄ7 =   1.7000  ｎd4 =1.77250 νd4 =49.60 
ｒ8 =    17.2556            ｄ8 =   8.7043  
ｒ9 =   -65.5194（非球面）  ｄ9 =   0.2000  ｎd5 =1.53508 νd5 =40.94 
ｒ10=  -103.0065            ｄ10=   1.3000  ｎd6 =1.77250 νd6 =49.60 
ｒ11=   207.4789            ｄ11=   3.9972  
ｒ12=   -29.5057            ｄ12=   1.2706  ｎd7 =1.60311 νd7 =60.64 
ｒ13= -3.472×104           ｄ13=   4.4191  ｎd8 =1.84666 νd8 =23.78 
ｒ14=   -39.4285            ｄ14= （可変）  
ｒ15=   -14.2222            ｄ15=   1.3000  ｎd9 =1.77250 νd9 =49.60 
ｒ16=   -15.6911            ｄ16=   0.9994  
ｒ17=     ∞（絞り）        ｄ17= （可変）  
ｒ18=    29.1466（非球面）  ｄ18=   5.3713  ｎd10=1.49700 νd10=81.54 
ｒ19=   -55.2100            ｄ19=   0.1000  
ｒ20= -2878.6841            ｄ20=   1.0357  ｎd11=1.69895 νd11=30.13 
ｒ21=    26.7931            ｄ21=   5.3045  ｎd12=1.61800 νd12=63.33 
ｒ22=   -52.9610            ｄ22= （可変）  
ｒ23=   -72.6679            ｄ23=   0.9000  ｎd13=1.51633 νd13=64.14 
ｒ24=    14.0385            ｄ24=   3.1899  ｎd14=1.84666 νd14=23.78 
ｒ25=    23.1764            ｄ25= （可変）  
ｒ26=    34.1187（非球面）  ｄ26=   4.0924  ｎd15=1.49700 νd15=81.54 
ｒ27=   -27.1159            ｄ27=   0.1500  
ｒ28=  -179.2221            ｄ28=   4.5403  ｎd16=1.61800 νd16=63.33 
ｒ29=   -13.8901            ｄ29=   1.0000  ｎd17=1.84666 νd17=23.78 
ｒ30=   -48.2993            ｄ30= （可変）  
ｒ31=     ∞                ｄ31=  16.0000  ｎd18=1.51633 νd18=64.14 
ｒ32=     ∞                ｄ32=   1.0000  
ｒ33=     ∞                ｄ33=   2.6000  ｎd19=1.54771 νd19=62.84 
ｒ34=     ∞                ｄ34=   1.0000  
ｒ35=     ∞                ｄ35=   0.7500  ｎd20=1.51633 νd20=64.14 
ｒ36=     ∞                ｄ36=   1.2400  
ｒ37=     ∞                
非球面係数
第９面
Ｋ = 0
A4 = 2.2685 ×10-5
A6 =-9.9328 ×10-9
A8 = 6.5515 ×10-11 
A10= 0.0000 
第１８面
Ｋ = 0
A4 =-1.5955 ×10-5
A6 = 1.0315 ×10-8
A8 =-9.0638 ×10-11 
A10= 0.0000 
第２６面
Ｋ = 0
A4 =-1.7668 ×10-5
A6 =-1.6378 ×10-9
A8 = 5.8919 ×10-11 
A10= 0.0000 
ズームデータ（∞）
Ｗ          ＷＳ        Ｓ          ＳＴ        Ｔ      
ｆ (mm)       7.25994    12.99979    23.29960    41.72935    74.74958 
ＦNO          2.8000      3.2736      3.5000      3.5000      3.5000  
ω (°)      38.48         .         13.03         .          4.10    
ｄ6           1.57613    10.58693    29.66082    47.22031    57.38048 
ｄ14         35.33624    14.67575     7.05728     3.95447     2.57253 
ｄ17         27.90225    18.46229    13.50552     9.05177     1.02205 
ｄ22          2.01227     6.50604    11.64080    16.22329    23.37367 
ｄ25          7.59111     7.59111     7.59111     7.59111     7.59111 
ｄ30          4.35060     6.30937     6.83154     6.23847     5.63660 
。
【０１３０】
（実施例８）
ｒ1 =   154.0084            ｄ1 =   2.6000  ｎd1 =1.84666 νd1 =23.78 
ｒ2 =    85.1308            ｄ2 =   0.2000  
ｒ3 =    89.0506            ｄ3 =   6.8812  ｎd2 =1.49700 νd2 =81.54 
ｒ4 =  -500.6640            ｄ4 =   0.2000  
ｒ5 =    71.0865            ｄ5 =   4.9871  ｎd3 =1.69680 νd3 =55.53 
ｒ6 =   321.2628            ｄ6 = （可変）  
ｒ7 = -1661.3349            ｄ7 =   1.7000  ｎd4 =1.77250 νd4 =49.60 
ｒ8 =    18.0950            ｄ8 =   8.8337  
ｒ9 =   -62.2296（非球面）  ｄ9 =   0.2000  ｎd5 =1.53508 νd5 =40.94 
ｒ10=  -129.5877            ｄ10=   1.3000  ｎd6 =1.77250 νd6 =49.60 
ｒ11=  1178.5652            ｄ11=   3.1344  
ｒ12=   -33.4282            ｄ12=   1.1790  ｎd7 =1.48749 νd7 =70.23 
ｒ13=    90.9167            ｄ13=   4.3569  ｎd8 =1.84666 νd8 =23.78 
ｒ14=   -65.5020            ｄ14= （可変）  
ｒ15=     ∞（絞り）        ｄ15=   2.6661  
ｒ16=   -14.4489            ｄ16=   0.9955  ｎd9 =1.77250 νd9 =49.60 
ｒ17=   -16.4057            ｄ17= （可変）  
ｒ18=    29.3239（非球面）  ｄ18=   5.3050  ｎd10=1.80610 νd10=40.74 
ｒ19=   422.7477            ｄ19=   0.4857  
ｒ20=    93.3084            ｄ20=   1.0357  ｎd11=1.69895 νd11=30.13 
ｒ21=    16.2156            ｄ21=   5.2656  ｎd12=1.49700 νd12=81.54 
ｒ22=   -38.2018            ｄ22= （可変）  
ｒ23=   -65.0932            ｄ23=   0.9000  ｎd13=1.51633 νd13=64.14 
ｒ24=    13.7958            ｄ24=   2.9478  ｎd14=1.84666 νd14=23.78 
ｒ25=    19.9898            ｄ25= （可変）  
ｒ26=    26.7797（非球面）  ｄ26=   4.1503  ｎd15=1.49700 νd15=81.54 
ｒ27=   -33.3863            ｄ27=   0.1500  
ｒ28=    66.7328            ｄ28=   4.3835  ｎd16=1.61800 νd16=63.33 
ｒ29=   -18.3728            ｄ29=   1.0000  ｎd17=1.80518 νd17=25.42 
ｒ30=  -118.1096            ｄ30= （可変）  
ｒ31=     ∞                ｄ31=  16.0000  ｎd18=1.51633 νd18=64.14 
ｒ32=     ∞                ｄ32=   1.0000  
ｒ33=     ∞                ｄ33=   2.6000  ｎd19=1.54771 νd19=62.84 
ｒ34=     ∞                ｄ34=   1.0000  
ｒ35=     ∞                ｄ35=   0.7500  ｎd20=1.51633 νd20=64.14 
ｒ36=     ∞                ｄ36=   1.2400  
ｒ37=     ∞                
非球面係数
第９面
Ｋ = 0
A4 = 1.7476 ×10-5
A6 = 1.7656 ×10-8
A8 = 2.5483 ×10-11 
A10= 0.0000 
第１８面
Ｋ = 0
A4 =-7.2819 ×10-6
A6 = 1.5490 ×10-8
A8 =-1.0251 ×10-10 
A10= 0.0000 
第２６面
Ｋ = 0
A4 =-1.2862 ×10-5
A6 =-1.1215 ×10-8
A8 = 2.6887 ×10-11 
A10= 0.0000 
ズームデータ（∞）
Ｗ          ＷＳ        Ｓ          ＳＴ        Ｔ      
ｆ (mm)       7.26000    13.00004    23.30000    41.73010    74.75000 
ＦNO          2.8000      3.2452      3.5000      3.5000      3.5000  
ω (°)      38.43         .         13.04         .          4.11    
ｄ6           1.51813    10.76717    29.84510    47.35892    58.73695 
ｄ14         43.62221    20.67892    10.31138     5.77694     1.73681 
ｄ17         19.34970    13.11504     9.54525     5.96595     0.99829 
ｄ22          2.58148     8.81614    12.38593    15.96522    20.93289 
ｄ25          8.67490     7.43440     5.56358     5.04338     5.18729 
ｄ30          4.28215     5.52265     7.39346     7.91366     7.76975 
。
【０１３１】
（実施例９）
ｒ1 =   125.4804            ｄ1 =   2.6000  ｎd1 =1.84666 νd1 =23.78 
ｒ2 =    73.9280            ｄ2 =   0.6131  
ｒ3 =    82.0053            ｄ3 =   7.1121  ｎd2 =1.49700 νd2 =81.54 
ｒ4 = -2731.9228            ｄ4 =   0.2000  
ｒ5 =    73.7403            ｄ5 =   6.0707  ｎd3 =1.69680 νd3 =55.53 
ｒ6 =   689.0297            ｄ6 = （可変）  
ｒ7 =   327.5056            ｄ7 =   1.7000  ｎd4 =1.77250 νd4 =49.60 
ｒ8 =    14.2610            ｄ8 =   8.5253  
ｒ9 =   -89.4120            ｄ9 =   1.3000  ｎd5 =1.77250 νd5 =49.60 
ｒ10=    38.2328            ｄ10=   0.2000  ｎd6 =1.53508 νd6 =40.94 
ｒ11=    28.4986（非球面）  ｄ11=   2.5230  
ｒ12=    47.5033            ｄ12=   1.1790  ｎd7 =1.48749 νd7 =70.23 
ｒ13=    34.1694            ｄ13=   3.2934  ｎd8 =1.84666 νd8 =23.78 
ｒ14=  -324.6493            ｄ14= （可変）  
ｒ15=     ∞（絞り）        ｄ15= （可変）  
ｒ16=    16.9572（非球面）  ｄ16=   7.2692  ｎd9 =1.49700 νd9 =81.54 
ｒ17=   452.6400            ｄ17=   0.1000  
ｒ18=   136.4678            ｄ18=   1.1010  ｎd10=1.80610 νd10=40.92 
ｒ19=    15.7221            ｄ19=   5.6961  ｎd11=1.49700 νd11=81.54 
ｒ20=   -38.5697            ｄ20= （可変）  
ｒ21=    58.4853            ｄ21=   3.0175  ｎd12=1.84666 νd12=23.78 
ｒ22=  -202.3168            ｄ22=   1.4952  ｎd13=1.51633 νd13=64.14 
ｒ23=    15.1757            ｄ23=   8.9786  
ｒ24=   -49.4262（非球面）  ｄ24=   5.1311  ｎd14=1.49700 νd14=81.54 
ｒ25=   -19.2986            ｄ25=   0.1500  
ｒ26=    18.4543            ｄ26=   5.9364  ｎd15=1.61800 νd15=63.33 
ｒ27=   -38.6487            ｄ27=   1.0000  ｎd16=1.84666 νd16=23.78 
ｒ28=    76.9096            ｄ28= （可変）  
ｒ29=     ∞                ｄ29=  16.0000  ｎd17=1.51633 νd17=64.14 
ｒ30=     ∞                ｄ30=   1.0000  
ｒ31=     ∞                ｄ31=   2.6000  ｎd18=1.54771 νd18=62.84 
ｒ32=     ∞                ｄ32=   1.0000  
ｒ33=     ∞                ｄ33=   0.7500  ｎd19=1.51633 νd19=64.14 
ｒ34=     ∞                ｄ34=   1.2400  
ｒ35=     ∞                
非球面係数
第１１面
Ｋ = 0
A4 =-2.9080 ×10-5
A6 =-4.7003 ×10-8
A8 = 1.3039 ×10-11 
A10= 0.0000 
第１６面
Ｋ = 0
A4 =-2.6940 ×10-5
A6 =-2.6991 ×10-8
A8 =-4.1850 ×10-11 
A10= 0.0000 
第２４面
Ｋ = 0
A4 = 4.8837 ×10-6
A6 = 4.0251 ×10-8
A8 = 5.0375 ×10-10 
A10= 0.0000 
ズームデータ（∞）
Ｗ          ＷＳ        Ｓ          ＳＴ        Ｔ      
ｆ (mm)       7.26010    13.00010    23.30000    41.72939    74.74571 
ＦNO          2.8000      3.2311      3.5000      3.5000      3.5000  
ω (°)      38.43         .         12.96         .          4.12    
ｄ4           1.22382    10.57521    30.86112    47.17255    60.33060 
ｄ14         44.41629    22.39761    12.10735     5.55000     2.52402 
ｄ15         18.02944     9.25134     6.75230     3.90933     1.06282 
ｄ20          1.56309     6.26309    10.18795    14.94609    18.74913 
ｄ28          2.00000     5.88418     8.79568    11.11914     9.89434 
。
【０１３２】
（実施例１０）
ｒ1 =   127.5747            ｄ1 =   2.6000  ｎd1 =1.84666 νd1 =23.78 
ｒ2 =    76.5681            ｄ2 =   0.6108  
ｒ3 =    87.0503            ｄ3 =   6.7061  ｎd2 =1.49700 νd2 =81.54 
ｒ4 =  -906.1216            ｄ4 =   0.2000  
ｒ5 =    65.5756            ｄ5 =   5.1656  ｎd3 =1.69680 νd3 =55.53 
ｒ6 =   257.9868            ｄ6 = （可変）  
ｒ7 =  -841.7430            ｄ7 =   1.7000  ｎd4 =1.77250 νd4 =49.60 
ｒ8 =    20.7672            ｄ8 =   0.1181  ｎd5 =1.53508 νd5 =40.94 
ｒ9 =    17.4318（非球面）  ｄ9 =   8.3674  
ｒ10=   -69.0347            ｄ10=   1.3000  ｎd6 =1.77250 νd6 =49.60 
ｒ11=    50.8067            ｄ11=   3.5790  
ｒ12=   -34.9364            ｄ12=   1.2000  ｎd7 =1.48749 νd7 =70.23 
ｒ13=  -206.9525            ｄ13=   0.7359  
ｒ14=   131.5379            ｄ14=   2.9312  ｎd8 =1.68893 νd8 =31.07 
ｒ15=   -65.1273            ｄ15=   0.2838  
ｒ16=   446.1597            ｄ16=   3.4504  ｎd9 =1.84666 νd9 =23.78 
ｒ17=  -111.5214            ｄ17= （可変）  
ｒ18=   -89.0223            ｄ18=   1.2751  ｎd10=1.73400 νd10=51.47 
ｒ19= -5156.0079            ｄ19=   1.0546  
ｒ20=     ∞（絞り）        ｄ20= （可変）  
ｒ21=    20.4978（非球面）  ｄ21=   5.4824  ｎd11=1.49700 νd11=81.54 
ｒ22=   -55.0155            ｄ22=   0.4103  
ｒ23=    42.1503            ｄ23=   1.1010  ｎd12=1.80610 νd12=40.92 
ｒ24=    14.0853            ｄ24=   5.1806  ｎd13=1.49700 νd13=81.54 
ｒ25=   -75.3872            ｄ25= （可変）  
ｒ26=   -29.7893            ｄ26=   0.9000  ｎd14=1.51633 νd14=64.14 
ｒ27=    14.3985            ｄ27=   3.2881  ｎd15=1.84666 νd15=23.78 
ｒ28=    28.0747            ｄ28= （可変）  
ｒ29=   117.1492（非球面）  ｄ29=   4.3053  ｎd16=1.49700 νd16=81.54 
ｒ30=   -21.7875            ｄ30=   0.1500  
ｒ31=    78.2931            ｄ31=   5.0168  ｎd17=1.61800 νd17=63.33 
ｒ32=   -14.1145            ｄ32=   1.0000  ｎd18=1.84666 νd18=23.78 
ｒ33=   -50.2289            ｄ33= （可変）  
ｒ34=     ∞                ｄ34=  16.0000  ｎd19=1.51633 νd19=64.14 
ｒ35=     ∞                ｄ35=   1.0000  
ｒ36=     ∞                ｄ36=   2.6000  ｎd20=1.54771 νd20=62.84 
ｒ37=     ∞                ｄ37=   1.0000  
ｒ38=     ∞                ｄ38=   0.7500  ｎd21=1.51633 νd21=64.14 
ｒ39=     ∞                ｄ39=   1.2400  
ｒ40=     ∞                
非球面係数
第９面
Ｋ = 0
A4 =-1.8060 ×10-5
A6 =-1.5653 ×10-8
A8 =-3.1402 ×10-10 
A10= 0.0000 
第２１面
Ｋ = 0
A4 =-1.9350 ×10-5
A6 = 8.1535 ×10-9
A8 =-1.1537 ×10-10 
A10= 0.0000 
第２９面
Ｋ = 0
A4 =-1.4723 ×10-5
A6 =-4.3194 ×10-9
A8 = 1.8719 ×10-10 
A10= 0.0000 
ズームデータ（∞）
Ｗ          ＷＳ        Ｓ          ＳＴ        Ｔ      
ｆ (mm)       7.26000    13.00000    23.30008    41.73059    74.75291 
ＦNO          2.8000      3.4512      3.5000      3.5000      3.5000  
ω (°)      38.48         .         12.85         .          4.11    
ｄ6           1.64787    10.58883    30.04822    47.11870    58.44456 
ｄ17         44.72174    22.79418    11.48117     5.95085     3.03382 
ｄ20         18.91464    11.56777     8.33111     5.33947     1.07479 
ｄ25          1.84897     8.03143    11.95783    16.13820    22.70498 
ｄ28          8.28264     8.78214     6.88040     5.85483     5.87377 
ｄ33          4.71029     5.37520     6.58719     6.42403     4.10299 
。
【０１３３】
（実施例１１）
ｒ1 =    89.8312            ｄ1 =   2.6000  ｎd1 =1.84666 νd1 =23.78 
ｒ2 =    63.9685            ｄ2 =   0.0006  
ｒ3 =    64.1053            ｄ3 =   9.1675  ｎd2 =1.49700 νd2 =81.54 
ｒ4 =   479.8472            ｄ4 =   0.2000  
ｒ5 =    75.2405            ｄ5 =   6.4325  ｎd3 =1.60311 νd3 =60.64 
ｒ6 =   342.9922            ｄ6 = （可変）  
ｒ7 =   959.9708            ｄ7 =   1.8000  ｎd4 =1.81600 νd4 =46.62 
ｒ8 =    18.8418            ｄ8 =   5.3800  
ｒ9 =  -472.5238            ｄ9 =   1.1000  ｎd5 =1.73400 νd5 =51.47 
ｒ10=    28.9390            ｄ10=   5.9081  
ｒ11=   -29.2098            ｄ11=   1.2000  ｎd6 =1.71300 νd6 =53.87 
ｒ12=   100.5460            ｄ12=   0.1500  
ｒ13=    49.3222            ｄ13=   7.5695  ｎd7 =1.63980 νd7 =34.46 
ｒ14=   -24.6810（非球面）  ｄ14= （可変）  
ｒ15=  1133.4292            ｄ15=   1.2000  ｎd8 =1.78472 νd8 =25.68 
ｒ16=   106.5968            ｄ16=   0.2500  
ｒ17=     ∞（絞り）        ｄ17= （可変）  
ｒ18=    20.1552（非球面）  ｄ18=   5.1000  ｎd9 =1.49700 νd9 =81.54 
ｒ19=   -94.7419            ｄ19=   0.1774  
ｒ20=    36.0051            ｄ20=   1.1410  ｎd10=1.80440 νd10=39.59 
ｒ21=    13.5064            ｄ21=   5.5328  ｎd11=1.60311 νd11=60.64 
ｒ22= -1129.4923            ｄ22= （可変）  
ｒ23=   -72.5596            ｄ23=   0.9000  ｎd12=1.51633 νd12=64.14 
ｒ24=    11.8049            ｄ24=   2.9338  ｎd13=1.84666 νd13=23.78 
ｒ25=    16.8009            ｄ25= （可変）  
ｒ26=    91.9126            ｄ26=   2.9663  ｎd14=1.49700 νd14=81.54 
ｒ27=   -29.0231（非球面）  ｄ27=   0.1500  
ｒ28=    48.8627            ｄ28=   5.1022  ｎd15=1.60311 νd15=60.64 
ｒ29=   -13.3197            ｄ29=   0.8500  ｎd16=1.84666 νd16=23.78 
ｒ30=   -48.0006            ｄ30= （可変）  
ｒ31=     ∞                ｄ31=  16.0000  ｎd17=1.51633 νd17=64.14 
ｒ32=     ∞                ｄ32=   1.0000  
ｒ33=     ∞                ｄ33=   2.6000  ｎd18=1.54771 νd18=62.84 
ｒ34=     ∞                ｄ34=   1.0000  
ｒ35=     ∞                ｄ35=   0.7500  ｎd19=1.51633 νd19=64.14 
ｒ36=     ∞                ｄ36=   1.2400  
ｒ37=     ∞                
非球面係数
第１４面
Ｋ = 0
A4 =-8.9550 ×10-9
A6 = 8.4748 ×10-9
A8 = 1.6761 ×10-11 
A10= 0.0000 
第１８面
Ｋ = 0
A4 =-1.7592 ×10-5
A6 = 4.4455 ×10-9
A8 =-1.3451 ×10-10 
A10= 0.0000 
第２７面
Ｋ = 0
A4 =-1.4716 ×10-6
A6 = 1.5442 ×10-9
A8 =-2.3629 ×10-10 
A10= 0.0000 
ズームデータ（∞）
Ｗ          ＷＳ        Ｓ          ＳＴ        Ｔ      
ｆ (mm)       7.33845    13.10321    23.28940    38.89145    74.68837 
ＦNO          2.8000      3.1859      3.5000      3.5000      3.5000  
ω (°)      38.12         .         13.01         .          4.08    
ｄ6           1.36006    12.64030    31.07482    48.17964    61.33273 
ｄ14         54.26370    25.04693    11.10499     5.19824     1.70314 
ｄ17         17.41698    12.14210     8.86214     6.81538     1.02608 
ｄ22          1.50000     4.14980     6.85803     9.34039    16.90092 
ｄ25          6.85640     7.47895     6.17972     5.74352     6.81559 
ｄ30          4.46020     7.59229     8.38310     9.82468     5.35600 
。
【０１３４】
（実施例１２）
ｒ1 =    82.2399            ｄ1 =   2.6000  ｎd1 =1.84666 νd1 =23.78 
ｒ2 =    60.0259            ｄ2 =   0.1000  
ｒ3 =    60.6829            ｄ3 =   7.7500  ｎd2 =1.49700 νd2 =81.54 
ｒ4 =   307.4605            ｄ4 =   0.2000  
ｒ5 =    72.7643            ｄ5 =   5.8500  ｎd3 =1.60311 νd3 =60.64 
ｒ6 =   328.6935            ｄ6 = （可変）  
ｒ7 =   266.6699            ｄ7 =   1.8000  ｎd4 =1.81600 νd4 =46.62 
ｒ8 =    18.3068            ｄ8 =   6.0269  
ｒ9 =   -91.9091            ｄ9 =   1.1000  ｎd5 =1.73400 νd5 =51.47 
ｒ10=    31.9296            ｄ10=   5.1735  
ｒ11=   -33.4696（非球面）  ｄ11=   1.2000  ｎd6 =1.71300 νd6 =53.87 
ｒ12=  1.387×104           ｄ12=   0.1500  
ｒ13=    76.1645            ｄ13=   6.2143  ｎd7 =1.69895 νd7 =30.13 
ｒ14=   -29.0944            ｄ14= （可変）  
ｒ15=  -256.8086            ｄ15=   1.0000  ｎd8 =1.78472 νd8 =25.68 
ｒ16=   217.7610            ｄ16=   0.2030  
ｒ17=     ∞（絞り）        ｄ17= （可変）  
ｒ18=    19.3410（非球面）  ｄ18=   5.5508  ｎd9 =1.49700 νd9 =81.54 
ｒ19=   -61.9647            ｄ19=   0.1774  
ｒ20=    28.8671            ｄ20=   1.1410  ｎd10=1.80440 νd10=39.59 
ｒ21=    13.5945            ｄ21=   5.8000  ｎd11=1.49700 νd11=81.54 
ｒ22=  5392.6719            ｄ22= （可変）  
ｒ23=  -154.6780            ｄ23=   0.9000  ｎd12=1.51633 νd12=64.14 
ｒ24=    11.7076            ｄ24=   3.6031  ｎd13=1.84666 νd13=23.78 
ｒ25=    15.0847            ｄ25= （可変）  
ｒ26=    50.4757            ｄ26=   3.2775  ｎd14=1.49700 νd14=81.54 
ｒ27=   -50.8313（非球面）  ｄ27=   0.1500  
ｒ28=    45.8348            ｄ28=   5.5505  ｎd15=1.60311 νd15=60.64 
ｒ29=   -13.2011            ｄ29=   0.8500  ｎd16=1.84666 νd16=23.78 
ｒ30=   -38.4178            ｄ30= （可変）  
ｒ31=     ∞                ｄ31=  16.0000  ｎd17=1.51633 νd17=64.14 
ｒ32=     ∞                ｄ32=   1.0000  
ｒ33=     ∞                ｄ33=   2.6000  ｎd18=1.54771 νd18=62.84 
ｒ34=     ∞                ｄ34=   1.0000  
ｒ35=     ∞                ｄ35=   0.7500  ｎd19=1.51633 νd19=64.14 
ｒ36=     ∞                ｄ36=   1.2400  
ｒ37=     ∞                
非球面係数
第１１面
Ｋ = 0
A4 = 2.1955 ×10-6
A6 = 7.9776 ×10-10 
A8 = 4.2465 ×10-12 
A10= 0.0000 
第１８面
Ｋ = 0
A4 =-2.2173 ×10-5
A6 =-5.2442 ×10-10 
A8 =-1.3172 ×10-10 
A10= 0.0000 
第２７面
Ｋ = 0
A4 =-4.3385 ×10-6
A6 =-5.8507 ×10-9
A8 =-3.8312 ×10-10 
A10= 0.0000 
ズームデータ（∞）
Ｗ          ＷＳ        Ｓ          ＳＴ        Ｔ      
ｆ (mm)       7.35253    13.14155    23.30044    40.58970    74.68803 
ＦNO          2.8000      3.1943      3.5000      3.5000      3.5000  
ω (°)      38.09         .         13.06         .          4.10    
ｄ6           1.36006    12.88245    31.00495    49.05687    59.99418 
ｄ14         52.40573    25.29926    11.47801     5.29211     1.70314 
ｄ17         17.47445    12.09215     9.07829     6.89688     1.02608 
ｄ22          1.50000     3.82243     6.29079     8.72220    16.22424 
ｄ25          6.18879     6.98900     5.58223     5.34260     5.88322 
ｄ30          1.19155     7.72421     5.35600     9.52720     3.22100 
。
【０１３５】
（実施例１３）
ｒ1 =   128.1845            ｄ1   2.6000    ｎd1 =1.84666 νd1 =23.78 
ｒ2 =    77.8836            ｄ2   0.1422    
ｒ3 =    79.5351            ｄ3   8.7726    ｎd2 =1.60311 νd2 =60.64 
ｒ4 =  1.760×105           ｄ4   0.2000    
ｒ5 =    60.5207            ｄ5   7.8199    ｎd3 =1.49700 νd3 =81.54 
ｒ6 =   225.3888            ｄ6 = （可変）  
ｒ7 =    87.0813            ｄ7   1.5000    ｎd4 =1.77250 νd4 =49.60 
ｒ8 =    15.7852            ｄ8   8.9335    
ｒ9 =   -28.4093            ｄ9   1.3643    ｎd5 =1.77250 νd5 =49.60 
ｒ10=    61.5066            ｄ10  2.4804    
ｒ11=   -48.6469（非球面）  ｄ11  0.2000    ｎd6 =1.53508 νd6 =40.94 
ｒ12=  -200.0000            ｄ12  1.2000    ｎd7 =1.69350 νd7 =53.20 
ｒ13=    96.2114            ｄ13  0.2000    
ｒ14=    68.6685            ｄ14  6.7199    ｎd8 =1.68893 νd8 =31.07 
ｒ15=   -32.7420            ｄ15= （可変）  
ｒ16=     ∞（絞り）        ｄ16  0.4000    
ｒ17=   312.4731            ｄ17  0.9972    ｎd9 =1.60342 νd9 =38.03 
ｒ18=  -144.3938            ｄ18= （可変）  
ｒ19=    18.9253（非球面）  ｄ19  3.6985    ｎd10=1.49700 νd10=81.54 
ｒ20= -1.054×107           ｄ20  0.1774    
ｒ21=    58.8544            ｄ21  1.1208    ｎd11=1.77250 νd11=49.60 
ｒ22=    15.9897            ｄ22  4.9136    ｎd12=1.49700 νd12=81.54 
ｒ23=   -68.6413            ｄ23= （可変）  
ｒ24=   -73.7867            ｄ24  0.9000    ｎd13=1.51633 νd13=64.14 
ｒ25=    17.0943            ｄ25  1.8262    ｎd14=1.84666 νd14=23.78 
ｒ26=    22.4714            ｄ26= （可変）  
ｒ27=    37.0884（非球面）  ｄ27  4.8733    ｎd15=1.49700 νd15=81.54 
ｒ28=   -23.1086            ｄ28  0.1500    
ｒ29=  -909.2556            ｄ29  3.3951    ｎd16=1.49700 νd16=81.54 
ｒ30=   -18.5310            ｄ30  1.0265    ｎd17=1.84666 νd17=23.78 
ｒ31=   -50.0749            ｄ31= （可変）  
ｒ32=     ∞                ｄ32 16.0000    ｎd18=1.51633 νd18=64.14 
ｒ33=     ∞                ｄ33  1.0000    
ｒ34=     ∞                ｄ34  2.6000    ｎd19=1.54771 νd19=62.84 
ｒ35=     ∞                ｄ35  1.0000    
ｒ36=     ∞                ｄ36  0.7500    ｎd20=1.51633 νd20=64.14 
ｒ37=     ∞                ｄ37  1.2400    
ｒ38=     ∞                
非球面係数
第１１面
Ｋ = 0
A4 = 9.2934 ×10-6
A6 =-4.3005 ×10-9
A8 =-6.0577 ×10-11 
A10= 0.0000 
第１９面
Ｋ = 0
A4 =-1.5515 ×10-5
A6 =-1.5901 ×10-9
A8 =-1.9683 ×10-10 
A10= 0.0000 
第２７面
Ｋ = 0
A4 =-1.7557 ×10-5
A6 =-2.2661 ×10-9
A8 = 1.2023 ×10-10 
A10= 0.0000 
ズームデータ（∞）
Ｗ          ＷＳ        Ｓ          ＳＴ        Ｔ      
ｆ (mm)       7.27699    13.13483    23.30156    41.85838    74.69868 
ＦNO          2.8000      3.0096      3.5000      3.5000      3.5000  
ω (°)      38.47         .         13.07         .          4.13    
ｄ6           1.00000    12.32463    29.12057    47.14255    58.02772 
ｄ15          6.72043    27.00532    13.69308     7.48255     2.50000 
ｄ18         20.38443    13.68554    10.29674     7.22603     1.55935 
ｄ23          0.86734     3.00362     6.20380     8.91257    14.79711 
ｄ26          7.49819     8.31394     5.77953     5.09499     5.49059 
ｄ31          5.53190     9.13816    11.98670     8.63592    12.42630 
。
【０１３６】
（実施例１４）
ｒ1 =   117.1093            ｄ1 =   2.6000  ｎd1 =1.84666 νd1 =23.78 
ｒ2 =    78.9815            ｄ2 =   0.2900  
ｒ3 =    83.6308            ｄ3 =   7.1360  ｎd2 =1.49700 νd2 =81.54 
ｒ4 =  8.136×104           ｄ4 =   0.2000  
ｒ5 =    64.0026            ｄ5 =   7.2854  ｎd3 =1.49700 νd3 =81.54 
ｒ6 =   406.9074            ｄ6 = （可変）  
ｒ7 =   173.0596            ｄ7 =   1.5000  ｎd4 =1.77250 νd4 =49.60 
ｒ8 =    14.7807            ｄ8 =   8.6963  
ｒ9 =   -33.4479            ｄ9 =   1.3643  ｎd5 =1.77250 νd5 =49.60 
ｒ10=    82.7642            ｄ10=   1.5769  
ｒ11=   -78.1187（非球面）  ｄ11=   0.4088  ｎd6 =1.66680 νd6 =33.05 
ｒ12=   518.9177            ｄ12=   1.2000  ｎd7 =1.69350 νd7 =53.20 
ｒ13=    55.8817            ｄ13=   0.0065  
ｒ14=    43.1420            ｄ14=   5.9081  ｎd8 =1.68893 νd8 =31.07 
ｒ15=   -31.8050            ｄ15= （可変）  
ｒ16=     ∞（絞り）        ｄ16= （可変）  
ｒ17=    21.9025（非球面）  ｄ17=   3.3063  ｎd9 =1.49700 νd9 =81.54 
ｒ18= -1.082×106           ｄ18=   0.2991  
ｒ19=    30.2359            ｄ19=   1.1208  ｎd10=1.77250 νd10=49.60 
ｒ20=    14.9061            ｄ20=   5.0481  ｎd11=1.49700 νd11=81.54 
ｒ21=   -81.9434            ｄ21= （可変）  
ｒ22=  -101.2030            ｄ22=   0.9000  ｎd12=1.51633 νd12=64.14 
ｒ23=    15.4168            ｄ23=   1.8234  ｎd13=1.84666 νd13=23.78 
ｒ24=    20.2251            ｄ24= （可変）  
ｒ25=    42.9650（非球面）  ｄ25=   4.1635  ｎd14=1.49700 νd14=81.54 
ｒ26=   -21.2353            ｄ26=   0.1500  
ｒ27=  -231.8094            ｄ27=   2.6973  ｎd15=1.49700 νd15=81.54 
ｒ28=   -16.2244            ｄ28=   1.2276  ｎd16=1.84666 νd16=23.78 
ｒ29=   -47.0800            ｄ29= （可変）  
ｒ30=     ∞                ｄ30=  16.0000  ｎd17=1.51633 νd17=64.14 
ｒ31=     ∞                ｄ31=   1.0000  
ｒ32=     ∞                ｄ32=   2.6000  ｎd18=1.54771 νd18=62.84 
ｒ33=     ∞                ｄ33=   1.0000  
ｒ34=     ∞                ｄ34=   0.7500  ｎd19=1.51633 νd19=64.14 
ｒ35=     ∞                ｄ35=   1.2400  
ｒ36=     ∞                
非球面係数
第１１面
Ｋ = 0
A4 = 8.8203 ×10-6
A6 = 9.5199 ×10-9
A8 =-4.6923 ×10-11 
A10= 0.0000 
第１７面
Ｋ = 0
A4 =-1.2806 ×10-5
A6 =-2.1296 ×10-9
A8 =-2.5132 ×10-11 
A10= 0.0000 
第２５面
Ｋ = 0
A4 =-1.7844 ×10-5
A6 = 8.4598 ×10-10 
A8 = 1.3070 ×10-10 
A10= 0.0000 
ズームデータ（∞）
Ｗ          ＷＳ        Ｓ          ＳＴ        Ｔ      
ｆ (mm)       7.33668    13.24737    23.30078    42.13815    74.69414 
ＦNO          2.8000      3.0902      3.5000      3.5000      3.5000  
ω (°)      38.27         .         13.00         .          4.12    
ｄ6           1.00000    11.42124    30.94061    48.29039    59.30210 
ｄ15         55.59662    25.85692    13.75365     6.56339     2.50000 
ｄ16         20.18772    14.53075    11.35844     7.51283     1.55935 
ｄ21          2.76426     4.80624     7.15711    10.16404    16.30729 
ｄ24          7.71856     7.83389     6.04720     4.97905     4.27440 
ｄ29          4.70560     8.31100    10.79320     8.56974    13.14420 
。
【０１３７】
（実施例１５）
ｒ1 =   132.6548            ｄ1 =   2.6000  ｎd1 =1.84666 νd1 =23.78 
ｒ2 =    79.4364            ｄ2 =   0.4361  
ｒ3 =    85.8501            ｄ3 =   6.6634  ｎd2 =1.60311 νd2 =60.64 
ｒ4 =  4.060×104           ｄ4 =   0.2000  
ｒ5 =    59.6705            ｄ5 =   6.1756  ｎd3 =1.49700 νd3 =81.54 
ｒ6 =   294.2591            ｄ6 = （可変）  
ｒ7 =    98.7402            ｄ7 =   1.5000  ｎd4 =1.77250 νd4 =49.60 
ｒ8 =    14.8930            ｄ8 =   9.4296  
ｒ9 =   -32.3971            ｄ9 =   1.3643  ｎd5 =1.77250 νd5 =49.60 
ｒ10=    70.8620            ｄ10=   2.0091  
ｒ11=   -72.3210（非球面）  ｄ11=   0.2000  ｎd6 =1.53508 νd6 =40.94 
ｒ12=  -200.0000            ｄ12=   1.2000  ｎd7 =1.69350 νd7 =53.20 
ｒ13=    67.0853            ｄ13=   0.2000  
ｒ14=    44.8428            ｄ14=   6.9613  ｎd8 =1.68893 νd8 =31.07 
ｒ15=   -35.6841            ｄ15= （可変）  
ｒ16=     ∞（絞り）        ｄ16= （可変）  
ｒ17=    21.0081（非球面）  ｄ17=   2.9255  ｎd9 =1.49700 νd9 =81.54 
ｒ18= -9.840×105           ｄ18=   0.1774  
ｒ19=    34.1654            ｄ19=   1.1208  ｎd10=1.77250 νd10=49.60 
ｒ20=    14.0687            ｄ20=   4.9352  ｎd11=1.49700 νd11=81.54 
ｒ21=   -74.9646            ｄ21= （可変）  
ｒ22=   -61.8007            ｄ22=   0.9000  ｎd12=1.51633 νd12=64.14 
ｒ23=    16.0108            ｄ23=   1.8375  ｎd13=1.84666 νd13=23.78 
ｒ24=    22.5570            ｄ24= （可変）  
ｒ25=    32.5943（非球面）  ｄ25=   4.3313  ｎd14=1.49700 νd14=81.54 
ｒ26=   -33.8655            ｄ26=   0.1500  
ｒ27=    53.1963            ｄ27=   1.1524  ｎd15=1.84666 νd15=23.78 
ｒ28=    18.3125            ｄ28=   3.6734  ｎd16=1.49700 νd16=81.54 
ｒ29=  -121.7913            ｄ29= （可変）  
ｒ30=     ∞                ｄ30=  16.0000  ｎd17=1.51633 νd17=64.14 
ｒ31=     ∞                ｄ31=   1.0000  
ｒ32=     ∞                ｄ32=   2.6000  ｎd18=1.54771 νd18=62.84 
ｒ33=     ∞                ｄ33=   1.0000  
ｒ34=     ∞                ｄ34=   0.7500  ｎd19=1.51633 νd19=64.14 
ｒ35=     ∞                ｄ35=   1.2400  
ｒ36=     ∞                
非球面係数
第１１面
Ｋ = 0
A4 = 5.6253 ×10-6
A6 = 8.1204 ×10-9
A8 =-1.5465 ×10-10 
A10= 0.0000 
第１７面
Ｋ = 0
A4 =-1.0911 ×10-5
A6 =-8.6347 ×10-10 
A8 =-3.2657 ×10-11 
A10= 0.0000 
第２５面
Ｋ = 0
A4 =-1.8333 ×10-5
A6 =-3.1998 ×10-9
A8 = 1.0415 ×10-10 
A10= 0.0000 
ズームデータ（∞）
Ｗ          ＷＳ        Ｓ          ＳＴ        Ｔ      
ｆ (mm)       7.28638    13.09183    23.29942    41.55110    74.69787 
ＦNO          2.8000      3.0933      3.5000      3.5000      3.5000  
ω (°)      38.41         .         13.04         .          4.13    
ｄ6           1.00000    12.01687    29.52891    47.09799    58.40761 
ｄ15         56.60227    27.25102    13.50469     7.09969     2.50000 
ｄ16         20.20946    14.09927    10.84298     7.36903     1.55935 
ｄ21          2.22975     4.07145     6.73846     9.29928    14.66227 
ｄ24          8.05739     8.70338     6.54360     6.01591     6.08811 
ｄ29          6.19420     9.22330    12.55330     8.60639    14.38620 
。
【０１３８】
（実施例１６）
ｒ1 =    80.0460            ｄ1 =   2.6000  ｎd1 =1.84666 νd1 =23.78 
ｒ2 =    57.3690            ｄ2 =   0.0798  
ｒ3 =    56.8758            ｄ3 =   6.9751  ｎd2 =1.49700 νd2 =81.54 
ｒ4 =   362.0517            ｄ4 =   0.2000  
ｒ5 =    73.3775            ｄ5 =   4.4654  ｎd3 =1.60311 νd3 =60.64 
ｒ6 =   289.7112            ｄ6 = （可変）  
ｒ7 =   177.0825            ｄ7 =   1.5000  ｎd4 =1.77250 νd4 =49.60 
ｒ8 =    16.8427            ｄ8 =   7.9000  
ｒ9 =   -29.2679（非球面）  ｄ9 =   1.3643  ｎd5 =1.77250 νd5 =49.60 
ｒ10=    67.6142            ｄ10=   3.5642  
ｒ11=   117.8157            ｄ11=   4.8943  ｎd6 =1.72825 νd6 =28.46 
ｒ12=   -31.3298            ｄ12=   0.5000  
ｒ13=   -63.4774            ｄ13=   1.0000  ｎd7 =1.74400 νd7 =44.78 
ｒ14=  -239.8825            ｄ14= （可変）  
ｒ15=  -435.4231            ｄ15=   1.2680  ｎd8 =1.72825 νd8 =28.46 
ｒ16=   514.6994            ｄ16=   1.3139  
ｒ17=     ∞（絞り）        ｄ17= （可変）  
ｒ18=    20.0387（非球面）  ｄ18=   5.6776  ｎd9 =1.49700 νd9 =81.54 
ｒ19=   -73.1240            ｄ19=   0.1774  
ｒ20=    46.3298            ｄ20=   1.1410  ｎd10=1.80440 νd10=39.59 
ｒ21=    13.8759            ｄ21=   5.4223  ｎd11=1.60311 νd11=60.64 
ｒ22=  -120.0020            ｄ22= （可変）  
ｒ23=   -55.7471            ｄ23=   0.9000  ｎd12=1.51633 νd12=64.14 
ｒ24=    11.2108            ｄ24=   1.8651  ｎd13=1.84666 νd13=23.78 
ｒ25=    15.9872            ｄ25= （可変）  
ｒ26=    55.1052            ｄ26=   2.9459  ｎd14=1.49700 νd14=81.54 
ｒ27=   -28.6459（非球面）  ｄ27=   0.1500  
ｒ28=    69.1964            ｄ28=   4.5501  ｎd15=1.60311 νd15=60.64 
ｒ29=   -13.8791            ｄ29=   1.0000  ｎd16=1.84666 νd16=23.78 
ｒ30=   -46.4615            ｄ30= （可変）  
ｒ31=     ∞                ｄ31=  16.0000  ｎd17=1.51633 νd17=64.14 
ｒ32=     ∞                ｄ32=   1.0000  
ｒ33=     ∞                ｄ33=   2.6000  ｎd18=1.54771 νd18=62.84 
ｒ34=     ∞                ｄ34=   1.0000  
ｒ35=     ∞                ｄ35=   0.7500  ｎd19=1.51633 νd19=64.14 
ｒ36=     ∞                ｄ36=   1.2400  
ｒ37=     ∞                
非球面係数
第９面
Ｋ = 0
A4 = 8.8395 ×10-6
A6 = 5.0711 ×10-9
A8 =-1.9545 ×10-11 
A10= 0.0000 
第１８面
Ｋ = 0
A4 =-2.0678 ×10-5
A6 =-6.4243 ×10-9
A8 = 2.3028 ×10-11 
A10= 0.0000 
第２７面
Ｋ = 0
A4 =-3.0971 ×10-6
A6 =-9.4407 ×10-9
A8 = 1.9644 ×10-11 
A10= 0.0000 
ズームデータ（∞）
Ｗ          Ｓ          Ｔ      
ｆ (mm)       7.27185    23.29749    74.69992 
ＦNO          2.8000      3.5000      3.5000  
ω (°)      40.17       13.97        4.40    
ｄ6           1.36006    30.12912    58.31748 
ｄ14         54.70456    12.24625     1.70314 
ｄ17         17.26301     9.52391     1.02608 
ｄ22          1.50000     6.53585    16.09191 
ｄ25          7.85799     6.35824     6.81641 
ｄ30          4.64000     8.84600     7.32400 
。
【０１３９】
（実施例１７）
ｒ1 =    84.5614            ｄ1 =   2.6000  ｎd1 =1.84666 νd1 =23.78 
ｒ2 =    60.9235            ｄ2 =   0.1000  
ｒ3 =    60.9993            ｄ3 =   7.7500  ｎd2 =1.49700 νd2 =81.54 
ｒ4 =   411.3180            ｄ4 =   0.2000  
ｒ5 =    69.8137            ｄ5 =   5.8500  ｎd3 =1.60311 νd3 =60.64 
ｒ6 =   273.9185            ｄ6 = （可変）  
ｒ7 =   326.8029            ｄ7 =   1.8000  ｎd4 =1.81600 νd4 =46.62 
ｒ8 =    18.4614            ｄ8 =   5.8823  
ｒ9 =   -86.8945            ｄ9 =   1.1000  ｎd5 =1.73400 νd5 =51.47 
ｒ10=    32.9914            ｄ10=   5.2210  
ｒ11=   -30.1936（非球面）  ｄ11=   1.2000  ｎd6 =1.71300 νd6 =53.87 
ｒ12=  3.111×104           ｄ12=   0.1500  
ｒ13=    94.9186            ｄ13=   6.1767  ｎd7 =1.69895 νd7 =30.13 
ｒ14=   -27.0373            ｄ14= （可変）  
ｒ15=  -754.3167            ｄ15=   0.8000  ｎd8 =1.78472 νd8 =25.68 
ｒ16=    50.7584            ｄ16=   2.0000  ｎd9 =1.68893 νd9 =31.07 
ｒ17=   699.9122            ｄ17=   0.7000  
ｒ18=     ∞（絞り）        ｄ18= （可変）  
ｒ19=    19.3389（非球面）  ｄ19=   5.5976  ｎd10=1.49700 νd10=81.54 
ｒ20=   -64.3089            ｄ20=   0.1774  
ｒ21=    36.8090            ｄ21=   1.1410  ｎd11=1.80440 νd11=39.59 
ｒ22=    15.7560            ｄ22=   4.3000  ｎd12=1.49700 νd12=81.54 
ｒ23=  6909.3107            ｄ23= （可変）  
ｒ24=  -213.9678            ｄ24=   0.9000  ｎd13=1.51633 νd13=64.14 
ｒ25=    11.9504            ｄ25=   3.6757  ｎd14=1.84666 νd14=23.78 
ｒ26=    15.7330            ｄ26= （可変）  
ｒ27=    56.9085            ｄ27=   3.2663  ｎd15=1.49700 νd15=81.54 
ｒ28=   -49.9335（非球面）  ｄ28=   0.1500  
ｒ29=    48.3454            ｄ29=   5.3103  ｎd16=1.60311 νd16=60.64 
ｒ30=   -12.9112            ｄ30=   0.8500  ｎd17=1.84666 νd17=23.78 
ｒ31=   -36.0617            ｄ31= （可変）  
ｒ32=     ∞                ｄ32=  16.0000  ｎd18=1.51633 νd18=64.14 
ｒ33=     ∞                ｄ33=   1.0000  
ｒ34=     ∞                ｄ34=   2.6000  ｎd19=1.54771 νd19=62.84 
ｒ35=     ∞                ｄ35=   1.0000  
ｒ36=     ∞                ｄ36=   0.7500  ｎd20=1.51633 νd20=64.14 
ｒ37=     ∞                ｄ37=   1.2400  
ｒ38=     ∞                
非球面係数
第１１面
Ｋ = 0
A4 = 3.5442 ×10-6
A6 =-1.0145 ×10-8
A8 = 4.1292 ×10-11 
A10= 0.0000 
第１９面
Ｋ = 0
A4 =-2.3122 ×10-5
A6 =-1.0925 ×10-9
A8 =-1.2640 ×10-10 
A10= 0.0000 
第２８面
Ｋ = 0
A4 =-2.8818 ×10-6
A6 =-5.4227 ×10-9
A8 =-2.8339 ×10-10 
A10= 0.0000 
ズームデータ（∞）
Ｗ          Ｓ          Ｔ      
ｆ (mm)       7.27212    23.29915    74.69940 
ＦNO          2.8000      3.5000      3.5000  
ω (°)      38.44       13.06        4.09    
ｄ6           1.36006    31.23645    59.54246 
ｄ14         52.32231    11.30384     1.70314 
ｄ18         17.20275     8.82296     1.02608 
ｄ23          1.50000     6.61710    16.48589 
ｄ26          6.17485     5.37142     6.39230 
ｄ31          2.40000     6.46400     3.36900 
。
【０１４０】
（実施例１８）
ｒ1 =    85.6717            ｄ1 =   2.6000  ｎd1 =1.84666 νd1 =23.78 
ｒ2 =    61.4682            ｄ2 =   0.1000  
ｒ3 =    61.7093            ｄ3 =   7.7500  ｎd2 =1.49700 νd2 =81.54 
ｒ4 =   391.3879            ｄ4 =   0.2000  
ｒ5 =    71.8120            ｄ5 =   5.8500  ｎd3 =1.60311 νd3 =60.64 
ｒ6 =   318.2499            ｄ6 = （可変）  
ｒ7 =   360.3572            ｄ7 =   1.8000  ｎd4 =1.81600 νd4 =46.62 
ｒ8 =    18.8770            ｄ8 =   5.9565  
ｒ9 =   -91.8447            ｄ9 =   1.1000  ｎd5 =1.73400 νd5 =51.47 
ｒ10=    33.5783            ｄ10=   5.2551  
ｒ11=   -31.3548（非球面）  ｄ11=   1.2000  ｎd6 =1.71300 νd6 =53.87 
ｒ12=  4.805×104           ｄ12=   0.1500  
ｒ13=    97.5840            ｄ13=   6.2516  ｎd7 =1.69895 νd7 =30.13 
ｒ14=   -27.8035            ｄ14= （可変）  
ｒ15=     ∞                ｄ15=   1.8000  ｎd8 =1.78472 νd8 =25.68 
ｒ16=   268.7641（非球面）  ｄ16=   1.0000  
ｒ17=     ∞（絞り）        ｄ17= （可変）  
ｒ18=    18.6304（非球面）  ｄ18=   5.6253  ｎd9 =1.49700 νd9 =81.54 
ｒ19=   -57.6238            ｄ19=   0.1774  
ｒ20=    34.9774            ｄ20=   1.1410  ｎd10=1.80440 νd10=39.59 
ｒ21=    14.9385            ｄ21=   4.3000  ｎd11=1.49700 νd11=81.54 
ｒ22=  4295.3319            ｄ22= （可変）  
ｒ23=  -226.3830            ｄ23=   0.9000  ｎd12=1.51633 νd12=64.14 
ｒ24=    11.9132            ｄ24=   3.6481  ｎd13=1.84666 νd13=23.78 
ｒ25=    15.2759            ｄ25= （可変）  
ｒ26=    54.3162            ｄ26=   3.3130  ｎd14=1.49700 νd14=81.54 
ｒ27=   -51.5747（非球面）  ｄ27=   0.1500  
ｒ28=    49.4131            ｄ28=   5.2625  ｎd15=1.60311 νd15=60.64 
ｒ29=   -13.1129            ｄ29=   0.8500  ｎd16=1.84666 νd16=23.78 
ｒ30=   -36.5139            ｄ30= （可変）  
ｒ31=     ∞                ｄ31=  16.0000  ｎd17=1.51633 νd17=64.14 
ｒ32=     ∞                ｄ32=   1.0000  
ｒ33=     ∞                ｄ33=   2.6000  ｎd18=1.54771 νd18=62.84 
ｒ34=     ∞                ｄ34=   1.0000  
ｒ35=     ∞                ｄ35=   0.7500  ｎd19=1.51633 νd19=64.14 
ｒ36=     ∞                ｄ36=   1.2400  
ｒ37=     ∞                
非球面係数
第１１面
Ｋ = 0
A4 = 3.5400 ×10-6
A6 =-7.6377 ×10-9
A8 = 4.0209 ×10-11 
A10= 0.0000 
第１６面
Ｋ = 0
A4 =-4.0343 ×10-7
A6 = 2.7672 ×10-8
A8 =-2.5380 ×10-10 
A10= 0.0000 
第１８面
Ｋ = 0
A4 =-2.6388 ×10-5
A6 =-1.7329 ×10-9
A8 =-1.6305 ×10-10 
A10= 0.0000 
第２７面
Ｋ = 0
A4 =-3.4938 ×10-6
A6 =-5.9935 ×10-9
A8 =-2.8356 ×10-10 
A10= 0.0000 
ズームデータ（∞）
Ｗ          Ｓ          Ｔ      
ｆ (mm)       7.27244    23.30032    74.70039 
ＦNO          2.8000      3.5000      3.5000  
ω (°)      38.45       13.05        4.09    
ｄ6           1.36006    31.15403    59.61613 
ｄ14         52.28998    11.32834     1.70314 
ｄ17         17.27794     8.92919     1.02608 
ｄ22          1.50000     6.44912    16.47111 
ｄ25          6.18489     5.46432     6.07561 
ｄ30          2.39700     6.50900     3.82700 
。
【０１４１】
（実施例１９）
ｒ1 =   102.8951            ｄ1 =   2.2000  ｎd1 =1.84666 νd1 =23.78 
ｒ2 =    61.5389            ｄ2 =  11.0000  ｎd2 =1.49700 νd2 =81.54 
ｒ3 =  -641.2805            ｄ3 =   0.2750  
ｒ4 =    51.4180            ｄ4 =   6.1875  ｎd3 =1.69680 νd3 =55.53 
ｒ5 =   146.6226            ｄ5 = （可変）  
ｒ6 =   148.7220            ｄ6 =   1.9010  ｎd4 =1.83400 νd4 =37.16 
ｒ7 =    15.1960            ｄ7 =   8.2500  
ｒ8 =   -17.1556            ｄ8 =   1.6500  ｎd5 =1.80610 νd5 =40.92 
ｒ9 =    15.0399（非球面）  ｄ9 =   2.0625  
ｒ10=    58.8129            ｄ10=   3.4375  ｎd6 =1.68893 νd6 =31.07 
ｒ11=   -74.3150            ｄ11=   0.2062  
ｒ12=   241.0544            ｄ12=   4.8125  ｎd7 =1.68893 νd7 =31.07 
ｒ13=   -21.3830            ｄ13= （可変）  
ｒ14=     ∞（絞り）        ｄ14= （可変）  
ｒ15=    37.4279（非球面）  ｄ15=   3.4375  ｎd8 =1.49700 νd8 =81.54 
ｒ16=  -462.8778            ｄ16=   0.2062  
ｒ17=    15.8702            ｄ17=   5.5000  ｎd9 =1.59551 νd9 =39.24 
ｒ18=    79.4628            ｄ18=   1.3750  ｎd10=1.80610 νd10=40.92 
ｒ19=    14.4884            ｄ19= （可変）  
ｒ20=    26.6553            ｄ20=   4.1250  ｎd11=1.83400 νd11=37.16 
ｒ21=   147.2888            ｄ21=   0.4125  
ｒ22=   142.7176            ｄ22=   1.3750  ｎd12=1.84666 νd12=23.78 
ｒ23=    17.8989            ｄ23=   6.1875  ｎd13=1.49700 νd13=81.54 
ｒ24=   -22.9886（非球面）  ｄ24= （可変）  
ｒ25=     ∞                ｄ25=  23.3750  ｎd14=1.51633 νd14=64.14 
ｒ26=     ∞                ｄ26=   1.3750  
ｒ27=     ∞                ｄ27=   2.2000  ｎd15=1.54771 νd15=62.84 
ｒ28=     ∞                ｄ28=   1.3750  
ｒ29=     ∞                ｄ29=   1.0313  ｎd16=1.52300 νd16=55.00 
ｒ30=     ∞                ｄ30=   3.2468  
ｒ31=     ∞                
非球面係数
第９面
Ｋ = 0
A4 =-1.4335 ×10-4
A6 = 3.6008 ×10-7
A8 =-1.5707 ×10-9
A10= 0.0000 
第１５面
Ｋ = 0
A4 =-8.3514 ×10-6
A6 =-6.4776 ×10-10 
A8 =-1.3217 ×10-11 
A10= 0.0000 
第２４面
Ｋ = 0
A4 = 2.1082 ×10-5
A6 = 9.2526 ×10-8
A8 =-1.4509 ×10-9
A10= 6.8600 ×10-12 
ズームデータ（∞）
Ｗ          Ｓ          Ｔ      
ｆ (mm)       7.15436    18.83672    50.05002 
ＦNO          2.0482      2.3536      2.5012  
ω (°)      38.38       15.78        6.16    
ｄ5           1.37500    23.10024    44.56543 
ｄ13         53.62605    19.09389     6.13762 
ｄ14         23.19509    10.31787     3.56923 
ｄ19          7.00580    12.70882    18.49477 
ｄ24          1.19821     7.55450     9.33878 
。
【０１４２】
（実施例２０）
ｒ1 =   155.9824            ｄ1 =   1.7875  ｎd1 =1.84666 νd1 =23.78 
ｒ2 =    61.8424            ｄ2 =  11.0000  ｎd2 =1.61800 νd2 =63.33 
ｒ3 =  -600.9530            ｄ3 =   0.2750  
ｒ4 =    47.5178            ｄ4 =   6.1875  ｎd3 =1.69680 νd3 =55.53 
ｒ5 =   121.5999            ｄ5 = （可変）  
ｒ6 =   119.2914            ｄ6 =   1.3750  ｎd4 =1.80610 νd4 =40.92 
ｒ7 =    13.2227（非球面）  ｄ7 =   8.2500  
ｒ8 =   -32.4710            ｄ8 =   1.6500  ｎd5 =1.83400 νd5 =37.16 
ｒ9 =    39.0123            ｄ9 =   1.3750  
ｒ10=   165.6443            ｄ10=   1.3750  ｎd6 =1.57501 νd6 =41.50 
ｒ11=    20.0406            ｄ11=   7.1500  ｎd7 =1.75520 νd7 =27.51 
ｒ12=   -48.8507            ｄ12= （可変）  
ｒ13=     ∞（絞り）        ｄ13= （可変）  
ｒ14=    30.8548            ｄ14=   3.4375  ｎd8 =1.80518 νd8 =25.42 
ｒ15=   -89.0085            ｄ15=   0.2062  
ｒ16=    38.9337（非球面）  ｄ16=   4.4000  ｎd9 =1.80610 νd9 =40.92 
ｒ17=   -94.3851            ｄ17=   1.3750  ｎd10=1.84666 νd10=23.78 
ｒ18=    32.5308            ｄ18= （可変）  
ｒ19=   -57.6645            ｄ19=   2.7500  ｎd11=1.77250 νd11=49.60 
ｒ20=   -47.1601            ｄ20=   1.3750  ｎd12=1.60342 νd12=38.03 
ｒ21=    30.6668            ｄ21= （可変）  
ｒ22=  -228.3337            ｄ22=   1.3750  ｎd13=1.84666 νd13=23.78 
ｒ23=    19.0716            ｄ23=   6.1875  ｎd14=1.49700 νd14=81.54 
ｒ24=   -31.2823（非球面）  ｄ24=   0.2062  
ｒ25=    36.1622            ｄ25=   6.1875  ｎd15=1.69350 νd15=53.21 
ｒ26=   -35.8359            ｄ26= （可変）  
ｒ27=     ∞                ｄ27=  23.3750  ｎd16=1.51633 νd16=64.14 
ｒ28=     ∞                ｄ28=   1.3750  
ｒ29=     ∞                ｄ29=   2.2000  ｎd17=1.54771 νd17=62.84 
ｒ30=     ∞                ｄ30=   1.3750  
ｒ31=     ∞                ｄ31=   1.0313  ｎd18=1.52300 νd18=55.00 
ｒ32=     ∞                ｄ32=   3.2377  
ｒ33=     ∞                
非球面係数
第７面
Ｋ = 0
A4 =-2.0811 ×10-5
A6 =-9.3584 ×10-10 
A8 =-9.2039 ×10-10 
A10= 0.0000 
第１６面
Ｋ = 0
A4 =-9.0277 ×10-6
A6 = 2.1013 ×10-8
A8 =-5.4554 ×10-10 
A10= 2.6012 ×10-12 
第２４面
Ｋ = 0
A4 =-1.8657 ×10-6
A6 = 2.3003 ×10-8
A8 =-5.0119 ×10-10 
A10= 0.0000 
ズームデータ（∞）
Ｗ          Ｓ          Ｔ      
ｆ (mm)       7.16206    18.83631    50.04733 
ＦNO          2.0290      2.3673      2.8226  
ω (°)      38.34       15.98        6.16    
ｄ5           1.37500    20.39279    42.36136 
ｄ12         49.98780    14.95968     7.89768 
ｄ13         20.74150    12.47266     4.81483 
ｄ18          2.75692     5.61404    10.58915 
ｄ21          7.73772     5.38351     6.87877 
ｄ26          2.75000     9.90480    11.70852 
。
【０１４３】
（実施例２１）
ｒ1 =   104.3405            ｄ1 =   2.2000  ｎd1 =1.84666 νd1 =23.78 
ｒ2 =    59.5725            ｄ2 =  11.0000  ｎd2 =1.49700 νd2 =81.54 
ｒ3 = -1321.3547            ｄ3 =   0.2750  
ｒ4 =    47.5960            ｄ4 =   6.1875  ｎd3 =1.69680 νd3 =55.53 
ｒ5 =   136.8909            ｄ5 = （可変）  
ｒ6 =   140.6680            ｄ6 =   1.9010  ｎd4 =1.80610 νd4 =40.92 
ｒ7 =    13.7491（非球面）  ｄ7 =   6.1875  
ｒ8 =   -60.0958            ｄ8 =   1.6500  ｎd5 =1.83400 νd5 =37.16 
ｒ9 =    61.9207            ｄ9 =   4.1250  
ｒ10=   -21.5206            ｄ10=   1.3750  ｎd6 =1.63930 νd6 =44.87 
ｒ11=    56.5075            ｄ11=   3.4375  
ｒ12=    96.6074            ｄ12=   5.5000  ｎd7 =1.80100 νd7 =34.97 
ｒ13=   -25.9673            ｄ13= （可変）  
ｒ14=     ∞（絞り）        ｄ14=   2.7500  
ｒ15=   -40.0734            ｄ15=   1.2375  ｎd8 =1.60311 νd8 =60.64 
ｒ16=   -78.4453            ｄ16= （可変）  
ｒ17=    34.7554            ｄ17=   4.8125  ｎd9 =1.80809 νd9 =22.76 
ｒ18=  1028.4306            ｄ18=   0.2062  
ｒ19=    60.9355（非球面）  ｄ19=   4.4000  ｎd10=1.80610 νd10=40.92 
ｒ20=   -29.1117            ｄ20=   1.3750  ｎd11=1.84666 νd11=23.78 
ｒ21=   127.3373            ｄ21= （可変）  
ｒ22=    32.2756            ｄ22=   2.7500  ｎd12=1.60342 νd12=38.03 
ｒ23=   145.1897            ｄ23=   1.3750  ｎd13=1.77250 νd13=49.60 
ｒ24=    16.7202            ｄ24= （可変）  
ｒ25=    33.5170            ｄ25=   7.5625  ｎd14=1.49700 νd14=81.54 
ｒ26=   -27.9038（非球面）  ｄ26=   0.2062  
ｒ27=    69.1174            ｄ27=   1.3750  ｎd15=1.84666 νd15=23.78 
ｒ28=    19.6221            ｄ28=   6.1875  ｎd16=1.49700 νd16=81.54 
ｒ29=   -57.6668            ｄ29= （可変）  
ｒ30=     ∞                ｄ30=  23.3750  ｎd17=1.51633 νd17=64.14 
ｒ31=     ∞                ｄ31=   1.3750  
ｒ32=     ∞                ｄ32=   2.2000  ｎd18=1.54771 νd18=62.84 
ｒ33=     ∞                ｄ33=   1.3750  
ｒ34=     ∞                ｄ34=   1.0313  ｎd19=1.52300 νd19=55.00 
ｒ35=     ∞                ｄ35=   3.2477  
ｒ36=     ∞                
非球面係数
第７面
Ｋ = 0
A4 =-9.7269 ×10-6
A6 =-1.1309 ×10-7
A8 = 6.4969 ×10-10 
A10= 0.0000 
第１９面
Ｋ = 0
A4 =-7.1713 ×10-6
A6 =-1.9289 ×10-9
A8 =-3.9414 ×10-11 
A10= 2.4197 ×10-13 
第２６面
Ｋ = 0
A4 =-5.4190 ×10-7
A6 =-2.7019 ×10-8
A8 =-3.8924 ×10-11 
A10= 0.0000 
ズームデータ（∞）
Ｗ          Ｓ          Ｔ      
ｆ (mm)       7.14571    18.85522    50.04974 
ＦNO          2.0047      2.3661      2.8509  
ω (°)      38.44       15.98        6.16    
ｄ5           1.37500    21.94583    42.47373 
ｄ13         50.65754    14.25486     5.45806 
ｄ16         21.33520    12.38223     5.88901 
ｄ21          2.74731     5.18781    10.57000 
ｄ24          7.02907     7.05019     6.86418 
ｄ29          2.75000     9.01050    10.53508 
。
【０１４４】
（実施例２２）
ｒ1 =   131.8770            ｄ1 =   2.6000  ｎd1 =1.84666 νd1 =23.78 
ｒ2 =    77.6142            ｄ2 =   0.2000  
ｒ3 =    80.8510            ｄ3 =   6.3796  ｎd2 =1.49700 νd2 =81.54 
ｒ4 = -2977.8302            ｄ4 =   0.2000  
ｒ5 =    67.0321            ｄ5 =   5.0727  ｎd3 =1.69680 νd3 =55.53 
ｒ6 =   266.3144            ｄ6 = （可変）  
ｒ7 =  1181.5043            ｄ7 =   1.7000  ｎd4 =1.77250 νd4 =49.60 
ｒ8 =    17.1175            ｄ8 =   8.6482  
ｒ9 =   -77.8867（非球面）  ｄ9 =   0.2000  ｎd5 =1.53508 νd5 =40.94 
ｒ10=  -246.1158            ｄ10=   1.3000  ｎd6 =1.77250 νd6 =49.60 
ｒ11=   430.0786            ｄ11=   4.1745  
ｒ12=   -24.0715            ｄ12=   1.1790  ｎd7 =1.48749 νd7 =70.23 
ｒ13=  -346.5320            ｄ13=   4.4844  ｎd8 =1.84666 νd8 =23.78 
ｒ14=   -42.2965            ｄ14= （可変）  
ｒ15=   -13.2198            ｄ15=   1.3000  ｎd9 =1.77250 νd9 =49.60 
ｒ16=   -14.9920            ｄ16=   1.0969  
ｒ17=     ∞（絞り）        ｄ17= （可変）  
ｒ18=    23.9865（非球面）  ｄ18=   5.3859  ｎd10=1.49700 νd10=81.54 
ｒ19=   -62.7302            ｄ19=   0.4217  
ｒ20=    65.9532            ｄ20=   1.1010  ｎd11=1.80610 νd11=40.92 
ｒ21=    18.5852            ｄ21=   5.1465  ｎd12=1.49700 νd12=81.54 
ｒ22=   -44.8828            ｄ22= （可変）  
ｒ23=   -97.1974            ｄ23=   0.9000  ｎd13=1.51633 νd13=64.14 
ｒ24=    13.4425            ｄ24=   3.0840  ｎd14=1.84666 νd14=23.78 
ｒ25=    18.2242            ｄ25= （可変）  
ｒ26=    22.8739（非球面）  ｄ26=   4.4524  ｎd15=1.49700 νd15=81.54 
ｒ27=   -32.9476            ｄ27=   0.1500  
ｒ28=   111.9927            ｄ28=   3.9237  ｎd16=1.61800 νd16=63.33 
ｒ29=   -19.6931            ｄ29=   1.0000  ｎd17=1.84666 νd17=23.78 
ｒ30=  -150.1546            ｄ30= （可変）  
ｒ31=     ∞                ｄ31=  16.0000  ｎd18=1.51633 νd18=64.14 
ｒ32=     ∞                ｄ32=   1.0000  
ｒ33=     ∞                ｄ33=   2.6000  ｎd19=1.54771 νd19=62.84 
ｒ34=     ∞                ｄ34=   1.0000  
ｒ35=     ∞                ｄ35=   0.7500  ｎd20=1.51633 νd20=64.14 
ｒ36=     ∞                ｄ36=   1.2400  
ｒ37=     ∞                
非球面係数
第９面
Ｋ = 0
A4 = 2.1755 ×10-5
A6 = 7.8908 ×10-8
A8 =-3.9978 ×10-10 
A10= 1.3455 ×10-12 
第１８面
Ｋ = 0
A4 =-1.6485 ×10-5
A6 = 1.0262 ×10-8
A8 =-3.9805 ×10-10 
A10= 3.5368 ×10-12 
第２６面
Ｋ = 0
A4 =-1.4825 ×10-5
A6 =-5.9281 ×10-8
A8 = 7.7542 ×10-10 
A10=-4.4522 ×10-12 
ズームデータ（∞）
Ｗ          ＷＳ        Ｓ          ＳＴ        Ｔ      
ｆ (mm)       7.25994    12.99981    23.29962    41.72909    74.74765 
ＦNO          2.8000      3.3689      3.5000      3.5000      3.5000  
ω (°)      38.50         .         13.16         .          4.16    
ｄ6           1.61417    10.64862    30.77400    47.23205    58.71613 
ｄ14         44.70529    23.26327    13.31755     6.20175     2.00079 
ｄ17         17.54504    10.44417     7.81832     5.52178     1.09606 
ｄ22          1.50000     7.82981    12.51540    16.74044    22.56134 
ｄ25         10.82401    10.71984     7.99123     5.55224     4.75986 
ｄ30          4.54790     5.42312     6.09200     6.60249     5.99969 
。
【０１４５】
（実施例２３）
ｒ1 =   120.4727            ｄ1 =   2.6000  ｎd1 =1.84666 νd1 =23.78 
ｒ2 =    73.3708            ｄ2 =   0.2000  
ｒ3 =    76.1454            ｄ3 =   6.5370  ｎd2 =1.49700 νd2 =81.54 
ｒ4 =  2489.4366            ｄ4 =   0.2000  
ｒ5 =    67.2263            ｄ5 =   5.1710  ｎd3 =1.69680 νd3 =55.53 
ｒ6 =   274.6988            ｄ6 = （可変）  
ｒ7 =   714.7087            ｄ7 =   1.7000  ｎd4 =1.77250 νd4 =49.60 
ｒ8 =    16.1327            ｄ8 =   8.7770  
ｒ9 =   -81.5087（非球面）  ｄ9 =   1.5000  ｎd5 =1.69350 νd5 =53.20 
ｒ10= -1305.7058            ｄ10=   4.0368  
ｒ11=   -20.2734            ｄ11=   1.1790  ｎd6 =1.48749 νd6 =70.23 
ｒ12=   -62.9405            ｄ12=   4.8993  ｎd7 =1.84666 νd7 =23.78 
ｒ13=   -30.8273            ｄ13= （可変）  
ｒ14=   -15.4268            ｄ14=   1.3000  ｎd8 =1.77250 νd8 =49.60 
ｒ15=   -18.4448            ｄ15=   1.1025  
ｒ16=     ∞（絞り）        ｄ16= （可変）  
ｒ17=    25.1535（非球面）  ｄ17=   5.5136  ｎd9 =1.49700 νd9 =81.54 
ｒ18=   -55.2846            ｄ18=   1.5487  
ｒ19=    64.5304            ｄ19=   1.1010  ｎd10=1.80610 νd10=40.92 
ｒ20=    18.9507            ｄ20=   5.1163  ｎd11=1.49700 νd11=81.54 
ｒ21=   -43.1776            ｄ21= （可変）  
ｒ22=   -77.9341            ｄ22=   0.9000  ｎd12=1.51633 νd12=64.14 
ｒ23=    13.4277            ｄ23=   3.4850  ｎd13=1.84666 νd13=23.78 
ｒ24=    17.9962            ｄ24= （可変）  
ｒ25=    21.5792（非球面）  ｄ25=   4.5936  ｎd14=1.49700 νd14=81.54 
ｒ26=   -34.1855            ｄ26=   0.1500  
ｒ27=   300.7621            ｄ27=   4.4791  ｎd15=1.61800 νd15=63.33 
ｒ28=   -17.4341            ｄ28=   1.0000  ｎd16=1.84666 νd16=23.78 
ｒ29=   -75.6852            ｄ29= （可変）  
ｒ30=     ∞                ｄ30=  16.0000  ｎd17=1.51633 νd17=64.14 
ｒ31=     ∞                ｄ31=   1.0000  
ｒ32=     ∞                ｄ32=   2.6000  ｎd18=1.54771 νd18=62.84 
ｒ33=     ∞                ｄ33=   1.0000  
ｒ34=     ∞                ｄ34=   0.7500  ｎd19=1.51633 νd19=64.14 
ｒ35=     ∞                ｄ35=   1.2400  
ｒ36=     ∞                
非球面係数
第９面
Ｋ = 0
A4 = 1.8629 ×10-5
A6 = 6.9168 ×10-8
A8 =-2.7327 ×10-10 
A10= 1.2121 ×10-12 
第１７面
Ｋ = 0
A4 =-1.6089 ×10-5
A6 =-2.0073 ×10-8
A8 = 3.8142 ×10-10 
A10=-2.1082 ×10-12 
第２５面
Ｋ = 0
A4 =-1.5463 ×10-5
A6 =-2.6231 ×10-8
A8 = 2.4043 ×10-10 
A10=-9.6547 ×10-13 
ズームデータ（∞）
Ｗ          Ｓ          Ｔ      
ｆ (mm)       7.25982    23.29910    74.74396 
ＦNO          2.8000      3.5000      3.5000  
ω (°)      40.41       14.08        4.46    
ｄ6           1.59627    31.97645    59.22440 
ｄ13         44.75692    12.18599     2.03777 
ｄ16         17.39564     8.62546     1.04694 
ｄ21          1.58062    11.29335    21.65579 
ｄ24          9.55837     6.83300     4.68713 
ｄ29          4.66609     6.44892     5.81086 
。
【０１４６】
（実施例２４）
ｒ1 =   128.7222            ｄ1 =   2.6000  ｎd1 =1.84666 νd1 =23.78 
ｒ2 =    76.5762            ｄ2 =   0.1990  
ｒ3 =    79.6940            ｄ3 =   6.4626  ｎd2 =1.49700 νd2 =81.54 
ｒ4 = -2955.9452            ｄ4 =   0.2000  
ｒ5 =    67.1272            ｄ5 =   5.0669  ｎd3 =1.69680 νd3 =55.53 
ｒ6 =   263.8928            ｄ6 = （可変）  
ｒ7 =   380.2582            ｄ7 =   1.7000  ｎd4 =1.77250 νd4 =49.60 
ｒ8 =    15.9616            ｄ8 =   8.7181  
ｒ9 =   -59.9828            ｄ9 =   1.5000  ｎd5 =1.69350 νd5 =53.20 
ｒ10=  -301.9443（非球面）  ｄ10=   3.8167  
ｒ11=   -20.5627            ｄ11=   1.1790  ｎd6 =1.48749 νd6 =70.23 
ｒ12=   -59.0207            ｄ12=   5.1126  ｎd7 =1.84666 νd7 =23.78 
ｒ13=   -30.2745            ｄ13= （可変）  
ｒ14=   -15.4364            ｄ14=   1.3000  ｎd8 =1.77250 νd8 =49.60 
ｒ15=   -18.6107            ｄ15=   1.1009  
ｒ16=     ∞（絞り）        ｄ16= （可変）  
ｒ17=    25.8357（非球面）  ｄ17=   5.4824  ｎd9 =1.49700 νd9 =81.54 
ｒ18=   -58.3524            ｄ18=   1.9683  
ｒ19=    67.3450            ｄ19=   1.1010  ｎd10=1.80610 νd10=40.92 
ｒ20=    19.5738            ｄ20=   5.1220  ｎd11=1.49700 νd11=81.54 
ｒ21=   -40.5031            ｄ21= （可変）  
ｒ22=   -94.9007            ｄ22=   0.9000  ｎd12=1.51633 νd12=64.14 
ｒ23=    13.4666            ｄ23=   3.4715  ｎd13=1.84666 νd13=23.78 
ｒ24=    17.9806            ｄ24= （可変）  
ｒ25=    20.7610（非球面）  ｄ25=   4.5646  ｎd14=1.49700 νd14=81.54 
ｒ26=   -34.2142            ｄ26=   0.1500  
ｒ27=   513.7109            ｄ27=   4.4703  ｎd15=1.61800 νd15=63.33 
ｒ28=   -17.8110            ｄ28=   1.0000  ｎd16=1.84666 νd16=23.78 
ｒ29=   -83.6823            ｄ29= （可変）  
ｒ30=     ∞                ｄ30=  16.0000  ｎd17=1.51633 νd17=64.14 
ｒ31=     ∞                ｄ31=   1.0000  
ｒ32=     ∞                ｄ32=   2.6000  ｎd18=1.54771 νd18=62.84 
ｒ33=     ∞                ｄ33=   1.0000  
ｒ34=     ∞                ｄ34=   0.7500  ｎd19=1.51633 νd19=64.14 
ｒ35=     ∞                ｄ35=   1.2400  
ｒ36=     ∞                
非球面係数
第１０面
Ｋ = 0
A4 =-1.7426 ×10-5
A6 =-6.5228 ×10-8
A8 = 2.7392 ×10-10 
A10=-7.9412 ×10-13 
第１７面
Ｋ = 0
A4 =-1.6148 ×10-5
A6 = 6.2346 ×10-9
A8 =-1.2987 ×10-10 
A10= 1.1435 ×10-12 
第２５面
Ｋ = 0
A4 =-1.7043 ×10-5
A6 =-3.2560 ×10-8
A8 = 2.8184 ×10-10 
A10=-1.6473 ×10-12 
ズームデータ（∞）
Ｗ          Ｓ          Ｔ      
ｆ (mm)       7.25999    23.30005    74.75174 
ＦNO          2.8000      3.5000      3.5000  
ω (°)      38.46       13.17        4.17    
ｄ6           1.60767    32.04855    59.57895 
ｄ13         44.71134    12.27559     2.02865 
ｄ16         17.18153     8.38526     1.03922 
ｄ21          1.50000    11.41739    21.29066 
ｄ24          9.89355     6.80745     4.59258 
ｄ29          4.61028     6.57526     6.26289 
。
【０１４７】
（実施例２５）
ｒ1 =   125.0583            ｄ1 =   2.6000  ｎd1 =1.84666 νd1 =23.78 
ｒ2 =    75.8265            ｄ2 =   0.2052  
ｒ3 =    78.8734            ｄ3 =   6.6854  ｎd2 =1.49700 νd2 =81.54 
ｒ4 = -1567.5318            ｄ4 =   0.2000  
ｒ5 =    66.2728            ｄ5 =   5.0118  ｎd3 =1.69680 νd3 =55.53 
ｒ6 =   235.6712            ｄ6 = （可変）  
ｒ7 =   304.4445            ｄ7 =   1.7000  ｎd4 =1.77250 νd4 =49.60 
ｒ8 =    16.9298            ｄ8 =   8.3012  
ｒ9 =   -67.4212            ｄ9 =   1.5000  ｎd5 =1.77250 νd5 =49.60 
ｒ10=    58.4741            ｄ10=   4.0559  
ｒ11=   -33.1641            ｄ11=   1.1790  ｎd6 =1.48749 νd6 =70.23 
ｒ12=   123.4460            ｄ12=   4.7343  ｎd7 =1.68893 νd7 =31.07 
ｒ13=   -32.8044（非球面）  ｄ13= （可変）  
ｒ14=   -13.3788            ｄ14=   1.3000  ｎd8 =1.77250 νd8 =49.60 
ｒ15=   -14.1982            ｄ15=   0.9997  
ｒ16=     ∞（絞り）        ｄ16= （可変）  
ｒ17=    21.1913（非球面）  ｄ17=   5.3343  ｎd9 =1.49700 νd9 =81.54 
ｒ18=   -53.8005            ｄ18=   0.3147  
ｒ19=    53.6050            ｄ19=   1.1010  ｎd10=1.80610 νd10=40.92 
ｒ20=    16.0840            ｄ20=   5.1135  ｎd11=1.49700 νd11=81.54 
ｒ21=  -142.9938            ｄ21= （可変）  
ｒ22=   -42.8783            ｄ22=   0.9000  ｎd12=1.51633 νd12=64.14 
ｒ23=    13.9697            ｄ23=   3.3288  ｎd13=1.84666 νd13=23.78 
ｒ24=    21.2945            ｄ24= （可変）  
ｒ25=    31.1501（非球面）  ｄ25=   4.3266  ｎd14=1.49700 νd14=81.54 
ｒ26=   -23.5905            ｄ26=   0.1500  
ｒ27=   911.4978            ｄ27=   4.2792  ｎd15=1.61800 νd15=63.33 
ｒ28=   -15.3539            ｄ28=   1.0000  ｎd16=1.84666 νd16=23.78 
ｒ29=   -50.5690            ｄ29= （可変）  
ｒ30=     ∞                ｄ30=  16.0000  ｎd17=1.51633 νd17=64.14 
ｒ31=     ∞                ｄ31=   1.0000  
ｒ32=     ∞                ｄ32=   2.6000  ｎd18=1.54771 νd18=62.84 
ｒ33=     ∞                ｄ33=   1.0000  
ｒ34=     ∞                ｄ34=   0.7500  ｎd19=1.51633 νd19=64.14 
ｒ35=     ∞                ｄ35=   1.2400  
ｒ36=     ∞                
非球面係数
第１３面
Ｋ = 0
A4 =-7.0043 ×10-6
A6 =-5.4249 ×10-9
A8 = 3.0262 ×10-12 
A10= 0.0000 
第１７面
Ｋ = 0
A4 =-1.8414 ×10-5
A6 =-1.4788 ×10-8
A8 = 5.9114 ×10-11 
A10= 0.0000 
第２５面
Ｋ = 0
A4 =-2.1192 ×10-5
A6 =-1.3690 ×10-8
A8 = 1.3573 ×10-10 
A10= 0.0000 
ズームデータ（∞）
Ｗ          Ｓ          Ｔ      
ｆ (mm)       2.8000      3.5000      3.5000  
ＦNO          7.26001    23.29997    74.74863 
ω (°)      38.37       13.00        4.12    
ｄ6           1.71542    30.14291    58.15917 
ｄ13         44.90072    12.40034     2.55088 
ｄ16         19.05859     8.36633     0.99888 
ｄ21          1.50000    12.21200    22.72088 
ｄ24          8.15011     6.36382     5.19171 
ｄ29          4.65995     6.42650     4.45718 
。
【０１４８】
以上の実施例１〜２５の無限遠物点合焦時の収差図を図２６〜図５０に示す。これらの収差図において、（ａ）は広角端、（ｂ）は中間状態、（ｃ）は望遠端における球面収差ＳＡ、非点収差ＡＳ、歪曲収差ＤＴ、倍率色収差ＣＣを示す。ただし、図中、“ＦＩＹ”は像高を表している。
【０１４９】
次に、上記各実施例における条件式（１）〜（１４）の値を以下に示す。
条件式      実施例１  実施例２  実施例３  実施例４  実施例５
（１）        9.303     9.549     9.718     9.690     9.615 
（２）        0.0280    0.0280    0.0280   -0.0019   -0.0019
（３）        5.104     5.097     5.172     5.302     5.296 
（４）       -0.331    -0.122    -0.068    -0.171    -0.175 
（５）        0.581     0.570     0.557     0.594     0.610 
（６）       10.296    10.296    10.296    10.296    10.296 
（７）       -0.287    -0.288    -0.269    -0.285    -0.281 
（８）        0.058     0.182     0.151     0.068    -0.039 
（９）       -0.010     0.085     0.159     0.235     0.257 
（10）        1.637     1.349     1.465     1.724     1.691 
（11）        0.306     0.069    -0.139    -0.618    -0.545 
（12）        2.846     2.846     2.891     2.846     2.956 
（13）        2.800     2.800     2.800     2.800     2.800 
（14）        2.984     3.206     3.124     3.060     3.066 
。
【０１５０】
条件式      実施例６  実施例７  実施例８  実施例９  実施例10
（１）        9.257     9.346     9.311     9.123     9.260 
（２）        0.0280    0.0280    0.0280    0.0280    0.0280
（３）        5.096     5.073     5.202     5.373     5.163 
（４）       -0.366    -0.508    -0.366    -0.750    -0.362 
（５）        0.592     0.566     0.610     0.643     0.610 
（６）       10.297    10.296    10.296    10.295    10.297 
（７）       -0.274    -0.297    -0.275    -0.326    -0.257 
（８）        0.075     0.264     0.034     0.524     0.143 
（９）        0.015     0.057     0.190     0.315    -0.034 
（10）        1.744     2.059     1.668     2.280     1.622 
（11）        0.223    -0.117     0.000      ----     0.274 
（12）        2.834     2.798     2.789     2.475     2.848 
（13）        2.800     2.800     2.800     2.800     2.800 
（14）        2.940     2.982     3.003     2.839     3.014 
。
【０１５１】
条件式      実施例11  実施例12  実施例13  実施例14  実施例15
（１）        9.978     9.887     9.754    10.142     9.704 
（２）        0.0280    0.0280    0.0280    0.0280    0.0280
（３）        5.452     5.330     5.184     5.300     5.219 
（４）       -0.138    -0.156    -0.052    -0.096    -0.061 
（５）        0.591     0.576     0.547     0.502     0.539 
（６）       10.178    10.158    10.265    10.191    10.252 
（７）       -0.255    -0.261    -0.334    -0.315    -0.306 
（８）        0.177     0.253     0.187     0.302     0.187 
（９）        0.055     0.123     0.366     0.455     0.439 
（10）        1.478     1.495     1.711     1.685     1.696 
（11）       -0.078    -0.157    -0.444    -0.454    -0.566 
（12）        2.784     2.334     2.954     2.818     3.041 
（13）        2.800     2.800     2.800     2.800     2.800 
（14）        3.225     3.122     3.289     3.030     2.986 
。
【０１５２】
条件式      実施例16  実施例17  実施例18  実施例19  実施例20
（１）        9.110     9.595     9.707     7.465     7.644 
（２）        0.0280    0.0280    0.0280    0.0280    0.0051
（３）        4.827     5.289     5.296     3.927     3.727 
（４）       -0.075    -0.149    -0.153     0.090     0.026 
（５）        0.542     0.603     0.589     0.704     0.584 
（６）       10.273    10.272    10.272     6.996     6.988 
（７）       -0.286    -0.270    -0.264    -0.294    -0.346 
（８）        0.149     0.235     0.238     0.045     0.606 
（９）        0.165     0.060     0.088     0.415     0.562 
（10）        1.376     1.470     1.481     1.784     1.448 
（11）       -0.139    -0.108    -0.120      ----    -0.736 
（12）        2.834     2.525     2.525     3.454     3.665 
（13）        2.800     2.800     2.800     2.048     2.029 
（14）        2.817     3.103     3.122     3.078     2.989 
。
【０１５３】
条件式      実施例21  実施例22  実施例23  実施例24  実施例25
（１）        7.409     9.448     8.780     9.391     9.275 
（２）        0.0280    0.0280    0.0280    0.0280    0.0280
（３）        3.736     5.191     4.884     5.270     5.131 
（４）        0.091    -0.337    -0.349    -0.358    -0.333 
（５）        0.656     0.578     0.596     0.605     0.585 
（６）        7.004    10.296    10.296    10.296    10.296 
（７）       -0.490    -0.291    -0.281    -0.280    -0.301 
（８）       -0.102     0.077     0.045     0.056     0.054 
（９）        0.504     0.088     0.070     0.102    -0.011 
（10）        1.404     1.495     1.386     1.467     1.642 
（11）       -0.693     0.419     0.316     0.332     0.287 
（12）        3.675     2.826     2.842     2.834     2.841 
（13）        2.005     2.800     2.800     2.800     2.800 
（14）        3.085     2.967     2.748     2.922     2.938 
。
【０１５４】
さて、以上のような本発明の電子撮像装置は、ズームレンズで物体像を形成しその像をＣＣＤや銀塩フィルムといった撮像素子に受光させて撮影を行う撮影装置、とりわけデジタルカメラやビデオカメラ、情報処理装置の例であるパソコン、電話、特に持ち運びに便利な携帯電話等に用いることができる。以下に、その実施形態を例示する。
【０１５５】
図５１〜図５３は、本発明によるのズームレンズをデジタルカメラの撮影光学系４１に組み込んだ構成の概念図を示す。図５１はデジタルカメラ４０の外観を示す前方斜視図、図５２は同後方斜視図、図５３はデジタルカメラ４０の構成を示す断面図である。デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含み、カメラ４０の上部に配置されたシャッター４５を押圧すると、それに連動して本発明のズームレンズ（図では略記）からなる撮影光学系４１、例えば実施例１のズームレンズを通して撮影が行われる。撮影光学系４１によって形成された物体像が、近赤外カットコートを設けた光学的ローパスフィルターを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０１５６】
さらに、ファインダー用光路４４上にはファインダー用対物光学系５３が配置してある。このファインダー用対物光学系５３によって形成された物体像は、像正立部材であるポロプリズム５５の視野枠５７上に形成される。このポリプリズム５５の後方には、正立正像にされた像を観察者眼球Ｅに導く接眼光学系５９が配置されている。なお、撮影光学系
４１及びファインダー用対物光学系５３の入射側、接眼光学系５９の射出側にそれぞれカバー部材５０が配置されている。
【０１５７】
このように構成されたデジタルカメラ４０は、撮影光学系４１が広画角で高変倍比であり、収差が良好で、明るく、フィルター等が配置できるバックフォーカスの大きなズームレンズであるので、高性能・低コスト化が実現できる。
【０１５８】
図５３の例では、カバー部材５０として平行平面板を配置しているが、パワーを持ったレンズを用いてもよい。
【０１５９】
なお、図５３の例では、撮影用光路４２とファインダー用光路４４とが並列に設けられたデジタルカメラの例であったが、撮影光学系４１のズームレンズの撮像面との間にファインダー用光路分割プリズムを設けてＴＴＬとする場合は、ファインダー用対物光学系５３とポリプリズム５５を省き、その代わりにペンタプリズムを配置して撮影光学系４１を通して被写体像を観察者眼球Ｅに導くようにする。
【０１６０】
次に、本発明のズームレンズが対物光学系として内蔵された情報処理装置の一例であるパソコンが図５４〜図５６に示される。図５４はパソコン３００のカバーを開いた前方斜視図、図５５はパソコン３００の撮影光学系３０３の断面図、図５６は図５４の状態の側面図である。図５４〜図５６に示されるように、パソコン３００は、外部から繰作者が情報を入力するためのキーボード３０１と、図示を省略した情報処理手段や記録手段と、情報を操作者に表示するモニター３０２と、操作者自身や周辺の像を撮影するための撮影光学系３０３とを有している。ここで、モニター３０２は、図示しないバックライトにより背面から照明する透過型液晶表示素子や、前面からの光を反射して表示する反射型液晶表示素子や、ＣＲＴディスプレイ等であってよい。また、図中、撮影光学系３０３は、モニター３０２の右上に内蔵されているが、その場所に限らず、モニター３０２の周囲や、キーボード３０１の周囲のどこであってもよい。
【０１６１】
この撮影光学系３０３は、撮影光路３０４上に、本発明によるズームレンズ（図では略記）からなる対物レンズ１１２と、像を受光する撮像素子チップ１６２とを有している。これらはパソコン３００に内蔵されている。
【０１６２】
ここで、撮像素子チップ１６２上には光学的ローパスフィルターが付加的に貼り付けられて撮像ユニット１６０として一体に形成され、対物レンズ１１２の鏡枠１１３の後端にワンタッチで嵌め込まれて取り付け可能になっているため、対物レンズ１１２と撮像素子チップ１６２の中心合わせや面間隔の調整が不要であり、組立が簡単となっている。また、鏡枠１１３の先端には、対物レンズ１１２を保護するためのカバーガラス１１４が配置されている。なお、鏡枠１１３中のズームレンズの駆動機構は図示を省いてある。
【０１６３】
撮像素子チップ１６２で受光された物体像は、端子１６６を介して、パソコン３００の処理手段に入力され、電子画像としてモニター３０２に表示される、図５４には、その一例として、操作者の撮影された画像３０５が示されている。また、この画像３０５は、処理手段を介し、インターネットや電話を介して、遠隔地から通信相手のパソコンに表示されることも可能である。
【０１６４】
次に、本発明のズームレンズが撮影光学系として内蔵された情報処理装置の一例である電話、特に持ち運びに便利な携帯電話が図５７に示される。図５７（ａ）は携帯電話４００の正面図、図５７（ｂ）は側面図、図５７（ｃ）は撮影光学系４０５の断面図である。図５７（ａ）〜（ｃ）に示されるように、携帯電話４００は、操作者の声を情報として入力するマイク部４０１と、通話相手の声を出力するスピーカ部４０２と、操作者が情報を
入力する入力ダイアル４０３と、操作者自身や通話相手等の撮影像と電話番号等の情報を表示するモニター４０４と、撮影光学系４０５と、通信電波の送信と受信を行うアンテナ４０６と、画像情報や通信情報、入力信号等の処理を行う処理手段（図示せず）とを有している。ここで、モニター４０４は液晶表示素子である。また、図中、各構成の配置位置は、特にこれらに限られない。この撮影光学系４０５は、撮影光路４０７上に配置された本発明によるズームレンズ（図では略記）からなる対物レンズ１１２と、物体像を受光する撮像素子チップ１６２とを有している。これらは、携帯電話４００に内蔵されている。
【０１６５】
ここで、撮像素子チップ１６２上には光学的ローパスフィルターが付加的に貼り付けられて撮像ユニット１６０として一体に形成され、対物レンズ１１２の鏡枠１１３の後端にワンタッチで嵌め込まれて取り付け可能になっているため、対物レンズ１１２と撮像素子チップ１６２の中心合わせや面間隔の調整が不要であり、組立が簡単となっている。また、鏡枠１１３の先端には、対物レンズ１１２を保護するためのカバーガラス１１４が配置されている。なお、鏡枠１１３中のズームレンズの駆動機構は図示を省いてある。
【０１６６】
撮影素子チップ１６２で受光された物体像は、端子１６６を介して、図示していない処理手段に入力され、電子画像としてモニター４０４に、又は、通信相手のモニターに、又は、両方に表示される。また、通信相手に画像を送信する場合、撮像素子チップ１６２で受光された物体像の情報を、送信可能な信号へと変換する信号処理機能が処理手段には含まれている。
【０１６７】
以上の本発明のズームレンズは例えば次のように構成することができる。
【０１６８】
〔１〕  物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とよりなり、第１群の焦点距離ｆ1 と第１群の少なくとも１つの正レンズの媒質の異常分散性ΔθgFが以下の条件を満たすことを特徴とするズームレンズ。
【０１６９】
（１）    ６＜ｆ1 ／Ｌ＜２０
（２）    ０．０１５＜ΔθgF＜０．１
ただし、Ｌは結像面近傍に配設される有効撮像面の対角長。なお、各媒質（硝材）の異常分散性ΔθgFの定義は、
θgF＝ＡgF＋ＢgF・νd ＋ΔθgF 
ただし、  
θgF＝（ｎg −ｎF ）／（ｎF −ｎC ）
νd ＝（ｎd −１）／（ｎF −ｎC ）
ｎd 、ｎF 、ｎC 、ｎg はそれぞれｄ線、Ｆ線、Ｃ線、ｇ線に対する屈折率
、ＡgF、ＢgFは、ガラスコード511605（株式会社オハラでの商品名ＮＳＬ７
θgF＝0.5436  νd ＝60.49 ）とガラスコード 620363 （株式会社オハラ
での商品名ＰＢＭ２  θgF＝0.5828  νd ＝36.26 ）の２硝種で決まる直線
の係数であり、ＡgFは０．６４１４６２４８５、ＢgFは−０．００１６１７
８２９、
である。
【０１７０】
〔２〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの
可動な副群を有し全体で６枚以上１１枚以下のレンズを有する後群とよりなり、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
【０１７１】
（３）    ３＜（Δｚ2 −Δｚ1 ）／Ｌ＜９
ただし、像側への移動を正とする。Ｌは結像面近傍に配設される有効撮像面の対角長。
【０１７２】
〔３〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
【０１７３】
（４）    −１．０＜Δｚ1 ／Δｚ2 ＜０．５  （Δｚ2 ＞０）
ただし、像側移動を正とする。
【０１７４】
〔４〕  物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とよりなり、第１群は像側に凸の往復軌跡を描きつつ移動し、無限遠物点合焦時の第１群の広角端から中間焦点距離ｆM （＝√（ｆW ・ｆT ））までの移動量Δｚ1WM が正であることを特徴とするズームレンズ。ただし、像側への移動を正とする。なお、ｆW は広角端無限物点合焦時の、ｆT は望遠端無限物点合焦時の全系合成焦点距離。
【０１７５】
〔５〕  物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とよりなり、第１群は像側に凸の往復軌跡を描きつつ移動し、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
【０１７６】
（４）    −１．０＜Δｚ1 ／Δｚ2 ＜０．５  （Δｚ2 ＞０）
ただし、像側移動を正とする。
【０１７７】
〔６〕  物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とよりなり、第１群は像側に凸の往復軌跡を描きつつ移動し、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
【０１７８】
（３）    ３＜（Δｚ2 −Δｚ1 ）／Ｌ＜９
（４）    −１．０＜Δｚ1 ／Δｚ2 ＜０．５  （Δｚ2 ＞０）
ただし、像側移動を正とする。Ｌは結像面近傍に配設される有効撮像面の対角長。
【０１７９】
〔７〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、無限遠物点合焦時の第２群の広角端時倍率β2Wと望遠端時倍率β2Tの比Δβ2 （＝β2T／β2W）と全系の広角端から望遠端までのズーム比γに関し、以下の条件を満たすことを特徴とするズームレンズ。
【０１８０】
（５）    ０．３＜ｌｏｇ（Δβ2 ）／ｌｏｇ（γ）＜０．８
（６）    ５＜γ＜１５
〔８〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、広角端無限物点合焦時の後群の合成倍率βrWに関し以下の条件を満たすことを特徴とするズームレンズ。
【０１８１】
（７）    −０．６＜βrW＜−０．１
〔９〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、後群中の全ての可動の副群にはそれぞれ接合レンズ成分を少なくとも１つ有し、広角端無限物点合焦時の後群の合成倍率βrWに関し以下の条件を満たすことを特徴とするズームレンズ。
【０１８２】
（７）    −０．６＜βrW＜−０．１
〔１０〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、前記後群の中、負の倍率を有する副群の中で最も物体側にある正の副群よりも像側の何れかの副群にてフォーカスを行ない、最も像側の正の副群の広角端無限物点合焦時倍率βRRW に関し、以下の条件を満たすことを特徴とするズームレンズ。
【０１８３】
（８）    −０．４＜βRRW ＜０．９
〔１１〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み最も、像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、前記後群の副群の中、正の屈折力を有する最も物体側の副群の無限遠物点合焦時の広角端から望
遠端までの移動量ΔｚRF、最も像側の正の副群の無限遠物点合焦時の広角端から望遠端までの移動量ΔｚRRに関し、以下の条件を満たすことを特徴とするズームレンズ。
【０１８４】
（９）    −０．４＜ΔｚRR／ΔｚRF＜０．８
（10）    ０．３＜｜ΔｚRF｜／Ｌ＜４．０
ただし、Ｌは結像面近傍に配設される有効撮像面の対角長。
【０１８５】
〔１２〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、前記後群には、正の屈折力を有しかつ負の倍率を有する副群と最も像側の正の副群とを有し、変倍時にそれぞれの相対位置が変化し、前記２つの正の副群は接合レンズ成分、非球面、ν＞８０（ν：アッベ数）以上の硝材を用いたレンズを少なくともそれぞれ１つ含むことを特徴とするズームレンズ。
【０１８６】
〔１３〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの正の可動な副群を有し全体で７枚以上１１枚以下のレンズを有する後群とよりなり、後群の最も物体側の副群は負の屈折力を有することを特徴とするズームレンズ。
【０１８７】
〔１４〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの正の可動な副群を有し全体で７枚以上１１枚以下のレンズを有する後群とよりなり、後群の最も物体側の副群は１つの負レンズ成分からなることを特徴とするズームレンズ。
【０１８８】
〔１５〕  物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの正の可動な副群を有し全体で７枚以上１１枚以下のレンズを有する後群とよりなり、後群の最も物体側の副群は開口絞り近傍に常時固定であり、１つの負レンズ成分からなることを特徴とするズームレンズ。
【０１８９】
〔１６〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、第１群の焦点距離ｆ1 が以下の条件を満たすことを特徴とするズームレンズ。
【０１９０】
（１）    ６＜ｆ1 ／Ｌ＜２０
ただし、Ｌは結像面近傍に配設される有効撮像面の対角長。
【０１９１】
〔１７〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、第１群の焦点距離ｆ1 と第１群の少なくとも１つの正レンズの媒質の異常分散性ΔθgFが以下の条件を満たすことを特徴とするズームレンズ。
【０１９２】
（１）    ６＜ｆ1 ／Ｌ＜２０
（２）    ０．０１５＜ΔθgF＜０．１
ただし、Ｌは結像面近傍に配設される有効撮像面の対角長。なお、各媒質（硝材）の異常分散性ΔθgFの定義は、
θgF＝ＡgF＋ＢgF・νd ＋ΔθgF 
ただし、  
θgF＝（ｎg −ｎF ）／（ｎF −ｎC ）
νd ＝（ｎd −１）／（ｎF −ｎC ）
ｎd 、ｎF 、ｎC 、ｎg はそれぞれｄ線、Ｆ線、Ｃ線、ｇ線に対する屈折率
、ＡgF、ＢgFは、ガラスコード511605（株式会社オハラでの商品名ＮＳＬ７
θgF＝0.5436  νd ＝60.49 ）とガラスコード 620363 （株式会社オハラ
での商品名ＰＢＭ２  θgF＝0.5828  νd ＝36.26 ）の２硝種で決まる直線
の係数であり、ＡgFは０．６４１４６２４８５、ＢgFは−０．００１６１７
８２９、
である。
【０１９３】
〔１８〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
【０１９４】
（３）    ３＜（Δｚ2 −Δｚ1 ）／Ｌ＜９
ただし、像側への移動を正とする。Ｌは結像面近傍に配設される有効撮像面の対角長。
【０１９５】
〔１９〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
【０１９６】
（４）    −１．０＜Δｚ1 ／Δｚ2 ＜０．５  （Δｚ2 ＞０）
ただし、像側移動を正とする。
【０１９７】
〔２０〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、第１群は像側に凸の往復軌跡を描きつつ移動し、無限遠物点合焦時の第１群の広角端から中間焦点距離ｆM （＝√（ｆW ・ｆT ））までの移動量Δｚ1WM が正であることを特徴とするズームレンズ。ただし、像側への移動を正とする。なお、ｆW は広角端無限物点合焦時の、ｆT は望遠端無限物点合焦時の全系合成焦点距離。
【０１９８】
〔２１〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、第１群は像側に凸の往復軌跡を描きつつ移動し、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
【０１９９】
（４）    −１．０＜Δｚ1 ／Δｚ2 ＜０．５  （Δｚ2 ＞０）
ただし、像側移動を正とする。
【０２００】
〔２２〕  物体側から順に、変倍時に光軸に沿って可動の正の屈折力を有する第１群と、広角端から望遠端へ変倍する際に光軸に沿って像側へ移動する負の屈折力を有する第２群と、それに続き少なくとも２つの変倍時に可変な間隔を有する後群とよりなり、第１群は像側に凸の往復軌跡を描きつつ移動し、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
【０２０１】
（３）    ３＜（Δｚ2 −Δｚ1 ）／Ｌ＜９
（４）    −１．０＜Δｚ1 ／Δｚ2 ＜０．５  （Δｚ2 ＞０）
ただし、像側移動を正とする。Ｌは結像面近傍に配設される有効撮像面の対角長。
【０２０２】
〔２３〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、第２群は、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、さらに、第２群中の何れかの面が非球面であり、無限遠物点合焦時の第２群の広角端時倍率β2Wと望遠端時倍率β2Tの比Δβ2 （＝β2T／β2W）と全系の広角端から望遠端までのズーム比γに関し、以下の条件を満たすことを特徴とするズームレンズ。
【０２０３】
（５）    ０．３＜ｌｏｇ（Δβ2 ）／ｌｏｇ（γ）＜０．８
（６）    ５＜γ＜１５
〔２４〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、広角端無限物点合焦時の後群の合成倍率βrWに関し以下の条件を満たすことを特徴とするズームレンズ。
【０２０４】
（７）    −０．６＜βrW＜−０．１
〔２５〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、後群中の全ての可動の副群にはそれぞれ接合レンズ成分を少なくとも１つ有し、広角端無限物点合焦時の後群の合成倍率βrWに関し以下の条件を満たすことを特徴とするズームレンズ。
【０２０５】
（７）    −０．６＜βrW＜−０．１
〔２６〕  物体側から順に、変倍時に光軸に沿って可動の正の屈折力を有する第１群
と、広角端から望遠端へ変倍する際に光軸に沿って像側へ移動する負の屈折力を有する第２群と、それに続く少なくとも２つの変倍時に可変な間隔を有する後群とよりなり、前記後群の中、負の倍率を有する副群の中で最も物体側にある正の副群よりも像側の何れかの副群にてフォーカスを行ない、最も像側の正の副群の広角端無限物点合焦時倍率βRRW に関し、以下の条件を満たすことを特徴とするズームレンズ。
【０２０６】
（８）    −０．４＜βRRW ＜０．９
〔２７〕  物体側から順に、変倍時に光軸に沿って可動の正の屈折力を有する第１群と、広角端から望遠端へ変倍する際に光軸に沿って像側へ移動する負の屈折力を有する第２群と、複数の副群を有する後群とよりなり、前記後群の副群の中、、正の屈折力を有する最も物体側の副群の無限遠物点合焦時の広角端から望遠端までの移動量ΔｚRF、最も像側の正の副群の無限遠物点合焦時の広角端から望遠端までの移動量ΔｚRRに関し、以下の条件を満たし、前記２つの正の副群の間にそれらに対し変倍時に相対位置が変化する副群を有することを特徴とするズームレンズ。
【０２０７】
（９）    −０．４＜ΔｚRR／ΔｚRF＜０．８
（10）    ０．３＜｜ΔｚRF｜／Ｌ＜４．０  
ただし、Ｌは結像面近傍に配設される有効撮像面の対角長。
【０２０８】
〔２８〕  物体側から順に、変倍時に光軸に沿って可動の正の屈折力を有する第１群と、広角端から望遠端へ変倍する際に光軸に沿って像側へ移動する負の屈折力を有する第２群と、複数の副群を有する後群とよりなり、前記後群には、正の屈折力を有しかつ負の倍率を有する副群と最も像側の正の副群と、その２つの正の副群の間に負の副群とを有し、変倍時にそれぞれの相対位置が変化し、前記2 つの正の副群には接合レンズ成分、非球面、ν＞８０（ν：アッベ数）以上の硝材を用いたレンズを少なくともそれぞれ１つ含むことを特徴とするズームレンズ。
【０２０９】
〔２９〕  物体側から順に、変倍時に光軸に沿って可動の正の屈折力を有する第１群と、広角端から望遠端へ変倍する際に光軸に沿って像側へ移動する負の屈折力を有する第２群と、複数の副群を有する後群とよりなり、前記後群の副群の中、正の屈折力を有しかつ負の倍率を有する最も物体側の副群の無限遠物点合焦時の広角端から望遠端までの移動量ΔｚRF、最も像側の正の副群の無限遠物点合焦時の広角端から望遠端までの移動量ΔｚRRに関し、以下の条件を満たし、前記２つの正の副群の間にそれらに対し変倍時に相対位置が変化する負の副群を有し、無限遠物点合焦時の前記負の副群の広角端から望遠端までの移動量ΔｚRNに関し以下の条件を満たすことを特徴とするズームレンズ。
【０２１０】
（９）    −０．４＜ΔｚRR／ΔｚRF＜０．８
（10）    ０．３＜｜ΔｚRF｜／Ｌ＜４．０
（11）    −２＜ΔｚRN／Ｌ＜１
ただし、Ｌは結像面近傍に配設される有効撮像面の対角長。
【０２１１】
〔３０〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも３つの変倍時に可変な間隔を有する後群とよりなり、後群の最も物体側の副群は負の屈折力を有することを特徴とするズームレンズ。
【０２１２】
〔３１〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも３つの変倍時に可変な間隔を有する後群とよりなり、後群の最も物体側の副群は１つの負レンズ成分からなることを特徴とするズームレンズ。
【０２１３】
〔３２〕  物体側から順に、変倍時に光軸に沿って可動の正の屈折力を有する第１群と、広角端から望遠端へ変倍する際に光軸に沿って像側へ移動する負の屈折力を有する第２群と、それに続く少なくとも３つの変倍時に可変な間隔を有する後群とよりなり、後群の最も物体側の副群は開口絞り近傍に常時固定であり、１つの負レンズ成分からなることを特徴とするズームレンズ。
【０２１４】
〔３３〕  前記後群の最も物体側の正屈折力の副群は、負の倍率を有することを特徴とする上記〔１〕〜〔１２〕あるいは〔１６〕〜〔２９〕の何れか１項記載のズームレンズ。
【０２１５】
〔３４〕  変倍域に撮影可能画角２ω＝７０°を含むことを特徴とする上記〔１〕〜〔３２〕の何れか１項記載のズームレンズ。
【０２１６】
〔３５〕  広角端無限物点合焦時のバックフォーカス（空気換算長）ＦBWに関し以下の条件を満たすことを特徴とする上記〔１〕〜〔３２〕の何れか１項記載のズームレンズ。
【０２１７】
（12）    ２．０＜ＦBW／ｆW ＜５．０
ただし、ｆW は広角端無限物点合焦時の全系合成焦点距離。
【０２１８】
〔３６〕  広角端無限物点合焦時の最小Ｆ値ＦW に関し以下の条件を満たすことを特徴とする上記〔１〕〜〔３２〕の何れか１項記載のズームレンズ。
【０２１９】
（13）    １．４＜ＦW ＜３．5 
〔３７〕  広角端における入射瞳位置ＥＮＰに関し以下の条件を満たすことを特徴とする上記〔１〕〜〔３２〕の何れか１項記載のズームレンズ。
【０２２０】
（14）    ２＜ＥＮＰ／Ｌ＜５
ただし、Ｌは結像面近傍に配設される有効撮像面の対角長。
【０２２１】
〔３８〕  画素間隔ａが、
１．０×１０-4  ×Ｌ＜ａ＜６．０×１０-4×Ｌ（ｍｍ）
なる撮像素子を有する撮影装置（カメラ、ビデオムービー等）の結像光学系として使用されることを特徴とする上記〔１〕〜〔３２〕の何れか１項記載のズームレンズ。ただし、Ｌは結像面近傍に配設される有効撮像面の対角長。
【０２２２】
〔３９〕  上記〔１〕〜〔３８〕の何れか２項以上を同時に満足することを特徴とするズームレンズ。
【０２２３】
〔４０〕  上記〔１〕〜〔３９〕の何れか１項記載のズームレンズの結像面近傍に撮像素子を配したことを特徴とする撮像装置。
【０２２４】
〔４１〕  前記撮像素子を電子撮像素子とし、前記ズームレンズと前記電子撮像素子との間にローパスフィルターを配したことを特徴とする上記〔４０〕記載の撮像装置。
【０２２５】
〔４２〕  前記ズームレンズと前記電子撮像素子との間に観察用の光路を分割する光学素子を配したことを特徴とする上記〔４０〕又は〔４１〕記載の撮像装置。
【産業上の利用可能性】
【０２２６】
以上の説明から明らかなように、本発明によると、デジタルカメラのように有効撮像面のサイズが小さいカメラ用で、広角端の対角画角７０°以上の７倍乃至１０倍程度のＴＴＬ光学ファインダー対応の、しかも広角端でのＦ値が２．０乃至２．８程度と明るい広角高倍ズームレンズが実現できる。
【符号の説明】
【０２２７】
Ｇ１…第１群
Ｇ２…第２群
Ｇ３…第３群
Ｇ４…第４群
Ｇ５…第５群
Ｇ６…第６群
Ｐ…ファインダー用光路分割プリズム（平行平板）、近赤外カットコートが設けられている光学的ローパスフィルター、電子撮像素子のＣＣＤのカバーガラス等の平行平板群
Ｉ…像面
Ｅ…観察者眼球
４０…デジタルカメラ
４１…撮影光学系
４２…撮影用光路
４３…ファインダー光学系
４４…ファインダー用光路
４５…シャッター
４６…フラッシュ
４７…液晶表示モニター
４９…ＣＣＤ
５０…カバー部材
５１…処理手段
５２…記録手段
５３…ファインダー用対物光学系
５５…ポロプリズム
５７…視野枠
５９…接眼光学系
１１２…対物レンズ
１１３…鏡枠
１１４…カバーガラス
１６０…撮像ユニット
１６２…撮像素子チップ
１６６…端子
３００…パソコン
３０１…キーボード
３０２…モニター
３０３…撮影光学系
３０４…撮影光路
３０５…画像
４００…携帯電話
４０１…マイク部
４０２…スピーカ部
４０３…入力ダイアル
４０４…モニター
４０５…撮影光学系
４０６…アンテナ
４０７…撮影光路
【図１】
2011141548.tif 000003
【図２】
2011141548.tif 000004
【図３】
2011141548.tif 000005
【図４】
2011141548.tif 000006
【図５】
2011141548.tif 000007
【図６】
2011141548.tif 000008
【図７】
2011141548.tif 000009
【図８】
2011141548.tif 000010
【図９】
2011141548.tif 000011
【図１０】
2011141548.tif 000012
【図１１】
2011141548.tif 000013
【図１２】
2011141548.tif 000014
【図１３】
2011141548.tif 000015
【図１４】
2011141548.tif 000016
【図１５】
2011141548.tif 000017
【図１６】
2011141548.tif 000018
【図１７】
2011141548.tif 000019
【図１８】
2011141548.tif 000020
【図１９】
2011141548.tif 000021
【図２０】
2011141548.tif 000022
【図２１】
2011141548.tif 000023
【図２２】
2011141548.tif 000024
【図２３】
2011141548.tif 000025
【図２４】
2011141548.tif 000026
【図２５】
2011141548.tif 000027
【図２６】
2011141548.tif 000028
【図２７】
2011141548.tif 000029
【図２８】
2011141548.tif 000030
【図２９】
2011141548.tif 000031
【図３０】
2011141548.tif 000032
【図３１】
2011141548.tif 000033
【図３２】
2011141548.tif 000034
【図３３】
2011141548.tif 000035
【図３４】
2011141548.tif 000036
【図３５】
2011141548.tif 000037
【図３６】
2011141548.tif 000038
【図３７】
2011141548.tif 000039
【図３８】
2011141548.tif 000040
【図３９】
2011141548.tif 000041
【図４０】
2011141548.tif 000042
【図４１】
2011141548.tif 000043
【図４２】
2011141548.tif 000044
【図４３】
2011141548.tif 000045
【図４４】
2011141548.tif 000046
【図４５】
2011141548.tif 000047
【図４６】
2011141548.tif 000048
【図４７】
2011141548.tif 000049
【図４８】
2011141548.tif 000050
【図４９】
2011141548.tif 000051
【図５０】
2011141548.tif 000052
【図５１】
2011141548.tif 000053
【図５２】
2011141548.tif 000054
【図５３】
2011141548.tif 000055
【図５４】
2011141548.tif 000056
【図５５】
2011141548.tif 000057
【図５６】
2011141548.tif 000058
【図５７】
2011141548.tif 000059